(57)【要約】  無線基地局装置（１０１Ａ，１０１Ｂ）は、無線端末装置（２０２）による異周波測定動作が行われる異周波測定期間において異なる周波数の無線信号が測定されるタイミングである測定タイミング、異周波測定動作が行われる間隔、または異周波測定期間における異なる周波数の無線信号の測定結果が選択基地局に報告されるタイミングである報告タイミングを、周辺基地局ごとまたは無線信号の周波数ごとに設定する異周波測定制御部（１６）と、異周波測定制御部（１６）による設定の内容を無線端末装置（２０２）に通知する設定通知部（１７）とを備える。
2013141194.tif 000002
【特許請求の範囲】
【請求項１】
通信先切替動作を行なうことにより複数の無線基地局装置と通信可能な無線端末装置、の動作に関する設定を行う設定装置であって、
前記無線端末装置は、自己が通信相手として選択している無線基地局装置である選択基地局以外の無線基地局装置である周辺基地局から送信される無線信号であって、前記選択基地局および前記無線端末装置間で使用される前記無線信号の周波数と異なる周波数の無線信号、を測定する異周波測定動作を間欠的に行い、
前記設定装置は、
前記異周波測定動作が行われる異周波測定期間において前記異なる周波数の無線信号が測定されるタイミングである測定タイミング、前記異周波測定動作が行われる間隔、または前記異周波測定期間における前記異なる周波数の無線信号の測定結果が前記選択基地局に報告されるタイミングである報告タイミングを設定するための異周波測定制御部と、
前記異周波測定制御部による前記設定の内容を前記無線端末装置に通知するための設定通知部とを備え、
前記異周波測定制御部は、前記周辺基地局ごとまたは前記無線信号の周波数ごとに前記設定を行う、設定装置。
【請求項２】
前記異周波測定制御部は、前記測定タイミングの間隔を前記周辺基地局ごとまたは前記無線信号の周波数ごとに設定する、請求の範囲第１項に記載の設定装置。
【請求項３】
前記異周波測定制御部は、前記周辺基地局と前記選択基地局との距離が遠いほど前記測定タイミングの間隔を短く設定する、請求の範囲第２項に記載の設定装置。
【請求項４】
前記異周波測定制御部は、前記選択基地局から送信される前記無線信号の電力が小さいほど前記測定タイミングの間隔を短く設定する、請求の範囲第２項または第３項に記載の設定装置。
【請求項５】
前記異周波測定制御部は、前記周辺基地局から送信される前記無線信号の電力が大きいほど前記測定タイミングの間隔を短く設定する、請求の範囲第２項から第４項のいずれか１項に記載の設定装置。
【請求項６】
前記異周波測定制御部は、前記周辺基地局から送信される前記無線信号の前記無線端末装置における受信電力が大きいほど前記測定タイミングの間隔を短く設定する、請求の範囲第２項から第５項のいずれか１項に記載の設定装置。
【請求項７】
前記異周波測定制御部は、前記周辺基地局から送信される前記無線信号の周波数が高いほど前記測定タイミングの間隔を短く設定する、請求の範囲第２項から第６項のいずれか１項に記載の設定装置。
【請求項８】
前記異周波測定制御部は、前記周辺基地局から送信される前記無線信号の周波数が低いほど前記測定タイミングの間隔を短く設定する、請求の範囲第２項から第６項のいずれか１項に記載の設定装置。
【請求項９】
前記異周波測定制御部は、前記無線端末装置と前記周辺基地局との距離が近いほど前記測定タイミングの間隔を短く設定する、請求の範囲第２項から第８項のいずれか１項に記載の設定装置。
【請求項１０】
前記異周波測定制御部は、前記異周波測定期間における前記異なる周波数の無線信号の測定開始タイミングを前記周辺基地局ごとまたは前記無線信号の周波数ごとに設定する、請求の範囲第１項から第９項のいずれか１項に記載の設定装置。
【請求項１１】
前記異周波測定制御部は、前記周辺基地局と前記選択基地局との距離が近いほど前記異周波測定動作を行う間隔を長く設定する、請求の範囲第１項から第１０項のいずれか１項に記載の設定装置。
【請求項１２】
前記異周波測定制御部は、前記周辺基地局から送信される前記無線信号の周波数が高いほど前記異周波測定動作を行う間隔を短く設定する、請求の範囲第１項から第１１項のいずれか１項に記載の設定装置。
【請求項１３】
前記異周波測定制御部は、前記周辺基地局から送信される前記無線信号の周波数が低いほど前記異周波測定動作を行う間隔を短く設定する、請求の範囲第１項から第１１項のいずれか１項に記載の設定装置。
【請求項１４】
前記異周波測定制御部は、前記無線端末装置と前記周辺基地局との距離が近いほど前記異周波測定動作を行う間隔を短く設定する、請求の範囲第１項から第１３項のいずれか１項に記載の設定装置。
【請求項１５】
前記無線端末装置は、前記異周波測定期間における前記異なる周波数の無線信号の測定結果が所定条件を満たす状態が所定時間継続するたびに、前記測定結果を前記設定装置に報告し、
前記異周波測定制御部は、前記所定時間を前記周辺基地局ごとまたは前記無線信号の周波数ごとに設定する、請求の範囲第１項から第１４項のいずれか１項記載の設定装置。
【請求項１６】
前記異周波測定制御部は、前記測定タイミングの間隔が長いほど、前記所定時間を長く設定する、請求の範囲第１５項に記載の設定装置。
【請求項１７】
通信先切替動作を行なうことにより複数の無線基地局装置と通信可能な無線端末装置、の動作に関する設定を行う設定装置であって、
前記無線端末装置が通信相手として選択している無線基地局装置である選択基地局および前記無線端末装置間で使用される前記無線信号の周波数と同じ周波数の無線信号であって、前記選択基地局以外の無線基地局装置である周辺基地局から送信される無線信号の測定が前記無線端末装置によって行われるタイミングである測定タイミングを設定するための測定制御部と、
前記測定制御部による前記設定の内容を前記無線端末装置に通知するための設定通知部とを備え、
前記測定制御部は、前記周辺基地局ごとに前記設定を行う、設定装置。
【請求項１８】
前記測定制御部は、前記測定タイミングの間隔を前記周辺基地局ごとに設定する、請求の範囲第１７項に記載の設定装置。
【請求項１９】
前記測定制御部は、前記選択基地局と前記周辺基地局との距離が近いほど前記測定タイミングの間隔を短く設定する、請求の範囲第１８項に記載の設定装置。
【請求項２０】
前記測定制御部は、前記選択基地局が送信する前記無線信号の電力が大きいほど前記測定タイミングの間隔を短く設定する、請求の範囲第１８項または第１９項に記載の設定装置。
【請求項２１】
前記測定制御部は、前記周辺基地局から送信される前記無線信号の電力が大きいほど前記測定タイミングの間隔を短く設定する、請求の範囲第１８項から第２０項のいずれか１項に記載の設定装置。
【請求項２２】
前記測定制御部は、前記周辺基地局から送信される前記無線信号の測定開始タイミングを前記周辺基地局ごとに設定する、請求の範囲第１７項から第２１項のいずれか１項に記載の設定装置。
【請求項２３】
通信先切替動作を行なうことにより複数の無線基地局装置と通信可能な無線端末装置、の動作に関する設定を行う設定装置における通信制御方法であって、
前記無線端末装置は、自己が通信相手として選択している無線基地局装置である選択基地局以外の無線基地局装置である周辺基地局から送信される無線信号であって、前記選択基地局および前記無線端末装置間で使用される前記無線信号の周波数と異なる周波数の無線信号、を測定する異周波測定動作を間欠的に行い、
前記異周波測定動作が行われる異周波測定期間において前記異なる周波数の無線信号が測定されるタイミングである測定タイミング、前記異周波測定動作が行われる間隔、または前記異周波測定期間における前記異なる周波数の無線信号の測定結果が前記選択基地局に報告されるタイミングである報告タイミングを、前記周辺基地局ごとまたは前記無線信号の周波数ごとに設定するステップと、
設定した内容を前記無線端末装置に通知するステップとを含む、通信制御方法。
【請求項２４】
通信先切替動作を行なうことにより複数の無線基地局装置と通信可能な無線端末装置、の動作に関する設定を行う設定装置における通信制御方法であって、
前記無線端末装置が通信相手として選択している無線基地局装置である選択基地局および前記無線端末装置間で使用される前記無線信号の周波数と同じ周波数の無線信号であって、前記選択基地局以外の無線基地局装置である周辺基地局から送信される無線信号の測定が前記無線端末装置によって行われるタイミングである測定タイミングを、前記周辺基地局ごとに設定するステップと、
設定した内容を前記無線端末装置に通知するステップとを含む、通信制御方法。
【請求項２５】
通信先切替動作を行なうことにより複数の無線基地局装置と通信可能な無線端末装置、の動作に関する設定を行う設定装置において用いられる通信制御プログラムであって、
前記無線端末装置は、自己が通信相手として選択している無線基地局装置である選択基地局以外の無線基地局装置である周辺基地局から送信される無線信号であって、前記選択基地局および前記無線端末装置間で使用される前記無線信号の周波数と異なる周波数の無線信号、を測定する異周波測定動作を間欠的に行い、
コンピュータに、
前記異周波測定動作が行われる異周波測定期間において前記異なる周波数の無線信号が測定されるタイミングである測定タイミング、前記異周波測定動作が行われる間隔、または前記異周波測定期間における前記異なる周波数の無線信号の測定結果が前記選択基地局に報告されるタイミングである報告タイミングを、前記周辺基地局ごとまたは前記無線信号の周波数ごとに設定するステップと、
設定した内容を前記無線端末装置に通知するステップとを実行させるための、通信制御プログラム。
【請求項２６】
通信先切替動作を行なうことにより複数の無線基地局装置と通信可能な無線端末装置、の動作に関する設定を行う設定装置において用いられる通信制御プログラムであって、
コンピュータに、
前記無線端末装置が通信相手として選択している無線基地局装置である選択基地局および無線端末装置間で使用される前記無線信号の周波数と同じ周波数の無線信号であって、前記選択基地局以外の無線基地局装置である周辺基地局から送信される無線信号の測定が前記無線端末装置によって行われるタイミングである測定タイミングを、前記周辺基地局ごとに設定するステップと、
設定した内容を前記無線端末装置に通知するステップとを実行させるための、通信制御プログラム。
【請求項２７】
無線端末装置の動作に関する設定を行う設定装置であって、
前記無線端末装置は、プライマリセルを形成するプライマリ基地局との無線信号の送受信、および、セカンダリセルを形成するセカンダリ基地局との無線信号の送受信を並行して行うことが可能であり、
前記無線端末装置および前記プライマリ基地局間で使用される前記無線信号の周波数と、前記無線端末装置および前記セカンダリ基地局間で使用される前記無線信号の周波数とは異なり、前記無線端末装置は、前記セカンダリ基地局から送信される前記無線信号の測定を行うセカンダリ測定動作を行い、
前記設定装置は、
前記プライマリ基地局、前記セカンダリ基地局および前記無線端末装置のうち少なくとも１つに関する情報に基づいて、前記無線端末装置によって前記セカンダリ測定動作が行われるタイミングであるセカンダリ測定タイミングの設定を行うためのセカンダリ測定制御部と、
前記セカンダリ測定制御部による前記設定の内容を前記無線端末装置に通知するための設定通知部とを備える、設定装置。
【請求項２８】
前記セカンダリ測定制御部は、前記セカンダリ基地局ごとに前記設定を行う、請求の範囲第２７項に記載の設定装置。
【請求項２９】
前記セカンダリ測定制御部は、前記無線端末装置と前記セカンダリ基地局との距離が遠いほど前記セカンダリ測定タイミングの間隔を長く設定する、請求の範囲第２８項に記載の設定装置。
【請求項３０】
前記セカンダリ測定制御部は、前記セカンダリ基地局から送信される前記無線信号の周波数が高いほど前記セカンダリ測定タイミングの間隔を短く設定する、請求の範囲第２８項または第２９項に記載の設定装置。
【請求項３１】
前記セカンダリ測定制御部は、前記セカンダリ基地局から送信される前記無線信号の周波数が低いほど前記セカンダリ測定タイミングの間隔を短く設定する、請求の範囲第２８項または第２９項に記載の設定装置。
【請求項３２】
前記セカンダリ測定制御部は、前記無線端末装置と前記プライマリ基地局との距離が遠いほど前記セカンダリ測定タイミングの間隔を短く設定する、請求の範囲第２７項に記載の設定装置。
【請求項３３】
前記セカンダリ測定制御部は、前記プライマリ基地局から送信される前記無線信号の前記無線端末装置における受信電力が小さいほど前記セカンダリ測定タイミングの間隔を短く設定する、請求の範囲第２７項または第３２項に記載の設定装置。
【請求項３４】
無線端末装置の動作に関する設定を行う設定装置における通信制御方法であって、
前記無線端末装置は、プライマリセルを形成するプライマリ基地局との無線信号の送受信、および、セカンダリセルを形成するセカンダリ基地局との無線信号の送受信を並行して行うことが可能であり、
前記無線端末装置および前記プライマリ基地局間で使用される前記無線信号の周波数と、前記無線端末装置および前記セカンダリ基地局間で使用される前記無線信号の周波数とは異なり、前記無線端末装置は、前記セカンダリ基地局から送信される前記無線信号の測定を行うセカンダリ測定動作を行い、
前記通信制御方法は、
前記無線端末装置によって前記セカンダリ測定動作が行われるタイミングであるセカンダリ測定タイミングの設定を行うステップと、
前記設定の内容を前記無線端末装置に通知するステップとを含む、通信制御方法。
【請求項３５】
無線端末装置の動作に関する設定を行う設定装置において用いられる通信制御プログラムであって、
前記無線端末装置は、プライマリセルを形成するプライマリ基地局との無線信号の送受信、および、セカンダリセルを形成するセカンダリ基地局との無線信号の送受信を並行して行うことが可能であり、
前記無線端末装置および前記プライマリ基地局間で使用される前記無線信号の周波数と、前記無線端末装置および前記セカンダリ基地局間で使用される前記無線信号の周波数とは異なり、前記無線端末装置は、前記セカンダリ基地局から送信される前記無線信号の測定を行うセカンダリ測定動作を行い、
前記通信制御プログラムは、コンピュータに、
前記無線端末装置によって前記セカンダリ測定動作が行われるタイミングであるセカンダリ測定タイミングの設定を行うステップと、
前記設定の内容を前記無線端末装置に通知するステップとを実行させるための、通信制御プログラム。
【発明の詳細な説明】
【技術分野】
【０００１】
本発明は、設定装置、通信制御方法および通信制御プログラムに関し、特に、無線端末装置が通信先切替動作を行なうことにより複数の無線基地局装置と通信可能な通信システムにおける設定装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。【０００４】
これらの要望と併せて、無線基地局装置で使用される種々のデバイスの処理能力が飛躍的に向上したことによって無線基地局装置の小型化が進み、このような小型化された基地局が注目を集めている。【０００５】
この小型基地局は、半径１０メートル前後のフェムトセル（Femto  Cell）を形成するフェムト基地局、または半径１００メートルから２００メートルのピコセル（Pico  Cell）を形成するピコ基地局などである。上記のように、フェムトセルおよびピコセルの半径は小さいため、たとえばフェムト基地局は、マクロ基地局が形成するマクロセル（Macro  Cell）の圏外となりマクロ基地局の設置が困難な屋内および地下街等の場所で使用されることが考えられる。【０００６】
また、このようなフェムト基地局、ピコ基地局およびマクロ基地局が混在する通信システムであるヘテロジーニアスネットワークでは、たとえばマクロセル内に複数のフェムトセルまたはピコセルが形成される（非特許文献１）。
【先行技術文献】
【非特許文献】
【０００７】
【非特許文献１】3GPP  TS  36.300  V10.5.0  2011.10
【発明の概要】
【発明が解決しようとする課題】
【０００８】
ここで、近年、フェムト基地局およびピコ基地局などの小型基地局の設置数が増加傾向にある。また、無線基地局装置の近くでは受信電力の変化が急であり、さらに、無線基地局により形成されるセルのセルエッジにおける受信電力の変化は、マクロ基地局よりもフェムト基地局またはピコ基地局などの小型基地局の方が大きい。このため、小型基地局の設置数の増加に伴い、無線端末装置の通信先切替動作が起こりやすくなっている。【０００９】
また、無線端末装置と通信接続を確立している無線基地局装置（以下、選択基地局とも称する）と当該無線端末装置との間で使用される無線信号の周波数と、選択基地局以外の無線基地局装置である周辺基地局から送信される無線信号の周波数とが異なる場合がある。【００１０】
このような移動通信システムでは、たとえば、無線端末装置は、通信接続先として適切な無線基地局装置が選択されるために、自己と選択基地局との間で使用される無線信号の周波数と異なる周波数の無線信号の測定を間欠的に行い、選択基地局に測定結果を送信する（非特許文献２（3GPP  TS  36.133  V10.4.0））。このような測定動作を行う無線端末装置では、近年の小型基地局の設置数の増加に伴い、上記測定の対象が増加する。【００１１】
しかしながら、上記測定の精度を確保するため、無線端末装置が並行して測定することのできる周辺基地局の数には限りがある。このため、周辺基地局が多数存在する場合には、無線端末装置による上記測定に時間がかかり、通信先切替動作のタイミングが遅れるなどの問題が発生する。【００１２】
また、上記測定結果は、たとえば、無線端末装置において所定条件を満たす状態が所定時間継続した場合に当該無線端末装置から選択基地局へ送信される。そして、選択基地局への上記測定結果の送信が行われるまでに時間がかかる場合には、測定自体が遅れる場合と同様に、通信先切替動作のタイミングが遅れるなどの問題が発生する。【００１３】
また、選択基地局と無線端末装置との間で使用される無線信号の周波数と、周辺基地局から送信される無線信号の周波数とが同じ場合には、無線端末装置は、上記のような間欠的な測定を行う必要はない。しかしながら、この場合であっても、無線端末装置は、移動に伴って切替先の無線基地局装置が適切に選択されるために、周辺基地局から送信される無線信号を測定し、選択基地局に測定結果を送信する必要がある。そして、周辺基地局が多数存在する場合には、すべての周辺基地局の測定を完了するのに時間がかかり、上記と同様に、通信先切替動作のタイミングが遅れるなどの問題が発生する。【００１４】
この発明は、上述の課題を解決するためになされたもので、その目的は、無線端末装置における周辺基地局からの無線信号の測定動作を適切に行い、通信の安定化を図ることが可能な設定装置、通信制御方法および通信制御プログラムを提供することである。
【課題を解決するための手段】
【００１５】
（１）上記課題を解決するために、この発明のある局面に係わる設定装置は、通信先切替動作を行なうことにより複数の無線基地局装置と通信可能な無線端末装置、の動作に関する設定を行う設定装置であって、上記無線端末装置は、自己が通信相手として選択している無線基地局装置である選択基地局以外の無線基地局装置である周辺基地局から送信される無線信号であって、上記選択基地局および上記無線端末装置間で使用される上記無線信号の周波数と異なる周波数の無線信号、を測定する異周波測定動作を間欠的に行い、上記設定装置は、上記異周波測定動作が行われる異周波測定期間において上記異なる周波数の無線信号が測定されるタイミングである測定タイミング、上記異周波測定動作が行われる間隔、または上記異周波測定期間における上記異なる周波数の無線信号の測定結果が上記選択基地局に報告されるタイミングである報告タイミングを設定するための異周波測定制御部と、上記異周波測定制御部による上記設定の内容を上記無線端末装置に通知するための設定通知部とを備え、上記異周波測定制御部は、上記周辺基地局ごとまたは上記無線信号の周波数ごとに上記設定を行う。【００１６】
（１７）また、この発明の別の局面に係わる設定装置は、通信先切替動作を行なうことにより複数の無線基地局装置と通信可能な無線端末装置、の動作に関する設定を行う設定装置であって、上記無線端末装置が通信相手として選択している無線基地局装置である選択基地局および上記無線端末装置間で使用される上記無線信号の周波数と同じ周波数の無線信号であって、上記選択基地局以外の無線基地局装置である周辺基地局から送信される無線信号の測定が上記無線端末装置によって行われるタイミングである測定タイミングを設定するための測定制御部と、上記測定制御部による上記設定の内容を上記無線端末装置に通知するための設定通知部とを備え、上記測定制御部は、上記周辺基地局ごとに上記設定を行う。【００１７】
（２３）上記課題を解決するために、この発明のある局面に係わる通信制御方法は、通信先切替動作を行なうことにより複数の無線基地局装置と通信可能な無線端末装置、の動作に関する設定を行う設定装置における通信制御方法であって、上記無線端末装置は、自己が通信相手として選択している無線基地局装置である選択基地局以外の無線基地局装置である周辺基地局から送信される無線信号であって、上記選択基地局および上記無線端末装置間で使用される上記無線信号の周波数と異なる周波数の無線信号、を測定する異周波測定動作を間欠的に行い、上記異周波測定動作が行われる異周波測定期間において上記異なる周波数の無線信号が測定されるタイミングである測定タイミング、上記異周波測定動作が行われる間隔、または上記異周波測定期間における上記異なる周波数の無線信号の測定結果が上記選択基地局に報告されるタイミングである報告タイミングを、上記周辺基地局ごとまたは上記無線信号の周波数ごとに設定するステップと、設定した内容を上記無線端末装置に通知するステップとを含む。【００１８】
（２４）また、この発明の別の局面に係わる通信制御方法は、通信先切替動作を行なうことにより複数の無線基地局装置と通信可能な無線端末装置、の動作に関する設定を行う設定装置における通信制御方法であって、上記無線端末装置が通信相手として選択している無線基地局装置である選択基地局および上記無線端末装置間で使用される上記無線信号の周波数と同じ周波数の無線信号であって、上記選択基地局以外の無線基地局装置である周辺基地局から送信される無線信号の測定が上記無線端末装置によって行われるタイミングである測定タイミングを、上記周辺基地局ごとに設定するステップと、設定した内容を上記無線端末装置に通知するステップとを含む。【００１９】
（２５）上記課題を解決するために、この発明のある局面に係わる通信制御プログラムは、通信先切替動作を行なうことにより複数の無線基地局装置と通信可能な無線端末装置、の動作に関する設定を行う設定装置において用いられる通信制御プログラムであって、上記無線端末装置は、自己が通信相手として選択している無線基地局装置である選択基地局以外の無線基地局装置である周辺基地局から送信される無線信号であって、上記選択基地局および上記無線端末装置間で使用される上記無線信号の周波数と異なる周波数の無線信号、を測定する異周波測定動作を間欠的に行い、コンピュータに、上記異周波測定動作が行われる異周波測定期間において上記異なる周波数の無線信号が測定されるタイミングである測定タイミング、上記異周波測定動作が行われる間隔、または上記異周波測定期間における上記異なる周波数の無線信号の測定結果が上記選択基地局に報告されるタイミングである報告タイミングを、上記周辺基地局ごとまたは上記無線信号の周波数ごとに設定するステップと、設定した内容を上記無線端末装置に通知するステップとを実行させるためのプログラムである。【００２０】
（２６）また、この発明の別の局面に係わる通信制御プログラムは、通信先切替動作を行なうことにより複数の無線基地局装置と通信可能な無線端末装置、の動作に関する設定を行う設定装置において用いられる通信制御プログラムであって、コンピュータに、上記無線端末装置が通信相手として選択している無線基地局装置である選択基地局および上記無線端末装置間で使用される上記無線信号の周波数と同じ周波数の無線信号であって、上記選択基地局以外の無線基地局装置である周辺基地局から送信される無線信号の測定が上記無線端末装置によって行われるタイミングである測定タイミングを、上記周辺基地局ごとに設定するステップと、設定した内容を上記無線端末装置に通知するステップとを実行させるためのプログラムである。【００２１】
（２７）また、この発明の別の局面に係わる無線基地局装置は、無線端末装置の動作に関する設定を行う設定装置であって、上記無線端末装置は、プライマリセルを形成するプライマリ基地局との無線信号の送受信、および、セカンダリセルを形成するセカンダリ基地局との無線信号の送受信を並行して行うことが可能であり、上記無線端末装置および上記プライマリ基地局間で使用される上記無線信号の周波数と、上記無線端末装置および上記セカンダリ基地局間で使用される上記無線信号の周波数とは異なり、上記無線端末装置は、上記セカンダリ基地局から送信される上記無線信号の測定を行うセカンダリ測定動作を行い、上記設定装置は、上記プライマリ基地局、上記セカンダリ基地局および上記無線端末装置のうち少なくとも１つに関する情報に基づいて、上記無線端末装置によって上記セカンダリ測定動作が行われるタイミングであるセカンダリ測定タイミングの設定を行うためのセカンダリ測定制御部と、上記セカンダリ測定制御部による上記設定の内容を上記無線端末装置に通知するための設定通知部とを備える。【００２２】
（３４）また、この発明の別の局面に係わる通信制御方法は、無線端末装置の動作に関する設定を行う設定装置における通信制御方法であって、上記無線端末装置は、プライマリセルを形成するプライマリ基地局との無線信号の送受信、および、セカンダリセルを形成するセカンダリ基地局との無線信号の送受信を並行して行うことが可能であり、上記無線端末装置および上記プライマリ基地局間で使用される上記無線信号の周波数と、上記無線端末装置および上記セカンダリ基地局間で使用される上記無線信号の周波数とは異なり、上記無線端末装置は、上記セカンダリ基地局から送信される上記無線信号の測定を行うセカンダリ測定動作を行い、上記通信制御方法は、上記無線端末装置によって上記セカンダリ測定動作が行われるタイミングであるセカンダリ測定タイミングの設定を行うステップと、上記設定の内容を上記無線端末装置に通知するステップとを含む。【００２３】
（３５）また、この発明の別の局面に係わる通信制御プログラムは、無線端末装置の動作に関する設定を行う設定装置において用いられる通信制御プログラムであって、上記無線端末装置は、プライマリセルを形成するプライマリ基地局との無線信号の送受信、および、セカンダリセルを形成するセカンダリ基地局との無線信号の送受信を並行して行うことが可能であり、上記無線端末装置および上記プライマリ基地局間で使用される上記無線信号の周波数と、上記無線端末装置および上記セカンダリ基地局間で使用される上記無線信号の周波数とは異なり、上記無線端末装置は、上記セカンダリ基地局から送信される上記無線信号の測定を行うセカンダリ測定動作を行い、上記通信制御プログラムは、コンピュータに、上記無線端末装置によって上記セカンダリ測定動作が行われるタイミングであるセカンダリ測定タイミングの設定を行うステップと、上記設定の内容を上記無線端末装置に通知するステップとを実行させるためのプログラムである。
【発明の効果】
【００２４】
本発明によれば、周辺基地局から送信される無線信号の測定において、無線端末装置における周辺基地局からの無線信号の測定動作を適切に行い、通信の安定化を図ることができる。
【図面の簡単な説明】
【００２５】
【図１】図１は、本発明の第１の実施の形態に係る無線基地局装置を備える通信システムの構成を示す図である。
【図２】図２は、本発明の第１の実施の形態に係る無線基地局装置を備える通信システムにおけるハンドオーバ動作のシーケンスの一例を示す図である。
【図３】図３は、無線端末装置によるサービング基地局との間の通信期間と、周辺基地局から送信される無線信号の測定を行う異周波測定期間との関係を説明する図である。
【図４】図４は、本発明の第１の実施の形態に係る無線基地局装置の構成を示す図である。
【図５】図５は、本発明の第１の実施の形態に係る無線基地局装置における制御部の構成を示す図である。
【図６】図６は、本発明の第１の実施の形態に係る無線基地局装置の異周波測定制御部による測定タイミングの間隔の設定動作の流れを説明するフローチャートである。
【図７】図７は、図６に示す測定タイミングの設定動作により設定された測定タイミングの間隔を示す図である。
【図８】図８は、本発明の第１の実施の形態に係る無線基地局装置の異周波測定制御部による測定開始タイミングの設定動作の流れを説明するフローチャートである。
【図９】図９は、図８に示す測定開始タイミングの設定動作により設定された測定開始タイミングを示す図である。
【図１０】図１０は、本発明の第１の実施の形態に係る無線基地局装置の設定通知部による設定内容の通知動作の流れを説明するシーケンスである。
【図１１】図１１は、図１０に示す通知動作の設定パラメータの一例を示す図である。
【図１２】図１２は、図１１に示すメジャメントオブジェクトに含まれる設定パラメータの一例を示す図である。
【図１３】図１３は、本発明の第１の実施の形態に係る無線基地局装置を備える通信システムにおいてハンドオーバ動作が行なわれる状況の一例を示す図である。
【図１４】図１４は、本発明の第１の実施の形態に係る無線基地局装置の異周波測定制御部による異周波測定動作を行う間隔の設定動作の流れを説明するフローチャートである。
【図１５】図１５は、図１４に示す異周波測定動作を行う間隔の設定動作により設定された異周波測定動作を行う間隔の一例を示す図である。
【図１６】図１６は、図１４に示す異周波測定動作を行う間隔の設定動作により設定された異周波測定動作を行う間隔の一例を示す図である。
【図１７】図１７は、本発明の第１の実施の形態に係る無線基地局装置の異周波測定制御部による報告タイミングの設定動作の流れを説明するフローチャートである。
【図１８】図１８は、本発明の第１の実施の形態に係る無線基地局装置を備える通信システムにおいて、無線端末装置が測定結果通知を送信する状況の一例を示す図である。
【図１９】図１９は、本発明の第１の実施の形態に係る無線基地局装置の異周波測定制御部により設定される異周波測定動作の間隔とＴＴＴとの関係を示す図である。
【図２０】図２０は、本発明の第１の実施の形態に係る無線基地局装置の設定通知部による設定内容の通知動作の流れを説明するシーケンスである。
【図２１】図２１は、本発明の第２の実施の形態に係る無線基地局装置を備える通信システムの構成を示す図である。
【図２２】図２２は、本発明の第２の実施の形態に係る無線基地局装置における制御部の構成を示す図である。
【図２３】図２３は、本発明の第２の実施の形態に係る無線基地局装置の測定制御部による測定タイミングの間隔の設定動作の流れを説明するフローチャートである。
【図２４】図２４は、本発明の第２の実施の形態に係る無線基地局装置の測定制御部による測定開始タイミングの設定動作の流れを説明するフローチャートである。
【図２５】図２５は、図１１に示すメジャメントオブジェクトに含まれる設定パラメータの一例を示す図である。
【図２６】図２６は、本発明の第３の実施の形態に係る無線基地局装置を備える通信システムの構成を示す図である。
【図２７】図２７は、本発明の第３の実施の形態に係る無線基地局装置を備える通信システムにおけるセカンダリセルの有効化処理のシーケンスの一例を示す図である。
【図２８】図２８は、本発明の第３の実施の形態に係る無線基地局装置の構成を示す図である。
【図２９】図２９は、本発明の第３の実施の形態に係る無線基地局装置のセカンダリ測定制御部によるセカンダリ測定タイミングの間隔の設定動作の流れを説明するフローチャートの一例（その１）である。
【図３０】図３０は、本発明の第３の実施の形態に係る無線基地局装置のセカンダリ測定制御部によるセカンダリ測定タイミングの間隔の設定動作の流れを説明するフローチャートの一例（その２）である。
【図３１】図３１は、本発明の第３の実施の形態に係る無線基地局装置のセカンダリ測定制御部によるセカンダリ測定タイミングの間隔の設定動作の流れを説明するフローチャートの一例（その３）である。
【図３２】図３２は、本発明の第３の実施の形態に係る無線基地局装置のセカンダリ測定制御部によるセカンダリ測定タイミングの間隔の設定動作の流れを説明するフローチャートの一例（その４）である。
【図３３】図３３は、本発明の第３の実施の形態に係る無線基地局装置から送信されるメジャメントオブジェクトに含まれる設定パラメータの一例を示す図である。
【図３４】図３４は、本発明の第４の実施の形態に係る通信システムの構成を示す図である。
【図３５】図３５は、本発明の第４の実施の形態に係る無線基地局装置を備える通信システムにおける通信先切替動作のシーケンスの一例を示す図である。
【図３６】図３６は、本発明の第４の実施の形態に係る通信システムにおける管理装置の構成を示す図である。
【図３７】図３７は、本発明の第４の実施の形態に係る通信システムにおける管理装置により設定された測定タイミングの間隔を示す図である。
【図３８】図３８は、本発明の第４の実施の形態に係る通信システムにおける管理装置により設定された測定開始タイミングを示す図である。
【図３９】図３９は、本発明の第４の実施の形態に係る通信システムにおける管理装置により設定された異周波測定動作を行う間隔の一例を示す図である。
【図４０】図４０は、本発明の第５の実施の形態に係る無線基地局装置を備える通信システムの構成を示す図である。
【図４１】図４１は、本発明の第５の実施の形態に係る通信システムにおける管理装置の構成を示す図である。
【図４２】図４２は、本発明の第６の実施の形態に係る無線基地局装置を備える通信システムの構成を示す図である。
【図４３】図４３は、本発明の第６の実施の形態に係る無線基地局装置を備える通信システムにおけるセカンダリセルの有効化処理のシーケンスの一例を示す図である。
【図４４】図４４は、本発明の第６の実施の形態に係る通信システムにおける管理装置の構成を示す図である。
【発明を実施するための形態】
【００２６】
最初に、本発明の実施形態の内容を列記して説明する。
【００２７】
（１）上記課題を解決するために、この発明のある局面に係わる設定装置は、通信先切替動作を行なうことにより複数の無線基地局装置と通信可能な無線端末装置、の動作に関する設定を行う設定装置であって、上記無線端末装置は、自己が通信相手として選択している無線基地局装置である選択基地局以外の無線基地局装置である周辺基地局から送信される無線信号であって、上記選択基地局および上記無線端末装置間で使用される上記無線信号の周波数と異なる周波数の無線信号、を測定する異周波測定動作を間欠的に行い、上記設定装置は、上記異周波測定動作が行われる異周波測定期間において上記異なる周波数の無線信号が測定されるタイミングである測定タイミング、上記異周波測定動作が行われる間隔、または上記異周波測定期間における上記異なる周波数の無線信号の測定結果が上記選択基地局に報告されるタイミングである報告タイミングを設定するための異周波測定制御部と、上記異周波測定制御部による上記設定の内容を上記無線端末装置に通知するための設定通知部とを備え、上記異周波測定制御部は、上記周辺基地局ごとまたは上記無線信号の周波数ごとに上記設定を行う。
【００２８】
このような構成により、周辺基地局ごとまたは周辺基地局から送信される無線信号の周波数ごとにタイミングをずらして異周波測定動作を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、無線端末装置による異周波測定動作を適切に行うことができ、通信の安定化を図ることができる。
【００２９】
（２）また、上記異周波測定制御部は、上記測定タイミングの間隔を上記周辺基地局ごとまたは上記無線信号の周波数ごとに設定してもよい。
【００３０】
このように、測定タイミングの間隔を設定する構成により、異周波測定動作のタイミング調整を適切かつ容易に行うことができる。
【００３１】
（３）また、上記異周波測定制御部は、上記周辺基地局と上記選択基地局との距離が遠いほど上記測定タイミングの間隔を短く設定してもよい。
【００３２】
ここで、周辺基地局と選択基地局との距離が遠いほど、通信先切替動作のタイミングが遅すぎることにより無線リンク断が発生する可能性が高い。すなわち、上記のような構成により、無線リンク断が発生する可能性が高い状況であるほど周辺基地局から送信される無線信号を頻繁に測定して、一層通信の安定化を図ることができる。
【００３３】
（４）また、上記異周波測定制御部は、上記選択基地局から送信される上記無線信号の電力が小さいほど上記測定タイミングの間隔を短く設定してもよい。
【００３４】
ここで、選択基地局から送信される無線信号の送信電力が小さいほど選択基地局により形成されるセルの半径が小さいため、周辺基地局は当該セルのエッジ付近または当該セル外に位置する可能性が高く、通信先切替動作のタイミングが遅すぎることによる無線リンク断が発生する可能性が高い。すなわち、上記のような構成により、無線リンク断が発生する可能性が高い状況であるほど周辺基地局から送信される無線信号を頻繁に測定して、一層通信の安定化を図ることができる。
【００３５】
（５）また、上記異周波測定制御部は、上記周辺基地局から送信される上記無線信号の電力が大きいほど上記測定タイミングの間隔を短く設定してもよい。
【００３６】
ここで、周辺基地局から送信される無線信号の送信電力が大きいほど周辺基地局により形成されるセルの半径が大きいため、無線端末装置が当該セル内に入ることにより当該周辺基地局が無線端末装置の通信接続先として選択される可能性が高い。すなわち、上記のような構成により、無線端末装置の通信接続先として選択される可能性が高い周辺基地局から送信される無線信号を優先的に多く測定して、一層通信の安定化を図ることができる。
【００３７】
（６）また、上記異周波測定制御部は、上記周辺基地局から送信される上記無線信号の上記無線端末装置における受信電力が大きいほど上記測定タイミングの間隔を短く設定してもよい。
【００３８】
ここで、周辺基地局から送信される無線信号の無線端末装置における受信電力が大きいほど、当該周辺基地局は無線端末装置の通信接続先として選択される可能性が高い。すなわち、上記のような構成により、無線端末装置の通信接続先として選択される可能性が高い周辺基地局から送信される無線信号を優先的に多く測定して、一層通信の安定化を図ることができる。
【００３９】
（７）また、上記異周波測定制御部は、上記周辺基地局から送信される上記無線信号の周波数が高いほど上記測定タイミングの間隔を短く設定してもよい。
【００４０】
ここで、周辺基地局から送信される無線信号の周波数が高いほど無線信号の減衰が大きく無線端末装置との間の通信品質が悪くなるため、無線端末装置の通信先切替動作のタイミングが遅すぎることによる無線リンク断が発生する可能性が高い。すなわち、上記のような構成により、無線端末装置の通信接続先となる場合に無線リンク断が発生する可能性が高い周辺基地局からの無線信号を優先的に多く測定して、一層通信の安定化を図ることができる。
【００４１】
（８）また、上記異周波測定制御部は、上記周辺基地局から送信される上記無線信号の周波数が低いほど上記測定タイミングの間隔を短く設定してもよい。
【００４２】
このような構成により、送信される無線信号の減衰が小さく、無線端末装置との間の通信品質が良くなる周辺基地局から送信される無線信号を優先的に多く測定して、一層通信の安定化を図ることができる。
【００４３】
（９）また、上記異周波測定制御部は、上記無線端末装置と上記周辺基地局との距離が近いほど上記測定タイミングの間隔を短く設定してもよい。
【００４４】
このような構成により、無線端末装置の通信接続先として選択される可能性が高い周辺基地局からの無線信号を優先的に多く測定して、一層通信の安定化を図ることができる。
【００４５】
（１０）また、上記異周波測定制御部は、上記異周波測定期間における上記異なる周波数の無線信号の測定開始タイミングを上記周辺基地局ごとまたは上記無線信号の周波数ごとに設定してもよい。
【００４６】
このように、測定開始タイミングを設定する構成により、異周波測定動作のタイミング調整を適切かつ容易に行うことができる。
【００４７】
（１１）また、上記異周波測定制御部は、上記周辺基地局と上記選択基地局との距離が近いほど上記異周波測定動作を行う間隔を長く設定してもよい。
【００４８】
ここで、周辺基地局と選択基地局との距離が近いほど、当該周辺基地局は選択基地局により形成されるセル内に位置する可能性が高く、当該セルのセルエッジ付近に位置する周辺基地局と比較して、無線端末装置の通信先切替動作のタイミングが遅すぎることによる無線リンク断が発生する可能性が低い。すなわち、上記のような構成により、無線リンク断が発生する可能性の低い周辺基地局から送信される無線信号の測定の頻度を少なくして、無線端末装置の消費電力を低減させることができる。
【００４９】
（１２）また、上記異周波測定制御部は、上記周辺基地局から送信される上記無線信号の周波数が高いほど上記異周波測定動作を行う間隔を短く設定してもよい。
【００５０】
ここで、周辺基地局から送信される無線信号の周波数が高いほど無線信号の減衰が大きく無線端末装置との間の通信品質が悪くなるため、無線端末装置の通信先切替動作のタイミングが遅すぎることによる無線リンク断が発生する可能性が高い。すなわち、上記のような構成により、無線端末装置の通信接続先となる場合に無線リンク断が発生する可能性の高い周辺基地局からの無線信号を優先的に多く測定して、一層通信の安定化を図ることができる。
【００５１】
（１３）また、上記異周波測定制御部は、上記周辺基地局から送信される上記無線信号の周波数が低いほど上記異周波測定動作を行う間隔を短く設定してもよい。
【００５２】
このような構成により、送信される無線信号の減衰が小さく、無線端末装置との間の通信品質が良くなる周辺基地局から送信される無線信号を優先的に多く測定して、一層通信の安定化を図ることができる。
【００５３】
（１４）また、上記異周波測定制御部は、上記無線端末装置と上記周辺基地局との距離が近いほど上記異周波測定動作を行う間隔を短く設定してもよい。
【００５４】
このような構成により、無線端末装置の通信接続先として選択される可能性が高い周辺基地局からの無線信号を優先的に多く測定して、一層通信の安定化を図ることができる。
【００５５】
（１５）また、上記無線端末装置は、上記異周波測定期間における上記異なる周波数の無線信号の測定結果が所定条件を満たす状態が所定時間継続するたびに、上記測定結果を上記設定装置に報告し、上記異周波測定制御部は、上記所定時間を上記周辺基地局ごとまたは上記無線信号の周波数ごとに設定してもよい。
【００５６】
このような構成により、たとえば、周辺基地局が選択基地局により形成されるセルのセルエッジ付近に位置する状況、すなわち無線端末装置の通信先切替動作が遅すぎることにより無線リンク断が発生する可能性が高い状況においては、上記所定時間を短く設定して通信の安定化を図るとともに、周辺基地局が選択基地局により形成されるセルの中心付近に位置する状況においては上記所定時間を長く設定して精度の高い測定結果を得ることができる。
【００５７】
（１６）また、上記異周波測定制御部は、上記測定タイミングの間隔が長いほど、上記所定時間を長く設定してもよい。
【００５８】
このような構成により、測定タイミングの間隔が長く、所定期間内に行われる測定回数が少ない周辺基地局からの無線信号であっても、測定結果が所定条件を満たす状態が長時間継続するまで無線基地局装置への報告が行われないため、報告される測定結果の精度を確保することができる。
【００５９】
（１７）また、この発明の別の局面に係わる設定装置は、通信先切替動作を行なうことにより複数の無線基地局装置と通信可能な無線端末装置、の動作に関する設定を行う設定装置であって、上記無線端末装置が通信相手として選択している無線基地局装置である選択基地局および上記無線端末装置間で使用される上記無線信号の周波数と同じ周波数の無線信号であって、上記選択基地局以外の無線基地局装置である周辺基地局から送信される無線信号の測定が上記無線端末装置によって行われるタイミングである測定タイミングを設定するための測定制御部と、上記測定制御部による上記設定の内容を上記無線端末装置に通知するための設定通知部とを備え、上記測定制御部は、上記周辺基地局ごとに上記設定を行う。
【００６０】
このような構成により、周辺基地局ごとにタイミングをずらして無線信号の測定を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、周辺基地局から送信される無線信号の測定を適切に行うことができ、通信の安定化を図ることができる。
【００６１】
（１８）また、上記測定制御部は、上記測定タイミングの間隔を上記周辺基地局ごとに設定してもよい。
【００６２】
このように、測定タイミングの間隔を設定する構成により、測定動作のタイミング調整を適切かつ容易に行うことができる。
【００６３】
（１９）また、上記測定制御部は、上記選択基地局と上記周辺基地局との距離が近いほど上記測定タイミングの間隔を短く設定してもよい。
【００６４】
ここで、選択基地局および無線端末装置間で使用される無線信号の周波数と、周辺基地局から送信される無線信号の周波数とが同じである場合であって、周辺基地局と選択基地局との距離が近い場合、周辺基地局および選択基地局の双方から送信される無線信号が干渉することによって、周辺基地局から送信される無線信号の測定を正確に行うことが困難となることがある。すなわち、上記のような構成により、正確な測定を行うことが困難となる可能性の高い周辺基地局からの無線信号を優先的に多く測定して、一層通信の安定化を図ることができる。
【００６５】
（２０）また、上記測定制御部は、上記選択基地局が送信する上記無線信号の電力が大きいほど上記測定タイミングの間隔を短く設定してもよい。
【００６６】
ここで、選択基地局から送信される送信電力が大きい場合、周辺基地局および選択基地局の双方から送信される無線信号が干渉することによって、周辺基地局から送信される無線信号の測定を正確に行うことが困難となることがある。すなわち、上記のような構成により、正確な測定を行うことが困難となる可能性の高い状況であるほど、周辺基地局から送信される無線信号を高い頻度で測定して、一層通信の安定化を図ることができる。
【００６７】
（２１）また、上記測定制御部は、上記周辺基地局から送信される上記無線信号の電力が大きいほど上記測定タイミングの間隔を短く設定してもよい。
【００６８】
ここで、周辺基地局から送信される送信電力が大きい場合、周辺基地局および選択基地局の双方から送信される無線信号が干渉することによって、周辺基地局から送信される無線信号の測定を正確に行うことが困難となることがある。すなわち、上記のような構成により、正確な測定を行うことが困難となる可能性の高い周辺基地局からの無線信号を優先的に多く測定して、一層通信の安定化を図ることができる。
【００６９】
（２２）また、上記測定制御部は、上記周辺基地局から送信される上記無線信号の測定開始タイミングを上記周辺基地局ごとに設定してもよい。
【００７０】
このように、測定開始タイミングを設定する構成により、測定動作のタイミング調整を適切かつ容易に行うことができる。
【００７１】
（２３）上記課題を解決するために、この発明のある局面に係わる通信制御方法は、通信先切替動作を行なうことにより複数の無線基地局装置と通信可能な無線端末装置、の動作に関する設定を行う設定装置における通信制御方法であって、上記無線端末装置は、自己が通信相手として選択している無線基地局装置である選択基地局以外の無線基地局装置である周辺基地局から送信される無線信号であって、上記選択基地局および上記無線端末装置間で使用される上記無線信号の周波数と異なる周波数の無線信号、を測定する異周波測定動作を間欠的に行い、上記異周波測定動作が行われる異周波測定期間において上記異なる周波数の無線信号が測定されるタイミングである測定タイミング、上記異周波測定動作が行われる間隔、または上記異周波測定期間における上記異なる周波数の無線信号の測定結果が上記選択基地局に報告されるタイミングである報告タイミングを、上記周辺基地局ごとまたは上記無線信号の周波数ごとに設定するステップと、設定した内容を上記無線端末装置に通知するステップとを含む。
【００７２】
このような構成により、周辺基地局ごとまたは周辺基地局から送信される無線信号の周波数ごとにタイミングをずらして異周波測定動作を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、無線端末装置による異周波測定動作を適切に行うことができ、通信の安定化を図ることができる。
【００７３】
（２４）また、この発明の別の局面に係わる通信制御方法は、通信先切替動作を行なうことにより複数の無線基地局装置と通信可能な無線端末装置、の動作に関する設定を行う設定装置における通信制御方法であって、上記無線端末装置が通信相手として選択している無線基地局装置である選択基地局および上記無線端末装置間で使用される上記無線信号の周波数と同じ周波数の無線信号であって、上記選択基地局以外の無線基地局装置である周辺基地局から送信される無線信号の測定が上記無線端末装置によって行われるタイミングである測定タイミングを、上記周辺基地局ごとに設定するステップと、設定した内容を上記無線端末装置に通知するステップとを含む。
【００７４】
このような構成により、周辺基地局ごとにタイミングをずらして無線信号の測定を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、周辺基地局から送信される無線信号の測定を適切に行うことができ、通信の安定化を図ることができる。
【００７５】
（２５）上記課題を解決するために、この発明のある局面に係わる通信制御プログラムは、通信先切替動作を行なうことにより複数の無線基地局装置と通信可能な無線端末装置、の動作に関する設定を行う設定装置において用いられる通信制御プログラムであって、上記無線端末装置は、自己が通信相手として選択している無線基地局装置である選択基地局以外の無線基地局装置である周辺基地局から送信される無線信号であって、上記選択基地局および上記無線端末装置間で使用される上記無線信号の周波数と異なる周波数の無線信号、を測定する異周波測定動作を間欠的に行い、コンピュータに、上記異周波測定動作が行われる異周波測定期間において上記異なる周波数の無線信号が測定されるタイミングである測定タイミング、上記異周波測定動作が行われる間隔、または上記異周波測定期間における上記異なる周波数の無線信号の測定結果が上記選択基地局に報告されるタイミングである報告タイミングを、上記周辺基地局ごとまたは上記無線信号の周波数ごとに設定するステップと、設定した内容を上記無線端末装置に通知するステップとを実行させるためのプログラムである。
【００７６】
このような構成により、周辺基地局ごとまたは周辺基地局から送信される無線信号の周波数ごとにタイミングをずらして異周波測定動作を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、無線端末装置による異周波測定動作を適切に行うことができ、通信の安定化を図ることができる。
【００７７】
（２６）また、この発明の別の局面に係わる通信制御プログラムは、通信先切替動作を行なうことにより複数の無線基地局装置と通信可能な無線端末装置、の動作に関する設定を行う設定装置において用いられる通信制御プログラムであって、コンピュータに、上記無線端末装置が通信相手として選択している無線基地局装置である選択基地局および上記無線端末装置間で使用される上記無線信号の周波数と同じ周波数の無線信号であって、上記選択基地局以外の無線基地局装置である周辺基地局から送信される無線信号の測定が上記無線端末装置によって行われるタイミングである測定タイミングを、上記周辺基地局ごとに設定するステップと、設定した内容を上記無線端末装置に通知するステップとを実行させるためのプログラムである。
【００７８】
このような構成により、周辺基地局ごとにタイミングをずらして無線信号の測定を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、周辺基地局から送信される無線信号の測定を適切に行うことができ、通信の安定化を図ることができる。
【００７９】
（２７）また、この発明の別の局面に係わる無線基地局装置は、無線端末装置の動作に関する設定を行う設定装置であって、上記無線端末装置は、プライマリセルを形成するプライマリ基地局との無線信号の送受信、および、セカンダリセルを形成するセカンダリ基地局との無線信号の送受信を並行して行うことが可能であり、上記無線端末装置および上記プライマリ基地局間で使用される上記無線信号の周波数と、上記無線端末装置および上記セカンダリ基地局間で使用される上記無線信号の周波数とは異なり、上記無線端末装置は、上記セカンダリ基地局から送信される上記無線信号の測定を行うセカンダリ測定動作を行い、上記設定装置は、上記プライマリ基地局、上記セカンダリ基地局および上記無線端末装置のうち少なくとも１つに関する情報に基づいて、上記無線端末装置によって上記セカンダリ測定動作が行われるタイミングであるセカンダリ測定タイミングの設定を行うためのセカンダリ測定制御部と、上記セカンダリ測定制御部による上記設定の内容を上記無線端末装置に通知するための設定通知部とを備える。
【００８０】
このような構成により、たとえば、無線端末装置およびプライマリ基地局間の通信品質が悪く、無線端末装置の通信接続先となるセカンダリ基地局の選択を早期に行う必要がある状況において、所定期間内の測定が頻繁に行われるようにセカンダリ測定タイミングの間隔を設定するなど、状況に応じた適切なタイミングでセカンダリ測定動作を行うことができるため、通信の安定化を図ることができる。
【００８１】
また、上記のような構成により、無線端末装置およびプライマリ基地局間の通信品質が良い場合などは測定の頻度を少なくすることによって、セカンダリ測定動作のための無線端末装置の消費電力を低減させることができる。
【００８２】
（２８）また、上記セカンダリ測定制御部は、上記セカンダリ基地局ごとに上記設定を行ってもよい。
【００８３】
このような構成により、セカンダリ基地局ごとにタイミングをずらしてセカンダリ測定動作を行うことができるため、並行して測定することのできる測定対象の数に限りがあっても、所定期間内に測定することのできる測定対象の数を従来よりも増やすことができる。このため、セカンダリ基地局が多数存在する場合であっても測定に時間がかかることを防ぎ、無線端末装置によるセカンダリ測定動作を適切に行うことができ、通信の安定化を図ることができる。
【００８４】
（２９）また、上記セカンダリ測定制御部は、上記無線端末装置と上記セカンダリ基地局との距離が遠いほど上記セカンダリ測定タイミングの間隔を長く設定してもよい。
【００８５】
ここで、無線端末装置とセカンダリ基地局との距離が遠いほど、無線端末装置および当該セカンダリ基地局間の通信品質が悪い可能性が高い。すなわち、上記のような構成により、無線端末装置の通信接続先となる可能性が低いセカンダリ基地局からの無線信号の測定を行う頻度を少なくすることができるため、無線端末装置の消費電力を低減させることができる。
【００８６】
（３０）また、上記セカンダリ測定制御部は、上記セカンダリ基地局から送信される上記無線信号の周波数が高いほど上記セカンダリ測定タイミングの間隔を短く設定してもよい。
【００８７】
ここで、セカンダリ基地局から送信される無線信号の周波数が高い場合、当該無線信号の減衰が大きく無線端末装置との間の通信品質が悪くなるため、当該セカンダリ基地局を通信接続先とする無線端末装置の数は比較的少ないことが考えられる。このため、無線端末装置の通信接続先として当該セカンダリ基地局が選択された場合、無線端末装置および当該セカンダリ基地局間の通信速度の設定値を大きくすることができる可能性が高い。すなわち、上記のような構成により、無線端末装置の通信接続先として選択されることが好ましいセカンダリ基地局からの無線信号の測定を優先的に多く行うことができるため、一層通信の安定化を図ることができる。
【００８８】
（３１）また、上記セカンダリ測定制御部は、上記セカンダリ基地局から送信される上記無線信号の周波数が低いほど上記セカンダリ測定タイミングの間隔を短く設定してもよい。
【００８９】
ここで、セカンダリ基地局から送信される無線信号の周波数が低い場合、当該無線信号の減衰が小さく無線端末装置との間の通信品質が良くなる。すなわち、上記のような構成により、無線端末装置の通信接続先として選択されることが好ましいセカンダリ基地局からの無線信号の測定を高い頻度で行うことができるため、一層通信の安定化を図ることができる。
【００９０】
（３２）また、上記セカンダリ測定制御部は、上記無線端末装置と上記プライマリ基地局との距離が遠いほど上記セカンダリ測定タイミングの間隔を短く設定してもよい。
【００９１】
ここで、無線端末装置とプライマリ基地局との距離が遠いほど、無線端末装置はプライマリセルのセルエッジ付近に位置している可能性が高く、無線端末装置およびプライマリ基地局間の通信品質が悪い可能性が高い。すなわち、上記のような構成により、無線端末装置の通信接続先となるセカンダリ基地局の選択を早期に行う必要性が高い状況であるほど、セカンダリ基地局から送信される無線信号の測定を高い頻度で行い、一層通信の安定化を図ることができる。
【００９２】
（３３）また、上記セカンダリ測定制御部は、上記プライマリ基地局から送信される上記無線信号の上記無線端末装置における受信電力が小さいほど上記セカンダリ測定タイミングの間隔を短く設定してもよい。
【００９３】
ここで、プライマリ基地局から送信される無線信号の無線端末装置における受信電力が小さいほど、無線端末装置およびプライマリ基地局間の通信品質が悪い可能性が高い。すなわち、上記のような構成により、無線端末装置の通信接続先となるセカンダリ基地局の選択を早期に行う必要性が高い状況であるほど、セカンダリ基地局から送信される無線信号の測定を高い頻度で行うことができるため、一層通信の安定化を図ることができる。
【００９４】
（３４）また、この発明の別の局面に係わる通信制御方法は、無線端末装置の動作に関する設定を行う設定装置における通信制御方法であって、上記無線端末装置は、プライマリセルを形成するプライマリ基地局との無線信号の送受信、および、セカンダリセルを形成するセカンダリ基地局との無線信号の送受信を並行して行うことが可能であり、上記無線端末装置および上記プライマリ基地局間で使用される上記無線信号の周波数と、上記無線端末装置および上記セカンダリ基地局間で使用される上記無線信号の周波数とは異なり、上記無線端末装置は、上記セカンダリ基地局から送信される上記無線信号の測定を行うセカンダリ測定動作を行い、上記通信制御方法は、上記無線端末装置によって上記セカンダリ測定動作が行われるタイミングであるセカンダリ測定タイミングの設定を行うステップと、上記設定の内容を上記無線端末装置に通知するステップとを含む。
【００９５】
このような構成により、たとえば、無線端末装置およびプライマリ基地局間の通信品質が悪く、無線端末装置の通信接続先となるセカンダリ基地局の選択を早期に行う必要がある状況において、所定期間内の測定が頻繁に行われるようにセカンダリ測定タイミングの間隔を設定するなど、状況に応じた適切なタイミングでセカンダリ測定動作を行うことができるため、通信の安定化を図ることができる。
【００９６】
また、上記のような構成により、無線端末装置およびプライマリ基地局間の通信品質が良い場合などは測定の頻度を少なくすることによって、セカンダリ測定動作のための無線端末装置の消費電力を低減させることができる。
【００９７】
（３５）また、この発明の別の局面に係わる通信制御プログラムは、無線端末装置の動作に関する設定を行う設定装置において用いられる通信制御プログラムであって、上記無線端末装置は、プライマリセルを形成するプライマリ基地局との無線信号の送受信、および、セカンダリセルを形成するセカンダリ基地局との無線信号の送受信を並行して行うことが可能であり、上記無線端末装置および上記プライマリ基地局間で使用される上記無線信号の周波数と、上記無線端末装置および上記セカンダリ基地局間で使用される上記無線信号の周波数とは異なり、上記無線端末装置は、上記セカンダリ基地局から送信される上記無線信号の測定を行うセカンダリ測定動作を行い、上記通信制御プログラムは、コンピュータに、上記無線端末装置によって上記セカンダリ測定動作が行われるタイミングであるセカンダリ測定タイミングの設定を行うステップと、上記設定の内容を上記無線端末装置に通知するステップとを実行させるためのプログラムである。
【００９８】
このような構成により、たとえば、無線端末装置およびプライマリ基地局間の通信品質が悪く、無線端末装置の通信接続先となるセカンダリ基地局の選択を早期に行う必要がある状況において、所定期間内の測定が頻繁に行われるようにセカンダリ測定タイミングの間隔を設定するなど、状況に応じた適切なタイミングでセカンダリ測定動作を行うことができるため、通信の安定化を図ることができる。
【００９９】
また、上記のような構成により、無線端末装置およびプライマリ基地局間の通信品質が良い場合などは測定の頻度を少なくすることによって、セカンダリ測定動作のための無線端末装置の消費電力を低減させることができる。
【０１００】
以下、本発明の実施の形態について図面を用いて説明する。なお、図中同一または相当部分には同一符号を付してその説明は繰り返さない。
【０１０１】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【０１０２】
たとえば、無線端末装置が無線基地局装置と通４９信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【０１０３】
また、ハンドオーバとは、通話中またはデータ通信中の無線端末装置の通信相手となる無線基地局装置が切り替えられることを意味する。
【０１０４】
また、無線端末装置がセルに在圏している、とは、無線端末装置が、当該セルを形成する無線基地局装置を通信先すなわち通信接続先として選択し、かつ当該無線基地局装置と通信可能な状態または通信中である状態を意味する。
【０１０５】
フェムトセルおよびアクセスモードは、３ＧＰＰ（Third  Generation  Partnership  Project）ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０１０６】
また、フェムトセルのアクセスモードにおいて、クローズドアクセスモードのフェムト基地局は、関連するＣＳＧ（Closed  Subscriber  Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０１０７】
本発明の実施の形態に係る通信システムにおいても、このような３ＧＰＰの定義を適用してもよい。
【０１０８】
また、上記定義と合わせて、あるいは別個に、以下のような定義を適用することも可能である。
【０１０９】
マクロ基地局およびピコ基地局は、事業者の管理下にあり、事業者と契約している無線端末装置が通信可能な無線基地局装置である。また、マクロ基地局およびピコ基地局は、基本的に電源がオフになることはないと考えられる。
【０１１０】
また、フェムト基地局は、主に個人または法人の建物内に設置され、ユーザの事情により移動するまたは電源がオフとなる可能性がある無線基地局装置である。
【０１１１】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【０１１２】
＜第１の実施の形態＞
［構成および基本動作］
図１は、本発明の第１の実施の形態に係る無線基地局装置を備える通信システムの構成を示す図である。
【０１１３】
図１を参照して、通信システム４０１は、たとえば３ＧＰＰで規格化されたＬＴＥ（Long  Term  Evolution）に従う移動体通信システムであり、無線基地局装置（設定装置）１０１Ａ，１０１Ｂを備える。無線基地局装置１０１Ａは、たとえばマクロ基地局であり、無線基地局装置１０１Ｂは、たとえばフェムト基地局またはピコ基地局である。無線基地局装置１０１Ａ，１０１Ｂは、無線端末装置２０２の動作、すなわちハンドオーバ動作に関する設定を行う。
【０１１４】
無線基地局装置１０１Ａは、セルＣＡを形成し、セルＣＡ内に存在する無線端末装置２０２と周波数ｆ１の無線信号を送受信することにより、無線端末装置２０２と通信することが可能である。無線基地局装置１０１Ｂは、セルＣＢを形成し、セルＣＢ内に存在する無線端末装置２０２と周波数ｆ２または周波数ｆ３の無線信号を送受信することにより、無線端末装置２０２と通信することが可能である。
【０１１５】
無線基地局装置１０１Ａ，１０１Ｂおよび無線端末装置２０２は、以下のシーケンスおよび各フローチャートの各ステップを含むプログラムを図示しないメモリから読み出して実行する。このプログラムは、外部からインストールすることができる。このインストールされるプログラムは、たとえば記録媒体に格納された状態で流通する。
【０１１６】
図２は、本発明の第１の実施の形態に係る無線基地局装置を備える通信システムにおけるハンドオーバ動作のシーケンスの一例を示す図である。
【０１１７】
ここでは、図１に示すように、無線端末装置２０２がセルＣＡ内に位置し、無線基地局装置１０１Ａと通信中である状態から、無線端末装置２０２がセルＣＢに接近する方向に移動する場合を想定する。以下、無線基地局装置１０１Ａをサービング基地局（選択基地局）１０１Ａとも称し、無線基地局装置１０１Ｂを周辺基地局１０１Ｂとも称する。また、サービング基地局１０１Ａにより形成されるセルをサービングセルＣＡとも称し、周辺基地局１０１Ｂにより形成されるセルを周辺セルＣＢとも称する。
【０１１８】
図２を参照して、まず、無線基地局装置１０１Ａは、自己と通信中の無線端末装置２０２における無線信号の受信能力の問合せを無線端末装置２０２へ送信する。
【０１１９】
ここで、無線端末装置２０２は、自己と通信中であるサービング基地局１０１ＡからサービングセルＣＡおよび周辺セルＣＢの情報などを取得する。そして、無線端末装置２０２は、取得した情報に基づいて、サービング基地局１０１Ａから送信される無線信号および周辺基地局１０１Ｂから送信される無線信号の受信電力を測定する。
【０１２０】
このとき、上述のように、サービング基地局１０１Ａと無線端末装置２０２との間で周波数ｆ１の無線信号が使用され、周辺基地局１０１Ｂから周波数ｆ２または周波数ｆ３の無線信号が送信されるため、無線端末装置２０２は、サービング基地局１０１Ａとの間の無線信号の送受信と、周辺基地局１０１Ｂから送信される無線信号の受信とを並行して行うことができない。このため、無線端末装置２０２は、たとえば、受信対象となる無線信号の周波数を順次切り替えて、無線信号の受信を行う必要がある。
【０１２１】
一方、無線端末装置２０２が、複数の送受信部を含む場合があり、このような場合には、複数の送受信部が、サービング基地局１０１Ａとの間における周波数ｆ１の無線信号の送受信と、周辺基地局１０１Ｂから送信される周波数ｆ２，ｆ３の無線信号の受信とを分担して行うことにより、無線端末装置２０２は、これらの動作を並行して行うことができる。
【０１２２】
すなわち、無線基地局装置１０１Ａは、無線端末装置２０２が、サービング基地局１０１Ａとの間における周波数ｆ１の無線信号の送受信と、周辺基地局１０１Ｂから送信される周波数ｆ２，ｆ３の無線信号の受信とを並行して行うことができるか否かを当該無線端末装置２０２に対して問い合わせる（端末能力問合せ）（ステップＳ１１）。
【０１２３】
次に、無線端末装置２０２は、無線基地局装置１０１Ａから端末能力問合せを受信して、自己の受信能力すなわちサービング基地局１０１Ａとの間における周波数ｆ１の無線信号の送受信と、周辺基地局１０１Ｂから送信される周波数ｆ２，ｆ３の無線信号の受信とを並行して行うことができるか否かを示す端末能力応答を無線基地局装置１０１Ａへ送信する（ステップＳ１２）。
【０１２４】
次に、無線基地局装置１０１Ａは、無線端末装置２０２から端末能力応答を受信して、受信した端末能力応答に応じて無線端末装置２０２による受信電力の測定における異周波測定動作の間隔（Gap  Repetition  Length）および異周波測定動作を行う異周波測定期間の長さ（Gap  Length）等の測定パラメータの設定を行う。なお、異周波測定動作とは、無線端末装置２０２により行われる周辺基地局からの無線信号の測定動作であって、サービング基地局と無線端末装置２０２との間で使用される周波数とは異なる周波数の無線信号を間欠的に測定する動作である。
【０１２５】
より詳細には、図３を用いて説明する。図３は、無線端末装置によるサービング基地局との間の通信期間と、周辺基地局から送信される無線信号の測定を行う異周波測定期間との関係を説明する図である。
【０１２６】
図３を参照して、たとえば、無線端末装置２０２が１つの送受信部のみを含む場合には、無線端末装置２０２は、サービング基地局１０１Ａとの間における周波数ｆ１の無線信号の送受信と、周辺基地局１０１Ｂから送信される周波数ｆ２，ｆ３の無線信号の受信とを並行して行うことができない。この場合、無線端末装置２０２は、サービング基地局１０１Ａとの間の通信を行わない期間すなわち異周波測定動作期間を設け、当該期間に周辺基地局１０１Ｂから送信される周波数ｆ２，ｆ３の無線信号を受信し、受信電力の測定を行う。
【０１２７】
再び図２を参照して、無線基地局装置１０１Ａは、無線端末装置２０２から、サービング基地局１０１Ａとの間における周波数ｆ１の無線信号の送受信と、周辺基地局１０１Ｂから送信される周波数ｆ２，ｆ３の無線信号の受信とを並行して行うことができないことを示す端末能力応答を受信した場合、たとえば、異周波測定動作の間隔を８０ｍｓ、異周波測定期間の長さを６ｍｓと設定する。
【０１２８】
一方、無線基地局装置１０１Ａは、無線端末装置２０２から、サービング基地局１０１Ａとの間における周波数ｆ１の無線信号の送受信と、周辺基地局１０１Ｂから送信される周波数ｆ２，ｆ３の無線信号の受信とを並行して行うことができることを示す端末能力応答を受信した場合、たとえば、異周波測定期間の長さを０ｍｓと設定することも可能である（ステップＳ１３）。
【０１２９】
次に、無線基地局装置１０１Ａは、無線端末装置２０２へＲＲＣ（Radio  Resource  Control）コネクション再構成指示（RRC  Connection  Reconfiguration）を送信する。このＲＲＣコネクション再構成指示に、ステップＳ１３において設定した設定内容、および、周辺セルのセルＩＤが含まれる（ステップＳ１４）。
【０１３０】
次に、無線端末装置２０２は、ＲＲＣコネクション再構成指示を受信して、このＲＲＣコネクション再構成指示に含まれる設定内容に従って異周波測定動作を行う。そして、無線端末装置２０２は、異周波測定動作により得られた測定結果を示す測定結果通知（Measurement  Report）を無線基地局装置１０１Ａへ送信する（ステップＳ１５）。
【０１３１】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、当該無線端末装置２０２の通信先切替動作、すなわちハンドオーバ動作を実行すべきか否かを判断し、ハンドオーバ動作を実行すべきであると判断すると、周辺セル情報を参照して、たとえば無線基地局装置１０１Ｂをハンドオーバ先の無線基地局装置として決定する（ステップＳ１６）。
【０１３２】
次に、無線基地局装置１０１Ａは、ハンドオーバ先の無線基地局装置１０１Ｂを示すハンドオーバ要求を無線基地局装置１０１Ｂへ送信する（ステップＳ１７）。
【０１３３】
次に、無線基地局装置１０１Ｂは、無線基地局装置１０１Ａからハンドオーバ要求を受信して、無線基地局装置１０１Ａへ当該ハンドオーバ要求に対するハンドオーバ応答を送信する（ステップＳ１８）。
【０１３４】
次に、無線基地局装置１０１Ａは、無線基地局装置１０１Ｂからハンドオーバ応答を受信して、無線端末装置２０２へＲＲＣコネクション再構成指示を送信する（ステップＳ１９）。
【０１３５】
次に、無線基地局装置１０１Ａは、無線基地局装置１０１Ｂへ自己の通信状態等を示す状態通知を送信する（ステップＳ２０）。
【０１３６】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC  Connection  Reconfiguration  Complete）を送信する（ステップＳ２１）。
【０１３７】
次に、無線基地局装置１０１Ｂは、無線端末装置２０２からＲＲＣコネクション再構成完了通知を受信して、無線基地局装置１０１Ａへハンドオーバ完了通知を送信する（ステップＳ２２）。そして、無線端末装置２０２の移動に伴って、上述した動作が繰り返される。
【０１３８】
［異周波測定動作における課題］
ここで、上記のように、サービング基地局と無線端末装置２０２との間で使用される無線信号の周波数と、サービング基地局以外の無線基地局装置である周辺基地局から送信される無線信号の周波数とが異なる場合、無線端末装置２０２は、異周波測定期間を設けてこの異周波測定期間に周辺基地局から送信される無線信号の測定を間欠的に行い、サービング基地局に測定結果を送信する。
【０１３９】
また、近年の小型基地局の設置数の増加に伴い、無線端末装置２０２による上記異周波測定動作の測定対象が増加する。
【０１４０】
しかしながら、異周波測定動作期間では無線端末装置２０２はサービング基地局との間で通信を行うことができず、当該異周波測定動作期間は所定の期間に限られる。さらに、上記測定の精度を確保するため、無線端末装置２０２が並行して測定することのできる周辺基地局の数には限りがあり、たとえばＬＴＥでは最低限４つの周辺基地局を測定対象とすることが要求されている。
【０１４１】
このため、フェムト基地局またはピコ基地局などの周辺基地局が多数存在する場合には、周辺基地局すべてに対する無線端末装置２０２による上記測定に時間がかかり、無線端末装置２０２のハンドオーバ動作のタイミングが遅れるなどの不適切なハンドオーバ動作が行われる可能性がある。
【０１４２】
［本発明の第１の実施の形態に係る無線基地局装置の構成］
図４は、本発明の第１の実施の形態に係る無線基地局装置の構成を示す図である。
【０１４３】
図４を参照して、無線基地局装置１０１Ａ，１０１Ｂは、アンテナ９１と、サーキュレータ９２と、無線受信部９３と、無線送信部９４と、信号処理部９５と、制御部９８とを含む。信号処理部９５は、受信信号処理部９６と、送信信号処理部９７とを有する。信号処理部９５および制御部９８は、ＣＰＵ（Central  Processing  Unit）またはＤＳＰ（Digital  Signal  Processor）等によって実現される。
【０１４４】
サーキュレータ９２は、アンテナ９１において受信された無線端末装置２０２からの無線信号を無線受信部９３へ出力し、また、無線送信部９４から受けた無線信号をアンテナ９１へ出力する。
【０１４５】
無線受信部９３は、サーキュレータ９２から受けた無線信号をベースバンド信号またはＩＦ（Intermediate  Frequency）信号に周波数変換し、この周波数変換した信号をデジタル信号に変換して受信信号処理部９６へ出力する。
【０１４６】
受信信号処理部９６は、無線受信部９３から受けたデジタル信号に対してＣＤＭＡ（Code  Division  Multiple  Access）方式における逆拡散等の信号処理を行ない、この信号処理後のデジタル信号の一部または全部を所定のフレームフォーマットに変換してコアネットワーク側へ送信する。
【０１４７】
送信信号処理部９７は、コアネットワーク側から受信した通信データを所定のフレームフォーマットに変換した通信データまたは自ら生成した通信データに対してＯＦＤＭ（Orthogonal  Frequency  Division  Multiplex）方式におけるＩＦＦＴ（Inverse  Fast  Fourier  Transform）等の信号処理を行ない、この信号処理後のデジタル信号を無線送信部９４へ出力する。
【０１４８】
無線送信部９４は、送信信号処理部９７から受けたデジタル信号をアナログ信号に変換し、変換したアナログ信号を無線信号に周波数変換してサーキュレータ９２へ出力する。
【０１４９】
制御部９８は、自己の無線基地局装置１０１Ａ，１０１Ｂにおける各ユニットおよびコアネットワークとの間で各種情報をやり取りする。
【０１５０】
図５は、本発明の第１の実施の形態に係る無線基地局装置における制御部の構成を示す図である。
【０１５１】
図５を参照して、制御部９８は、ハンドオーバ要求部１１と、ハンドオーバ指示部１２と、端末測定結果取得部１５と、異周波測定制御部１６と、設定通知部１７とを有する。
【０１５２】
端末測定結果取得部１５は、無線端末装置２０２からの測定結果通知を取得し、取得した測定結果通知から自己の無線基地局装置１０１Ａ，１０１Ｂおよび無線端末装置２０２間の通信品質を求め、当該通信品質をハンドオーバ要求部１１およびハンドオーバ指示部１２に通知する。
【０１５３】
ハンドオーバ要求部１１は、自己の無線基地局装置１０１Ａ，１０１Ｂから他の無線基地局装置への無線端末装置２０２のハンドオーバ動作を行なう要求を他の無線基地局装置に対して行なう、すなわちハンドオーバ要求を他の無線基地局装置へ送信する。たとえば、ハンドオーバ要求部１１は、自己の無線基地局装置１０１Ａ，１０１Ｂおよび無線端末装置２０２間の通信品質に関する所定条件が満たされる場合に、上記要求を他の無線基地局装置に対して行なう。
【０１５４】
ハンドオーバ指示部１２は、上記要求に対する他の無線基地局装置からの応答を受けて、無線端末装置２０２に対して自己の無線基地局装置１０１Ａ，１０１Ｂから他の無線基地局装置へのハンドオーバ動作を行なう指示を与える、すなわちＲＲＣコネクション再構成指示を無線端末装置２０２へ送信する。
【０１５５】
異周波測定制御部１６は、無線端末装置２０２に対して端末能力問合せを行う。また、異周波測定制御部１６は、無線端末装置２０２から受信した端末能力応答に基づいて、無線端末装置２０２による異周波測定期間における無線信号の測定タイミング、異周波測定動作が行われる間隔（Gap  Repetition  Length）、または、異周波測定期間における無線信号の測定結果がサービング基地局に報告される報告タイミングなどの設定を周辺基地局ごとまたは無線信号の周波数ごとに行う。
【０１５６】
なお、測定タイミングの設定とは、たとえば、測定処理のパラメータとして、測定タイミングの間隔を設定すること、または、測定開始タイミングとしてオフセットＯＳＴ（Cell  Individual  Offset）を設定することを意味する。
【０１５７】
また、報告タイミングの設定とは、たとえば、無線信号の測定結果が所定条件を満たす状態が所定時間継続するたびに上記測定結果がサービング基地局へ報告すなわち送信される場合において、上記所定時間（ＴＴＴ：Time  to  Trigger）を設定することを意味する。
【０１５８】
設定通知部１７は、異周波測定制御部１６により設定された設定内容を取得して、当該設定内容を無線端末装置２０２へ送信する。
【０１５９】
なお、図５におけるハンドオーバ要求部１１、ハンドオーバ指示部１２および端末測定結果取得部１５は、本発明において必須の構成要素ではない。無線基地局装置１０１Ａ，１０１Ｂは、これらの構成要素を備えなくても、周辺基地局から送信される無線信号の測定において、無線端末装置２０２における周辺基地局からの無線信号の測定動作を適切に行い、通信の安定化を図るという本発明の目的を達成することが可能である。
【０１６０】
［異周波測定制御部による設定動作］
次に、無線基地局装置１０１Ａの異周波測定制御部１６による設定動作の流れについて、「測定タイミングの設定動作」、「異周波測定動作を行う間隔の設定動作」、および「報告タイミングの設定動作」に分けて説明する。
【０１６１】
（１）測定タイミングの設定動作
（ｉ）測定タイミングの間隔
図６は、本発明の第１の実施の形態に係る無線基地局装置の異周波測定制御部による測定タイミングの間隔の設定動作の流れを説明するフローチャートである。
【０１６２】
図６を参照して、まず、本発明の第１の実施の形態に係る無線基地局装置であるサービング基地局１０１Ａは、無線端末装置２０２の周辺基地局１０１Ｂを特定する。具体的には、サービング基地局１０１Ａは、無線端末装置２０２の位置を推定し、推定した無線端末装置２０２の位置に基づいて当該無線端末装置２０２の周囲に存在する１または複数の無線基地局装置を周辺基地局１０１Ｂとして特定する。
【０１６３】
たとえば、サービング基地局１０１Ａは、ＧＰＳ（Global  Positioning  System）を利用することが可能である。あるいは、サービング基地局１０１Ａは、３ＧＰＰで規定されたＬＰＰ（LTE  Positioning  Protocol）を利用することが可能である。すなわち、ダウンリンクＬＰＰにおいて、まず、３つ以上の無線基地局装置がＬＰＰ専用の信号を送信する。次に、無線端末装置２０２において各無線基地局装置からの当該信号の受信タイミングの差を算出し、サービング基地局１０１Ａに算出結果を通知する。次に、サービング基地局１０１Ａは、通知された受信タイミングの差に基づいて無線端末装置２０２の位置を推定する。
【０１６４】
また、無線端末装置２０２の位置の推定としては、次のような方法を用いてもよい。すなわち、アップリンクＬＰＰにおいて、まず、無線端末装置２０２がＬＰＰ専用の信号を送信する。次に、各無線基地局装置が当該信号の受信タイミングを算出する。次に、各無線基地局装置の上位装置が、各無線基地局装置において算出された受信タイミングを取得し、これらのタイミング差に基づいて無線端末装置２０２の位置を推定する。
【０１６５】
そして、サービング基地局１０１Ａは、上記のような方法を用いて無線端末装置２０２の位置を推定し、推定した無線端末装置２０２の位置情報と、予め記憶する複数の無線基地局装置の位置情報とに基づいて無線端末装置２０２の周辺基地局１０１Ｂを特定する（ステップＳ３１）。
【０１６６】
次に、サービング基地局１０１Ａの異周波測定制御部１６は、無線端末装置２０２へ端末能力問合せを送信し、無線端末装置２０２から端末能力問合せに対する端末能力応答を受信する。
【０１６７】
ここでは、異周波測定制御部１６は、無線端末装置２０２がサービング基地局１０１Ａおよび無線端末装置２０２間で使用される周波数ｆ１の無線信号の送受信と、周辺基地局１０１Ｂから送信される周波数ｆ２，ｆ３の無線信号の受信とを並行して行うことができないことを示す端末能力応答を、無線端末装置２０２から受信するものとする。
【０１６８】
次に、サービング基地局１０１Ａの異周波測定制御部１６は、予め記憶する複数の無線基地局装置の位置情報に基づいて、自己のサービング基地局１０１Ａと周辺基地局１０１Ｂとして特定した無線基地局装置との距離を取得する（ステップＳ３２）。
【０１６９】
なお、異周波測定制御部１６は、他の方法を用いることにより自己のサービング基地局１０１Ａと周辺基地局１０１Ｂとの距離を取得することも可能である。たとえば、異周波測定制御部１６は、他の無線基地局装置が送信する無線信号の電力と、他の無線基地局装置が送信する無線信号の、自己の無線基地局装置の形成するセルにおける受信電力との差である下りパスロスに基づいて、自己の無線基地局装置と他の無線基地局装置との基地局間距離Ｒを推定する。
【０１７０】
次に、サービング基地局１０１Ａの異周波測定制御部１６は、サービング基地局１０１Ａから送信される無線信号の電力に関する情報、および、特定した周辺基地局１０１Ｂから送信される無線信号の電力に関する情報を取得する（ステップＳ３３）。
【０１７１】
たとえば、異周波測定制御部１６は、他の無線基地局装置が送信する無線信号の電力と、他の無線基地局装置が送信する無線信号の、自己のサービング基地局１０１Ａの形成するサービングセルＣＡにおける受信電力との差である下りパスロスの時間的な変化に基づいて、自己のサービング基地局１０１Ａから送信される無線信号の電力に関する情報、および、特定した周辺基地局１０１Ｂから送信される無線信号の電力に関する情報を取得することができる。
【０１７２】
あるいは、異周波測定制御部１６は、サービングセルＣＡに在圏する無線端末装置２０２が送信する無線信号の電力と、サービング基地局１０１Ａにおける無線信号の受信電力との差である上りパスロスの時間的な変化に基づいて、サービング基地局１０１Ａから送信される無線信号の電力に関する情報、および、特定した周辺基地局１０１Ｂから送信される無線信号の電力に関する情報を取得することができる。
【０１７３】
次に、サービング基地局１０１Ａの異周波測定制御部１６は、ステップＳ３２において取得したサービング基地局１０１Ａと周辺基地局１０１Ｂとの距離、ステップＳ３３において取得したサービング基地局１０１Ａから送信される無線信号の電力に関する情報および特定した周辺基地局１０１Ｂから送信される無線信号の電力に関する情報に基づいて、異周波測定期間における無線信号の測定タイミングの間隔を設定する（ステップＳ３４）。
【０１７４】
たとえば、異周波測定制御部１６は、自己のサービング基地局１０１Ａと周辺基地局１０１Ｂとの距離が遠いほど測定タイミングの間隔を短く設定する。
【０１７５】
図７は、図６に示す測定タイミングの設定動作により設定された測定タイミングの間隔を示す図である。
【０１７６】
図７を参照して、通信システム４０１に、サービング基地局１０１Ａにより形成されるサービングセルＣＡ内に位置する無線基地局装置１０１Ｂａと、サービングセルＣＡのエッジ付近に位置する無線基地局装置１０１Ｂｂとが設けられている状況を想定する。サービング基地局１０１Ａの異周波測定制御部１６は、たとえば、無線基地局装置１０１Ｂａからの無線信号の測定タイミングの間隔を間隔ｔ１と設定し、無線基地局装置１０１Ｂｂからの無線信号の測定タイミングの間隔を間隔ｔ２（＜ｔ１）と設定する。
【０１７７】
なお、上述のように、測定の精度を確保するため、無線端末装置２０２が並行して測定することのできる周辺基地局の数には限りがある。このため、たとえば図５に示す状況においては、無線基地局装置１０１Ｂａからの無線信号の測定タイミングと無線基地局装置１０１Ｂｂからの無線信号の測定タイミングとは異なるタイミングで行われることが好ましい。このため、無線基地局装置１０１Ｂａに対して設定される測定タイミングの間隔と、無線基地局装置１０１Ｂｂに対して設定される測定タイミングの間隔とはいずれも素数であることが好ましい。
【０１７８】
次に、サービング基地局１０１Ａの設定通知部１７は、ステップＳ３４において異周波測定制御部１６により設定された測定タイミングの間隔を示す情報を無線端末装置２０２へ送信する。これにより、無線端末装置２０２は、サービング基地局１０１Ａから送信された情報の示す設定内容に基づいて異周波測定動作を行う（ステップＳ３５）。
【０１７９】
より詳細には、ステップＳ３１において無線端末装置２０２の周辺基地局として無線基地局装置１０１Ｂａ，１０１Ｂｂが特定された場合、無線端末装置２０２は、異周波測定期間において、無線基地局装置１０１Ｂａ，１０１Ｂｂから送信される無線信号について異周波測定動作を行う。
【０１８０】
このとき、図７に示すように、無線基地局装置１０１Ｂａからの無線信号の測定タイミングの間隔が間隔ｔ１と設定され、無線基地局装置１０１Ｂｂからの無線信号の測定タイミングの間隔が間隔ｔ２（＜ｔ１）と設定されていることから、無線基地局装置１０１Ｂａの無線信号よりも、無線端末装置２０２による異周波測定期間において無線基地局装置１０１Ｂｂの無線信号の方が多くの回数測定が行われる。
【０１８１】
なお、サービング基地局１０１Ａの異周波測定制御部１６は、たとえば、サービング基地局１０１Ａから送信される無線信号の電力が小さいほど測定タイミングの間隔を短く設定してもよい。また、たとえば、サービング基地局１０１Ａの異周波測定制御部１６は、周辺基地局１０１Ｂから送信される無線信号の電力が大きいほど測定タイミングの間隔を短く設定してもよい。
【０１８２】
さらに、サービング基地局１０１Ａの異周波測定制御部１６は、サービング基地局１０１Ａと周辺基地局１０１Ｂとの距離、自己のサービング基地局１０１Ａから送信される無線信号の電力および周辺基地局１０１Ｂから送信される無線信号の電力を総合的に判断することによって測定タイミングの間隔を設定してもよい。たとえば、サービング基地局１０１Ａの異周波測定制御部１６は、｛（サービング基地局１０１Ａと周辺基地局１０１Ｂとの距離）×（周辺基地局１０１Ｂの送信電力）／（サービング基地局１０１Ａの送信電力）｝の値が小さいほど測定タイミングの間隔を長く設定することができる。
【０１８３】
（ｉｉ）測定開始タイミング
図８は、本発明の第１の実施の形態に係る無線基地局装置の異周波測定制御部による測定開始タイミングの設定動作の流れを説明するフローチャートであり、図９は、図８に示す測定開始タイミングの設定動作により設定された測定開始タイミングを示す図である。
【０１８４】
図８を参照して、まず、サービング基地局１０１Ａの異周波測定制御部１６は、上述したステップＳ３１と同様に、無線端末装置２０２の周辺基地局１０１Ｂを特定する（ステップＳ４１）。
【０１８５】
次に、サービング基地局１０１Ａは、測定開始タイミングとしてオフセットＯＳＴを設定する。すなわち、サービング基地局１０１Ａは、図示しないメモリに、複数の他の無線基地局装置と当該他の無線基地局装置ごとに設定されたオフセットＯＳＴとを対応づけて記録している。そして、異周波測定制御部１６は、当該メモリを参照することにより、特定した周辺基地局１０１Ｂに対応づけて記録されているオフセットＯＳＴを抽出し、抽出したオフセットＯＳＴを設定する（ステップＳ４２）。
【０１８６】
図９を参照して、通信システム４０１にサービング基地局１０１Ａ以外の無線基地局装置として無線基地局装置１０１Ｂａ，１０１Ｂｂが設けられている状況を想定する。サービング基地局１０１Ａの異周波測定制御部１６は、たとえば、無線基地局装置１０１Ｂａに対してオフセットＯＳＴ＝０ｍｓを設定し、無線基地局装置１０１Ｂｂに対してオフセットＯＳＴ＝１ｍｓを設定する。なお、図９に示す例では、無線基地局装置１０１Ｂａに対して設定されている測定タイミングの間隔と、無線基地局装置１０１Ｂｂに対して設定されている測定タイミングの間隔とが同じであり、無線基地局装置１０１Ｂａに対して設定されているオフセットＯＳＴと、無線基地局装置１０１Ｂｂに対して設定されているオフセットＯＳＴとが異なる状況である。
【０１８７】
次に、サービング基地局１０１Ａの設定通知部１７は、ステップＳ４２において設定した測定開始タイミングすなわちオフセットＯＳＴを示す情報を無線端末装置２０２へ送信する。これにより、無線端末装置２０２は、サービング基地局１０１Ａから送信された設定内容に基づいて異周波測定動作を行う（ステップＳ４３）。
【０１８８】
より詳細には、ステップＳ４１において無線端末装置２０２の周辺基地局として無線基地局装置１０１Ｂａ，１０１Ｂｂが特定された場合、無線端末装置２０２は、異周波測定期間において無線基地局装置１０１Ｂａ，１０１Ｂｂから送信される無線信号の測定を行う。
【０１８９】
このとき、図９に示すように、無線基地局装置１０１Ｂａに対してオフセットＯＳＴ＝０ｍｓが設定され、無線基地局装置１０１Ｂｂに対してオフセットＯＳＴ＝１ｍｓが設定されていることから、無線基地局装置１０１Ｂｂの無線信号は無線基地局装置１０１Ｂａよりも１ｍｓ遅れたタイミングで周期的に測定される。
【０１９０】
（ｉｉｉ）設定内容の通知動作の詳細
次に、設定通知部１７による無線端末装置２０２への設定内容の送信すなわち通知動作の詳細について説明する。図１０は、本発明の第１の実施の形態に係る無線基地局装置の設定通知部による設定内容の通知動作の流れを説明するシーケンスであり、図１１は、図１０に示す通知動作の設定パラメータの一例を示す図であり、図１２は、図１１に示すメジャメントオブジェクトに含まれる設定パラメータの一例を示す図である。
【０１９１】
図１０を参照して、まず、サービング基地局１０１Ａの設定通知部１７は、異周波測定制御部１６により設定された異周波測定動作に関する設定内容すなわち設定パラメータを異周波測定制御部１６から取得し、取得した設定パラメータをＲＲＣコネクション再構成指示に含めて無線端末装置２０２へ送信する。
【０１９２】
たとえば、図１１および図１２を参照して、３ＧＰＰ  ＴＳ３６．３３１にはＲＲＣコネクション再構成指示に含まれるメッセージが記載されている。このＲＲＣコネクション再構成指示には、複数のメジャメントオブジェクトＭＯ（Meas  Object  To  Add  Mod  List）を追加することができる。
【０１９３】
ここで、たとえば、異周波測定制御部１６は、無線端末装置２０２の周囲に位置する周辺基地局として複数の無線基地局装置１０１Ｂが特定された場合、これら複数の無線基地局装置１０１Ｂを、送信される無線信号の周波数が同じであるもの同士の組に分ける。そして、異周波測定制御部１６は、異周波測定動作を行う測定タイミングの間隔および測定開始タイミングを上記組ごとに設定する。
【０１９４】
なお、異周波測定制御部１６は、測定タイミングの間隔および測定開始タイミングを無線基地局装置１０１Ｂごとに設定することも可能である。
【０１９５】
そして、設定通知部１７は、異周波測定制御部１６により分けられた組の数だけメジャメントオブジェクトＭＯをＲＲＣコネクション再構成指示に追加する。そして、設定通知部１７は、追加したメジャメントオブジェクトＭＯに、対応する組に含まれる無線基地局装置１０１Ｂのリストを示すメッセージＭＬ（Cells  To  Add  Mod  List）、当該組に対して設定された測定タイミングの間隔を示すメッセージＭＰ１（Meas  Period）、および、当該組に対して設定された測定開始タイミングを示すメッセージＭＯＳ１（Meas  Offset）を含めたＲＲＣコネクション再構成指示を、無線端末装置２０２へ送信する（ステップＳ５１）。
【０１９６】
次に、無線端末装置２０２は、サービング基地局１０１Ａの設定通知部１７からＲＲＣコネクション再構成指示を受信して、受信したＲＲＣコネクション再構成指示に含まれる無線基地局装置１０１Ｂのリスト、測定タイミングの間隔および測定開始タイミングなどの設定パラメータを有効にして異周波測定動作を行う。すなわち、無線端末装置２０２は、異周波測定動作を行うための設定パラメータを、ＲＲＣコネクション再構成指示に含まれる設定パラメータに更新する（ステップＳ５２）。
【０１９７】
そして、無線端末装置２０２は、設定パラメータの更新を行うと、設定パラメータの更新が完了したことを示す通知をＲＲＣコネクション再構成完了通知に含め、このＲＲＣコネクション再構成完了通知を無線基地局装置１０１Ｂへ送信する（ステップＳ５３）。
【０１９８】
（２）異周波測定動作を行う間隔の制御動作
図１３は、本発明の第１の実施の形態に係る無線基地局装置を備える通信システムにおいてハンドオーバ動作が行なわれる状況の一例を示す図である。また、図１４は、本発明の第１の実施の形態に係る無線基地局装置の異周波測定制御部による異周波測定動作を行う間隔の設定動作の流れを説明するフローチャートであり、図１５は、図１４に示す異周波測定動作を行う間隔の設定動作により設定された異周波測定動作を行う間隔の一例を示す図である。
【０１９９】
図１３を参照して、ここでは、サービング基地局１０１Ａにより形成されるサービングセルＣＡ内に位置する無線基地局装置１０１Ｂａと、当該サービングセルＣＡのセルエッジ付近に位置する無線基地局装置１０１Ｂｂとが設けられ、サービング基地局１０１Ａと通信している無線端末装置２０２が、無線基地局装置１０１Ｂａにより形成されるセルＣＢａへ向かって移動した後、さらに、無線基地局装置１０１Ｂｂにより形成されるセルＣＢｂへ向かって移動する状況を想定する。
【０２００】
図１４を参照して、まず、サービング基地局１０１Ａは、図６に示すステップＳ３１と同様に、無線端末装置２０２の周辺基地局１０１Ｂを特定する（ステップＳ６１）。
【０２０１】
次に、サービング基地局１０１Ａの異周波測定制御部１６は、特定した周辺基地局１０１Ｂに基づいて異周波測定動作の間隔（Gap  Repetition  Length）を設定する。
【０２０２】
ここで、サービング基地局１０１Ａは、図示しないメモリに、複数の他の無線基地局装置と当該他の無線基地局装置ごとに設定された異周波測定動作の間隔情報とを対応づけて記録している。そして、異周波測定制御部１６は、当該メモリを参照することにより、特定した周辺基地局１０１Ｂに対応づけて記録されている異周波測定動作の間隔情報を抽出し、抽出した異周波測定動作の間隔を設定する（ステップＳ６２）。
【０２０３】
なお、サービング基地局と周辺基地局との距離が近いほど、当該周辺基地局はサービングセル内に位置する可能性が高く、当該サービングセルのセルエッジ付近に位置している周辺基地局と比較してハンドオーバ動作のタイミングが遅れることによる無線リンク断が発生する可能性が低い。このため、サービングセルのセルエッジ付近に位置する周辺基地局からの無線信号の測定は、サービングセル内に位置する周辺基地局からの無線信号の測定よりも高い頻度で行われることが好ましい。このため、上記メモリには、たとえばサービング基地局との距離が近い周辺基地局ほど、異周波測定動作の間隔が長くなるように異周波測定動作の間隔情報が対応づけられている。
【０２０４】
次に、サービング基地局１０１Ａの設定通知部１７は、ステップＳ６２において異周波測定制御部１６により設定された異周波測定動作の間隔を示す情報を無線端末装置２０２へ送信する。これにより、無線端末装置２０２は、サービング基地局１０１Ａから送信された設定内容に基づいて異周波測定動作を行う（ステップＳ６３）。
【０２０５】
具体的には、図１５を参照して、無線端末装置２０２の周囲に位置する周辺基地局として無線基地局装置１０１Ｂａが特定され、この無線基地局装置１０１Ｂａに予め対応づけられている異周波測定動作の間隔が間隔Ｌ１＝１６０ｍｓである場合、異周波測定制御部１６はこの間隔Ｌ１を異周波測定動作の間隔として設定し、無線端末装置２０２へ設定内容を送信する。
【０２０６】
その後、無線端末装置２０２が移動することにより、周辺基地局として無線基地局装置１０１Ｂｂが特定され、この無線基地局装置１０１Ｂｂに予め対応づけられている異周波測定動作の間隔が間隔Ｌ２＝８０ｍｓ（＜Ｌ１）である場合、異周波測定制御部１６はこの間隔Ｌ２を異周波測定動作の間隔として設定し、無線端末装置２０２へ設定内容を送信する。これにより、無線端末装置２０２は、自己の移動に伴って異なる間隔で異周波測定動作を繰り返す。
【０２０７】
また、図１６は、図１４に示す異周波測定動作を行う間隔の設定動作により設定された異周波測定動作を行う間隔の一例を示す図である。
【０２０８】
図１３に示す状況とは異なる他の状況として、たとえば、図１４に示すステップＳ６１においてサービングセルＣＡのセルエッジ付近位置する無線基地局装置１０１Ｂａと、サービングセルＣＡ内に位置する無線基地局装置１０１Ｂｂ,１０１Ｂｃ，１０１Ｂｄ，１０１Ｂｅとが周辺基地局として特定される状況を想定する。
【０２０９】
このような状況において、無線基地局装置１０１Ｂａに予め対応づけられている異周波測定動作の間隔が２４０ｍｓであり、無線基地局装置１０１Ｂｂ，１０１Ｂｃ，１０１Ｂｄ，１０１Ｂｅに予め対応づけられている異周波測定動作の間隔が４８０ｍｓであるとする。また、無線端末装置２０２による異周波測定動作の基本間隔が８０ｍｓであるとする。
【０２１０】
この場合、図１６に示すように、無線基地局装置１０１Ｂａ（図１６に示す「１」）は、無線端末装置２０２に無線端末装置による３度の異周波測定動作のうち１度の異周波測定動作においてのみ測定対象となる。これに対して、無線基地局装置１０１Ｂｂ，１０１Ｂｃ，１０１Ｂｄ，１０１Ｂｅ（図１６に示す「２」，「３」，「４」，「５」）は、無線端末装置２０２に無線端末装置による６度の異周波測定動作のうち１度の異周波測定動作において測定対象となる。
【０２１１】
（３）報告タイミングの制御動作
（ｉ）動作の流れ
図１７は、本発明の第１の実施の形態に係る無線基地局装置の異周波測定制御部による報告タイミングの設定動作の流れを説明するフローチャートである。
【０２１２】
図１７を参照して、まず、ステップ７１からステップＳ７３までの動作は、図６に示すステップＳ３１からステップＳ３３までの動作と同様であるため、ここでの詳細な説明は省略する。
【０２１３】
次に、サービング基地局１０１Ａの異周波測定制御部１６は、ステップＳ７２において取得したサービング基地局１０１Ａと周辺基地局１０１Ｂとの間の距離、ステップＳ７３において取得したサービング基地局１０１Ａから送信される無線信号の電力に関する情報および特定した周辺基地局１０１Ｂから送信される無線信号の電力に関する情報に基づいて、異周波測定期間における無線信号の測定結果を報告する報告タイミングを設定する。
【０２１４】
ここで、無線端末装置２０２は、異周波測定動作を行う異周波測定期間において無線信号を測定し、当該測定による測定結果が所定条件を満たす状態が所定時間継続するたびに、測定結果をサービング基地局１０１Ａへ送信する。
【０２１５】
詳細には、図１８用いて説明する。図１８は、本発明の第１の実施の形態に係る無線基地局装置を備える通信システムにおいて、無線端末装置が測定結果通知を送信する状況の一例を示す図である。
【０２１６】
図１８において横軸は時間であり、縦軸は無線端末装置２０２における無線信号の受信電力またはＳＩＮＲ（Signal  to  Interference-plus-Noise  Ratio）であり、ＳＶＣは周辺基地局により形成されるセルの受信電力またはＳＩＮＲすなわち周辺基地局が送信する無線信号の受信電力またはＳＩＮＲである。また、閾値Ｔｈに対して正負の方向にヒステリシスＨＳが設定されている。
【０２１７】
無線端末装置２０２は、周辺基地局により形成されるセルの受信電力またはＳＩＮＲが（Ｔｈ＋ＨＳ）よりも大きくなると、レポートオン状態へ遷移する（タイミングＴ１）。
【０２１８】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０２１９】
次に、無線端末装置２０２は、当該条件が満たされた状態でタイミングＴ２からＴＴＴ経過すると、測定結果通知を送信する（タイミングＴ３）。
【０２２０】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０２２１】
すなわち、サービング基地局１０１Ａの異周波測定制御部１６は、上記所定時間であるＴＴＴを、周辺基地局ごとまたは無線信号の周波数ごとに設定する（ステップＳ７４）。
【０２２２】
たとえば、サービング基地局と周辺基地局との距離が近いほど、当該周辺基地局はサービングセル内に位置する可能性が高く、当該サービングセルのセルエッジ付近に位置している周辺基地局と比較してハンドオーバ動作のタイミングが遅れることによる無線リンク断が発生する可能性が低い。このため、異周波測定制御部１６は、たとえばサービング基地局１０１Ａとの距離が近い無線基地局装置１０１Ｂに対してはＴＴＴを長く設定する。
【０２２３】
次に、サービング基地局１０１Ａの設定通知部１７は、ステップＳ７４において異周波測定制御部１６により設定されたＴＴＴを示す情報を無線端末装置２０２へ送信する。これにより、無線端末装置２０２は、サービング基地局１０１Ａから送信された設定内容に基づいて異周波測定動作の測定結果の報告を行う（ステップＳ７５）。
【０２２４】
なお、上述した動作の流れでは、サービング基地局１０１Ａが、サービング基地局１０１Ａと周辺基地局１０１Ｂとの間の距離、サービング基地局１０１Ａから送信される無線信号の電力に関する情報および周辺基地局１０１Ｂから送信される無線信号の電力に関する情報に基づいてＴＴＴを設定する場合について説明した。しかしながら、このような動作の流れに限定されず、サービング基地局１０１Ａは、他の方法を用いてＴＴＴを設定することも可能である。
【０２２５】
図１９は、本発明の第１の実施の形態に係る無線基地局装置の異周波測定制御部により設定される異周波測定動作の間隔とＴＴＴとの関係を示す図である。
【０２２６】
ここで、図６に示す測定タイミングの間隔の設定動作において、無線基地局装置１０１Ｂａからの無線信号の測定タイミングの間隔が間隔ｔ１と設定され、無線基地局装置１０１Ｂｂからの無線信号の測定タイミングの間隔が間隔ｔ２（＜ｔ１）と設定されているとする。この場合、図７に示すように、異周波測定動作の期間において行われる測定回数は、無線基地局装置１０１Ｂａからの無線信号の方が無線基地局装置１０１Ｂｂからの無線信号よりも少ない。
【０２２７】
このため、サービング基地局１０１Ａは、図１９に示すように、測定回数が比較的少ない、すなわち測定タイミングの間隔が長いほどＴＴＴを長く設定し、測定の回数をある程度確保したうえで測定結果が報告されるように、測定タイミングの間隔とＴＴＴとを対応づけて図示しないメモリに予め記憶する。そして、異周波測定制御部１６は、当該メモリを参照し、周辺基地局１０１Ｂからの無線信号の測定タイミングの間隔として設定された測定タイミングの間隔に基づいてＴＴＴを設定することが可能である。
【０２２８】
（ｉｉ）設定内容の通知動作の詳細
次に、設定通知部１７による無線端末装置２０２への設定内容の送信すなわち通知動作の詳細について説明する。図２０は、本発明の第１の実施の形態に係る無線基地局装置の設定通知部による設定内容の通知動作の流れを説明するシーケンスである。
【０２２９】
図２０を参照して、まず、サービング基地局１０１Ａの設定通知部１７は、異周波測定制御部１６により設定された報告タイミングすなわちＴＴＴを異周波測定制御部１６から取得し、取得したＴＴＴをＲＲＣコネクション再構成指示に追加して無線端末装置２０２へ送信する。たとえば、設定通知部１７は、ＲＲＣコネクション再構成指示に追加されたメジャメントオブジェクトＭＯごとにＴＴＴを含めて送信する（ステップＳ８１）。
【０２３０】
次に、無線端末装置２０２は、サービング基地局１０１Ａの設定通知部１７からＲＲＣコネクション再構成指示を受信して、受信したＲＲＣコネクション再構成指示に含まれるＴＴＴに基づいて、異周波測定動作の報告タイミングを調整する（ステップＳ８２）。
【０２３１】
そして、無線端末装置２０２は、報告タイミングの調整を行うと、報告タイミングの調整が完了したことを示す通知をＲＲＣコネクション再構成完了通知に含め、このＲＲＣコネクション再構成完了通知を無線基地局装置１０１Ｂへ送信する（ステップＳ８３）。
【０２３２】
なお、本発明の第１の実施の形態では、異周波測定制御部１６が、測定処理のパラメータとして測定タイミングの間隔、測定開始タイミング、異周波測定動作を行う間隔または報告タイミングのいずれか１つを設定する場合について説明した。しかしながら、異周波測定制御部１６は、これらのパラメータの設定のうち複数の設定を並行して行うことも可能である。
【０２３３】
また、本発明の第１の実施の形態では、サービング基地局１０１Ａがマクロ基地局であり、周辺基地局１０１Ｂがフェムト基地局またはピコ基地局である場合について説明したが、サービング基地局１０１Ａがフェムト基地局またはピコ基地局であり、周辺基地局１０１Ｂがマクロ基地局であってもよい。
【０２３４】
また、本発明の第１の実施の形態では、ハンドオーバ動作のタイミングが遅れることにより無線リンク断が発生する可能性が高い無線基地局装置として、サービングセルＣＡのセルエッジ付近に位置する無線基地局装置１０１Ｂｂを例示した。しかしながら、サービングセルＣＡのセルエッジ付近に位置する無線基地局装置だけでなく、たとえばカバレッジホール等、サービング基地局と無線端末装置２０２との間で使用される周波数を用いた通信が無線端末装置２０２において困難なエリアを形成するものであれば、ハンドオーバ動作のタイミングが遅れることにより無線リンク断が発生する可能性が高い無線基地局装置に該当する。
【０２３５】
ところで、近年、フェムト基地局およびピコ基地局などの小型基地局の設置数が増加傾向にある。また、無線基地局装置の近くでは受信電力の変化が急であり、さらに、無線基地局により形成されるセルのセルエッジにおける受信電力の変化は、マクロ基地局よりもフェムト基地局またはピコ基地局などの小型基地局の方が大きい。このため、小型基地局の設置数の増加に伴い、無線端末装置のハンドオーバ動作が起こりやすくなっている。
【０２３６】
また、サービング基地局と当該無線端末装置との間で使用される無線信号の周波数と、サービング基地局以外の無線基地局装置である周辺基地局から送信される無線信号の周波数とが異なる場合がある。
【０２３７】
このような移動通信システムでは、たとえば、無線端末装置は、通信接続先として適切な無線基地局装置が選択されるために、自己とサービング基地局との間で使用される無線信号の周波数と異なる周波数の無線信号の測定を間欠的に行い、サービング基地局に測定結果を送信する（非特許文献２（3GPP  TS  36.133  V10.4.0））。このような測定動作を行う無線端末装置では、近年の小型基地局の設置数の増加に伴い、上記測定の対象が増加する。
【０２３８】
しかしながら、上記測定の精度を確保するため、無線端末装置が並行して測定することのできる周辺基地局の数には限りがある。このため、周辺基地局が多数存在する場合には、無線端末装置による上記測定に時間がかかり、ハンドオーバ動作のタイミングが遅れるなどの問題が発生する。
【０２３９】
また、上記測定結果は、たとえば、無線端末装置において所定条件を満たす状態が所定時間継続した場合に当該無線端末装置からサービング基地局へ送信される。そして、サービング基地局への上記測定結果の送信が行われるまでに時間がかかる場合には、測定自体が遅れる場合と同様に、ハンドオーバ動作のタイミングが遅れるなどの問題が発生する。
【０２４０】
これに対して、本発明の第１の実施の形態に係る無線基地局装置では、異周波測定制御部１６が、異周波測定動作が行われる異周波測定期間において異なる周波数の無線信号が測定されるタイミングである測定タイミング、異周波測定動作が行われる間隔、または異周波測定期間における異なる周波数の無線信号の測定結果がサービング基地局１０１Ａに報告されるタイミングである報告タイミングを設定する。また、設定通知部１７が、異周波測定制御部１６による設定の内容を無線端末装置２０２に通知する。さらに、異周波測定制御部１６は、周辺基地局１０１Ｂごとまたは無線信号の周波数ごとに上記設定を行う。
【０２４１】
このような構成により、周辺基地局１０１Ｂごとまたは周辺基地局１０１Ｂから送信される無線信号の周波数ごとにタイミングをずらして異周波測定動作を行うことができるため、並行して測定することのできる測定対象の数に限りがあっても、所定期間内に測定することのできる測定対象の数を従来よりも増やすことができる。このため、周辺基地局１０１Ｂが多数存在する場合であっても測定に時間がかかることを防ぎ、無線端末装置２０２による異周波測定動作を適切に行うことができ、通信の安定化を図ることができる。
【０２４２】
また、本発明の第１の実施の形態に係る無線基地局装置では、異周波測定制御部１６は、測定タイミングの間隔を周辺基地局１０１Ｂごとまたは無線信号の周波数ごとに設定する。
【０２４３】
このように、測定タイミングの間隔を設定する構成により、異周波測定動作のタイミング調整を適切かつ容易に行うことができる。
【０２４４】
また、本発明の第１の実施の形態に係る無線基地局装置では、異周波測定制御部１６は、周辺基地局１０１Ｂとサービング基地局１０１Ａとの距離が遠いほど測定タイミングの間隔を短く設定する。
【０２４５】
このような構成により、無線リンク断が発生する可能性が高い状況であるほど周辺基地局１０１Ｂから送信される無線信号を頻繁に測定して、一層通信の安定化を図ることができる。
【０２４６】
また、本発明の第１の実施の形態に係る無線基地局装置では、異周波測定制御部１６は、サービング基地局１０１Ａから送信される無線信号の電力が小さいほど測定タイミングの間隔を短く設定する。
【０２４７】
このような構成により、無線リンク断が発生する可能性が高い状況であるほど周辺基地局１０１Ｂから送信される無線信号を頻繁に測定して、一層通信の安定化を図ることができる。
【０２４８】
また、本発明の第１の実施の形態に係る無線基地局装置では、異周波測定制御部１６は、周辺基地局１０１Ｂから送信される無線信号の電力が大きいほど測定タイミングの間隔を短く設定する。
【０２４９】
このような構成により、無線端末装置２０２の通信接続先として選択される可能性が高い周辺基地局１０１Ｂから送信される無線信号を優先的に多く測定して、一層通信の安定化を図ることができる。
【０２５０】
また、本発明の第１の実施の形態に係る無線基地局装置では、異周波測定制御部１６は、周辺基地局１０１Ｂから送信される無線信号の無線端末装置２０２における受信電力が大きいほど測定タイミングの間隔を短く設定する。
【０２５１】
このような構成により、無線端末装置２０２の通信接続先として選択される可能性が高い周辺基地局１０１Ｂから送信される無線信号を優先的に多く測定して、一層通信の安定化を図ることができる。
【０２５２】
また、本発明の第１の実施の形態に係る無線基地局装置では、異周波測定制御部１６は、異周波測定期間における異なる周波数の無線信号の測定開始タイミングを周辺基地局１０１Ｂごとまたは無線信号の周波数ごとに設定する。
【０２５３】
このように、測定開始タイミングを設定する構成により、異周波測定動作のタイミング調整を適切かつ容易に行うことができる。
【０２５４】
また、本発明の第１の実施の形態に係る無線基地局装置では、異周波測定制御部１６は、周辺基地局１０１Ｂとサービング基地局１０１Ａとの距離が近いほど異周波測定動作を行う間隔を長く設定する。
【０２５５】
このような構成により、無線リンク断が発生する可能性の低い周辺基地局１０１Ｂから送信される無線信号の測定の頻度を少なくして、無線端末装置２０２の消費電力を低減させることができる。
【０２５６】
また、本発明の第１の実施の形態において、無線端末装置２０２は、異周波測定期間における異なる周波数の無線信号の測定結果が所定条件を満たす状態が所定時間継続するたびに、測定結果を無線基地局装置に報告する。また、異周波測定制御部１６は、所定時間を周辺基地局１０１Ｂごとまたは無線信号の周波数ごとに設定する。
【０２５７】
このような構成により、たとえば、周辺基地局１０１Ｂがサービングセルのセルエッジ付近に位置する状況、すなわち無線端末装置２０２のハンドオーバ動作が遅すぎることにより無線リンク断が発生する可能性が高い状況においては、上記所定時間を短く設定して通信の安定化を図るとともに、周辺基地局１０１Ｂがサービングセルの中心付近に位置する状況においては上記所定時間を長く設定して精度の高い測定結果を得ることができる。
【０２５８】
また、本発明の第１の実施の形態に係る無線基地局装置では、異周波測定制御部１６は、測定タイミングの間隔が長いほど、上記所定時間を長く設定する。
【０２５９】
このような構成により、測定タイミングの間隔が長く、所定期間内に行われる測定回数が少ない周辺基地局１０１Ｂからの無線信号であっても、測定結果が所定条件を満たす状態が長時間継続するまで無線基地局装置への報告が行われないため、報告される測定結果の精度を確保することができる。
【０２６０】
（変形例１）
次に、本発明の第１の実施の形態の変形例１について説明する。上述した第１の実施の形態では、サービング基地局１０１Ａと周辺基地局１０１Ｂとの距離、周辺基地局１０１Ｂから送信される無線信号の電力の大きさ、および、サービング基地局１０１Ａから送信される無線信号の電力の大きさのうち少なくとも１つ以上を基準として、測定タイミング、異周波測定動作が行われる間隔、および、報告タイミングの制御が行われる場合について説明した。
【０２６１】
これに対して、本発明の第１の実施の形態の変形例１では、周辺基地局１０１Ｂから送信される無線信号の周波数の高低に基づいて、測定タイミング、異周波測定動作が行われる間隔、および、報告タイミングの制御が行われる場合について説明する。
【０２６２】
（１）測定タイミングの間隔の制御
本発明の第１の実施の形態の変形例１に係る無線基地局装置であるサービング基地局１０１Ａは、上述した本発明の第１の実施の形態に係る無線基地局装置と同様に、無線端末装置２０２の周囲に存在する１または複数の周辺基地局１０１Ｂを特定する。
【０２６３】
そして、サービング基地局１０１Ａの異周波測定制御部１６は、特定された周辺基地局１０１Ｂから送信される無線信号に関する情報を、たとえばコアネットワークから取得する。この情報には、特定された各周辺基地局１０１Ｂから送信される無線信号の周波数を示す情報が含まれている。
【０２６４】
ここで、周辺基地局１０１Ｂから送信される無線信号の周波数が高いほど無線信号の減衰が大きく無線端末装置２０２との間の通信品質が悪くなるため、無線端末装置２０２のハンドオーバ動作のタイミングが遅すぎることによる無線リンク断が発生する可能性が高い。このため、異周波測定制御部１６は、特定された各周辺基地局１０１Ｂから送信される無線信号の周波数を示す情報に基づいて、当該周波数が高い周辺基地局１０１Ｂほど優先的に多くの測定が行われるように、測定タイミングの間隔を短く設定する。
【０２６５】
たとえば、図１３に示すように、通信システム４０１に、無線端末装置２０２との間で周波数ｆ２の無線信号を送受信する周辺基地局１０１Ｂａと、無線端末装置２０２との間で周波数ｆ３の無線信号を送受信する周辺基地局１０１Ｂｂとが設けられている場合であり、周波数ｆ３が周波数ｆ２よりも高い場合（ｆ３＞ｆ２）を想定する。この場合、異周波測定制御部１６は、無線基地局装置１０１Ｂａからの周波数ｆ２の無線信号の測定タイミングの間隔よりも、無線基地局装置１０１Ｂｂからの周波数ｆ３の無線信号の測定タイミングの間隔を短く設定する。
【０２６６】
（２）異周波測定動作を行う間隔の制御
また、異周波測定制御部１６は、特定された各周辺基地局１０１Ｂから送信される無線信号の周波数を示す情報に基づいて、異周波測定動作の間隔を設定することができる。具体的には、異周波測定制御部１６は、特定された周辺基地局１０１Ｂのうち、送信する無線信号の周波数が高い周辺基地局ほど、異周波測定動作の間隔を短く設定する。
【０２６７】
すなわち、上述した例において、異周波測定制御部１６は、周辺基地局１０１Ｂａから送信される周波数ｆ２の無線信号を測定する異周波測定動作の間隔よりも、周辺基地局１０１Ｂｂから送信される周波数ｆ３（＞ｆ２）の無線信号を測定する異周波測定動作の間隔を短く設定する。
【０２６８】
（３）報告タイミングの制御
また、異周波測定制御部１６は、特定された各周辺基地局１０１Ｂから送信される無線信号の周波数を示す情報に基づいて、異周波測定動作における無線信号の測定結果を報告する報告タイミングを設定することができる。具体的には、異周波測定制御部１６は、特定された周辺基地局１０１Ｂのうち、送信する無線信号の周波数が高い周辺基地局ほどＴＴＴを短く設定する。
【０２６９】
すなわち、上述した例において、異周波測定制御部１６は、周辺基地局１０１Ｂａから送信される周波数ｆ２の無線信号の測定におけるＴＴＴよりも、周辺基地局１０１Ｂｂから送信される周波数ｆ３（＞ｆ２）の無線信号の測定におけるＴＴＴを短く設定する。
【０２７０】
このように、異周波測定制御部１６により測定タイミングの間隔、異周波測定動作を行う間隔およびＴＴＴの設定が行われると、サービング基地局１０１Ａの設定通知部１７は、異周波測定制御部１６により設定された設定内容を示す情報を無線端末装置２０２へ送信する。これにより、無線端末装置２０２は、サービング基地局１０１Ａから送信された設定内容に基づいて、異周波測定動作および当該異周波測定動作の測定結果の報告を行う。
【０２７１】
なお、異周波測定制御部１６は、特定された各周辺基地局１０１Ｂから送信される無線信号の周波数を示す情報に基づいて、周辺基地局１０１Ｂごとに異周波測定期間における測定開始タイミング、すなわちオフセットを設定することも可能である。
【０２７２】
上記のように、本発明の第１の実施の形態の変形例１に係る無線基地局装置では、異周波測定制御部１６は、周辺基地局１０１Ｂから送信される無線信号の周波数が高いほど測定タイミングの間隔を短く設定する。
【０２７３】
このような構成により、無線端末装置２０２の通信接続先となる場合に無線リンク断が発生する可能性が高い周辺基地局１０１Ｂからの無線信号を優先的に多く測定して、一層通信の安定化を図ることができる。
【０２７４】
また、本発明の第１の実施の形態の変形例１に係る無線基地局装置では、異周波測定制御部１６は、周辺基地局１０１Ｂから送信される無線信号の周波数が高いほど異周波測定動作を行う間隔を短く設定する。
【０２７５】
このような構成により、無線端末装置２０２の通信接続先となる場合に無線リンク断が発生する可能性の高い周辺基地局１０１Ｂからの無線信号を優先的に多く測定して、一層通信の安定化を図ることができる。
【０２７６】
（変形例２）
次に、本発明の第１の実施の形態の変形例２について説明する。上述した第１の実施の形態の変形例１では、周辺基地局１０１Ｂから送信される無線信号の周波数が高いほど、測定タイミング、異周波測定動作が行われる間隔、および、報告タイミングを短く設定する場合について説明した。
【０２７７】
これに対して、本発明の第１の実施の形態の変形例２では、周辺基地局１０１Ｂから送信される無線信号の周波数が低いほど、測定タイミング、異周波測定動作が行われる間隔、および、報告タイミングを短く設定する場合について説明する。
【０２７８】
（１）測定タイミングの間隔の制御
ここで、周辺基地局１０１Ｂから送信される無線信号の周波数が低いほど無線信号の減衰が小さく無線端末装置２０２との間の通信品質が良くなる。このため、サービング基地局１０１Ａの異周波測定制御部１６は、特定された１または複数の周辺基地局１０１Ｂから送信される無線信号の周波数を示す情報に基づいて、１または複数の周辺基地局１０１Ｂのうち、送信する無線信号の周波数が低いほど優先的に多くの測定が行われるように、測定タイミングの間隔を短く設定する。
【０２７９】
たとえば、図１３に示すように、通信システム４０１に、無線端末装置２０２との間で周波数ｆ２の無線信号を送受信する周辺基地局１０１Ｂａと、無線端末装置２０２との間で周波数ｆ３の無線信号を送受信する周辺基地局１０１Ｂｂとが設けられている場合であり、周波数ｆ３が周波数ｆ２よりも高い場合（ｆ３＞ｆ２）、異周波測定制御部１６は、無線基地局装置１０１Ｂｂからの周波数ｆ３の無線信号の測定タイミングの間隔よりも、無線基地局装置１０１Ｂａからの周波数ｆ２の無線信号の測定タイミングの間隔を短く設定する。
【０２８０】
（２）異周波測定動作を行う間隔の制御
また、異周波測定制御部１６は、特定された各周辺基地局１０１Ｂから送信される無線信号の周波数を示す情報に基づいて、特定された周辺基地局１０１Ｂのうち、送信する無線信号の周波数が低い周辺基地局ほど、異周波測定動作の間隔を短く設定することができる。
【０２８１】
すなわち、上述した例において、異周波測定制御部１６は、周辺基地局１０１Ｂｂから送信される周波数ｆ３の無線信号を測定する異周波測定動作の間隔よりも、周辺基地局１０１Ｂａから送信される周波数ｆ２（＜ｆ３）の無線信号を測定する異周波測定動作の間隔を短く設定する。
【０２８２】
（３）報告タイミングの制御
また、異周波測定制御部１６は、特定された各周辺基地局１０１Ｂから送信される無線信号の周波数を示す情報に基づいて、特定された周辺基地局１０１Ｂのうち、送信する無線信号の周波数が低い周辺基地局ほどＴＴＴを短く設定することができる。
【０２８３】
すなわち、上述した例において、異周波測定制御部１６は、周辺基地局１０１Ｂｂから送信される周波数ｆ３の無線信号の測定におけるＴＴＴよりも、周辺基地局１０１Ｂａから送信される周波数ｆ２（＜ｆ３）の無線信号の測定におけるＴＴＴを短く設定する。
【０２８４】
上記のように、本発明の第１の実施の形態の変形例２に係る無線基地局装置では、異周波測定制御部１６は、周辺基地局１０１Bから送信される無線信号の周波数が低いほど測定タイミングの間隔を短く設定する。
【０２８５】
このような構成により、送信される無線信号の減衰が小さく、無線端末装置２０２との間の通信品質が良くなる周辺基地局から送信される無線信号を優先的に多く測定して、一層通信の安定化を図ることができる。
【０２８６】
また、本発明の第１の実施の形態の変形例２に係る無線基地局装置では、異周波測定制御部１６は、周辺基地局１０１Ｂから送信される無線信号の周波数が低いほど異周波測定動作を行う間隔を短く設定する。
【０２８７】
このような構成により、送信される無線信号の減衰が小さく、無線端末装置２０２との間の通信品質が良くなる周辺基地局から送信される無線信号を優先的に多く測定して、一層通信の安定化を図ることができる。
【０２８８】
（変形例３）
次に、本発明の第１の実施の形態の変形例３について説明する。上述した第１の実施の形態の変形例１および変形例２では、周辺基地局１０１Ｂから送信される無線信号の周波数に基づいて、測定タイミング、異周波測定動作が行われる間隔、および、報告タイミングの制御が行われる場合について説明した。
【０２８９】
これに対して、本発明の第１の実施の形態の変形例３では、無線端末装置２０２と周辺基地局１０１Ｂとの距離に基づいて、測定タイミング、異周波測定動作が行われる間隔、および、報告タイミングの制御が行われる場合について説明する。
【０２９０】
（１）測定タイミングの間隔の制御
本発明の第１の実施の形態の変形例３に係る無線基地局装置であるサービング基地局１０１Ａは、上述した本発明の第１の実施の形態に係る無線基地局装置と同様に、無線端末装置２０２の周囲に存在する１または複数の周辺基地局１０１Ｂを特定する。
【０２９１】
そして、サービング基地局１０１Ａの異周波測定制御部１６は、特定された各周辺基地局１０１Ｂと無線端末装置２０２との距離に基づいて測定タイミングの間隔を設定する。
【０２９２】
ここで、無線端末装置２０２と周辺基地局１０１Ｂとの距離が近いほど、この周辺基地局１０１Ｂが無線端末装置２０２の通信接続先として選択される可能性が高い。このため、異周波測定制御部１６は、無線端末装置２０２と周辺基地局１０１Ｂとの距離が近いほど、無線端末装置２０２との距離が遠い周辺基地局よりも優先的に多くの測定が行われるように、測定タイミングの間隔を短く設定する。
【０２９３】
具体的には、異周波測定制御部１６は、無線端末装置２０２の周囲に存在する周辺基地局１０１Ｂの特定の際に用いた無線端末装置２０２の位置情報と、予め記憶する複数の無線基地局装置の位置情報とに基づいて、無線端末装置２０２と特定された各周辺基地局１０１Ｂとの距離を算出する。そして、異周波測定制御部１６は、特定された周辺基地局のうち、無線端末装置２０２との距離が短い周辺基地局ほど測定タイミングの間隔を短く設定する。
【０２９４】
たとえば、図１３に示すように、通信システム４０１に、無線端末装置２０２の周囲に周辺基地局１０１Ｂａおよび周辺基地局１０１Ｂｂが存在し、周辺基地局１０１Ｂａの方が、周辺基地局１０１Ｂｂよりも無線端末装置２０２に近い場合を想定する。この場合、異周波測定制御部１６は、無線端末装置２０２から遠い無線基地局装置１０１Ｂｂからの無線信号の測定タイミングの間隔よりも、無線端末装置２０２から近い無線基地局装置１０１Ｂａからの無線信号の測定タイミングの間隔を短く設定する。
【０２９５】
（２）異周波測定動作を行う間隔の制御
また、異周波測定制御部１６は、無線端末装置２０２と、特定された各周辺基地局１０１Ｂとの距離に基づいて、異周波測定動作の間隔を設定することができる。具体的には、異周波測定制御部１６は、無線端末装置２０２と特定された各周辺基地局１０１Ｂとの距離を算出し、特定された周辺基地局１０１Ｂのうち、無線端末装置２０２との距離が短い周辺基地局ほど異周波測定動作の間隔を短く設定する。
【０２９６】
すなわち、上述した例において、異周波測定制御部１６は、無線端末装置２０２から遠い無線基地局装置１０１Ｂｂからの無線信号を測定する異周波測定動作の間隔よりも、無線端末装置２０２から近い無線基地局装置１０１Ｂａからの無線信号を測定する異周波測定動作の間隔を短く設定する。
【０２９７】
（３）報告タイミングの制御
また、異周波測定制御部１６は、無線端末装置２０２と、特定された各周辺基地局１０１Ｂとの距離に基づいて、異周波測定動作における無線信号の測定結果を報告する報告タイミングを設定することができる。具体的には、異周波測定制御部１６は、無線端末装置２０２と特定された各周辺基地局１０１Ｂとの距離を算出し、特定された周辺基地局１０１Ｂのうち、無線端末装置２０２との距離が短い周辺基地局ほどＴＴＴを短く設定する。
【０２９８】
すなわち、上述した例において、異周波測定制御部１６は、無線端末装置２０２から遠い無線基地局装置１０１Ｂｂからの無線信号の測定におけるＴＴＴよりも、無線端末装置２０２から近い無線基地局装置１０１Ｂａからの無線信号の測定におけるＴＴＴを短く設定する。
【０２９９】
なお、異周波測定制御部１６は、特定された各周辺基地局１０１Ｂと無線端末装置２０２との距離に基づいて、周辺基地局１０１Ｂごとに異周波測定期間における測定開始タイミング、すなわちオフセットを設定することも可能である。
【０３００】
上記のように、本発明の第１の実施の形態の変形例３に係る無線基地局装置では、異周波測定制御部１６は、無線端末装置２０２と周辺基地局１０１Ｂとの距離が近いほど測定タイミングの間隔を短く設定する。
【０３０１】
このような構成により、無線端末装置２０２の通信接続先として選択される可能性が高い周辺基地局１０１Ｂからの無線信号を優先的に多く測定して、一層通信の安定化を図ることができる。
【０３０２】
また、本発明の第１の実施の形態の変形例３に係る無線基地局装置では、異周波測定制御部１６は、無線端末装置２０２と周辺基地局１０１Ｂとの距離が近いほど異周波測定動作を行う間隔を短く設定する。
【０３０３】
このような構成により、無線端末装置の通信接続先として選択される可能性が高い周辺基地局からの無線信号を優先的に多く測定して、一層通信の安定化を図ることができる。
【０３０４】
なお、上述した本発明の第１の実施の形態では、サービング基地局１０１Ａと周辺基地局１０１Ｂとの距離、周辺基地局１０１Ｂから送信される無線信号の電力の大きさ、および、サービング基地局１０１Ａから送信される無線信号の電力の大きさのうち少なくとも１つ以上を基準として、測定タイミング、異周波測定動作が行われる間隔、および、報告タイミングの制御が行われる場合について説明した。
【０３０５】
また、変形例１および変形例２では、周辺基地局１０１Ｂから送信される無線信号の周波数に基づいて、測定タイミング、異周波測定動作が行われる間隔、および、報告タイミングの制御が行われる場合について説明した。また、変形例３では、無線端末装置２０２と周辺基地局１０１Ｂとの距離に基づいて、測定タイミング、異周波測定動作が行われる間隔、および、報告タイミングの制御が行われる場合について説明した。
【０３０６】
しかしながら、上記のような形態に限定されず、「サービング基地局１０１Ａと周辺基地局１０１Ｂとの距離」、「周辺基地局１０１Ｂから送信される無線信号の電力の大きさ」、「サービング基地局１０１Ａから送信される無線信号の電力の大きさ」、「周辺基地局１０１Ｂから送信される無線信号の周波数」および「無線端末装置２０２と周辺基地局１０１Ｂとの距離」のうち少なくとも２つ以上を基準とし、たとえば各基準に基づく評価関数を用いることによって、これらの基準を総合的に判断して測定タイミング、異周波測定動作が行われる間隔、および、報告タイミングの制御が行われても良い。
【０３０７】
＜第２の実施の形態＞
次に、本発明の第２の実施の形態について説明する。上述した第１の実施の形態では、サービング基地局１０１Ａおよび無線端末装置２０２間で使用される無線信号と、周辺基地局１０１Ｂから送信される無線信号とが異なる周波数である場合について説明した。これに対して、本発明の第２の実施の形態では、サービング基地局１０１Ａおよび無線端末装置２０２間で使用される無線信号と、周辺基地局１０１Ｂから送信される無線信号とが同じ周波数である場合について説明する。
【０３０８】
［構成および基本動作］
図２１は、本発明の第２の実施の形態に係る無線基地局装置を備える通信システムの構成を示す図である。
【０３０９】
図２１を参照して、通信システム４０２は、図１に示す通信システム４０１と同様に、たとえば３ＧＰＰで規格化されたＬＴＥ（Long  Term  Evolution）に従う移動体通信システムであり、本発明の第２の実施の形態に係る無線基地局装置（設定装置）１０１Ａ，１０１Ｂを備える。無線基地局装置１０１Ａは、たとえばマクロ基地局であり、無線基地局装置１０１Ｂは、たとえばフェムト基地局またはピコ基地局である。無線基地局装置１０１Ａ，１０１Ｂは、無線端末装置２０２の動作、すなわちハンドオーバ動作に関する設定を行う。
【０３１０】
無線基地局装置１０１Ａは、セルＣＡを形成し、セルＣＡ内に存在する無線端末装置２０２と周波数ｆ１の無線信号を送受信することにより、無線端末装置２０２と通信することが可能である。無線基地局装置１０１Ｂは、セルＣＢを形成し、セルＣＢ内に存在する無線端末装置２０２と周波数ｆ１の無線信号を送受信することにより、無線端末装置２０２と通信することが可能である。
【０３１１】
［小型基地局の設置数が増加することによる課題］
ここで、サービング基地局（選択基地局）と無線端末装置との間で使用される無線信号の周波数と、周辺基地局から送信される無線信号の周波数とが同じ場合には、無線端末装置２０２は、上述した本発明の第１の実施の形態とは異なり、異周波測定期間を設ける必要はない。
【０３１２】
しかしながら、この場合であっても、無線端末装置２０２は、移動に伴ってハンドオーバ先の無線基地局装置が適切に選択されるために、周辺基地局から送信される無線信号を測定し、サービング基地局に測定結果を送信する必要がある。そして、周辺基地局が多数存在する場合には、すべての周辺基地局の測定を完了するのに時間がかかり、通信先切替動作、すなわちハンドオーバ動作のタイミングが遅れるなどの問題が発生する。
【０３１３】
特に、サービング基地局と周辺基地局との距離が近い場合などには、サービング基地局から送信される無線信号と周辺基地局から送信される無線信号とが干渉することがあり、このような場合には無線端末装置２０２は上記測定を正確に行うことができない。
【０３１４】
［本発明の第２の実施の形態に係る無線基地局装置の構成］
図２２は、本発明の第２の実施の形態に係る無線基地局装置における制御部の構成を示す図である。
【０３１５】
本発明の第２の実施の形態に係る無線基地局装置１０１Ａ，１０１Ｂは、図４に示す本発明の第１の実施の形態に係る無線基地局装置１０１Ａ，１０１Ｂと同様の構成であり、制御部９８の構成のみが異なる。
【０３１６】
図２２を参照して、制御部９８は、図５に示す本発明の第１の実施の形態に係る無線基地局装置１０１Ａ，１０１Ｂの制御部９８と比較して、異周波測定制御部１６および設定通知部１７の代わりに、測定制御部１８および設定通知部１９を有する。
【０３１７】
測定制御部１８は、自己の無線基地局装置１０１Ａ，１０１Ｂおよび無線端末装置２０２間で使用される無線信号の周波数と同じ周波数の無線信号であって、自己の無線基地局装置１０１Ａ，１０１Ｂ以外の無線基地局装置である周辺基地局から送信される無線信号の測定を行う測定タイミング（同一周波測定期間における測定タイミング）を周辺基地局ごとに設定する。
【０３１８】
なお、測定タイミングの設定とは、たとえば、測定処理のパラメータとして、測定タイミングの間隔を設定すること、または、測定開始タイミングとしてオフセットＯＳＴ（Cell  Individual  Offset）を設定することを意味する。
【０３１９】
設定通知部１９は、測定制御部１８により設定された設定内容を取得して、当該設定内容を無線端末装置２０２へ送信する。
【０３２０】
なお、図２２におけるハンドオーバ要求部１１、ハンドオーバ指示部１２および端末測定結果取得部１５は、本発明において必須の構成要素ではない。無線基地局装置１０１Ａ，１０１Ｂは、これらの構成要素を備えなくても、周辺基地局から送信される無線信号の測定において、無線端末装置２０２における周辺基地局からの無線信号の測定動作を適切に行い、通信の安定化を図るという本発明の目的を達成することが可能である。
【０３２１】
［測定制御部による制御動作］
次に、無線基地局装置１０１Ａの測定制御部１８による設定動作について、「測定タイミングの間隔」、「測定開始タイミング」および「設定内容の通知動作の詳細」に分けて説明する。
【０３２２】
ここでは、図２１に示すように、無線端末装置２０２がセルＣＡ内に位置し、無線基地局装置１０１Ａと通信中である状態から、無線端末装置２０２がセルＣＢに接近する方向に移動する場合を想定する。以下、無線基地局装置１０１Ａをサービング基地局１０１Ａとも称し、無線基地局装置１０１Ｂを周辺基地局１０１Ｂとも称する。
【０３２３】
（１）測定タイミングの間隔
図２３は、本発明の第２の実施の形態に係る無線基地局装置の測定制御部による測定タイミングの間隔の設定動作の流れを説明するフローチャートである。
【０３２４】
図２３を参照して、ステップＳ９１からステップＳ９３までの動作は、図６に示すステップＳ３１からステップＳ３３までの動作と同様であり、測定制御部１８は、サービング基地局１０１Ａと周辺基地局１０１Ｂとの距離、サービング基地局１０１Ａから送信される無線信号の電力に関する情報および周辺基地局１０１Ｂから送信される無線信号の電力に関する情報を取得する。
【０３２５】
そして、測定制御部１８は、取得した情報に基づいて、周辺基地局から送信される無線信号の測定タイミングの間隔を設定する。たとえば、測定制御部１８は、自己のサービング基地局１０１Ａと周辺基地局１０１Ｂとの距離が近いほど測定タイミングの間隔を短く設定する（ステップＳ９４）。
【０３２６】
なお、測定制御部１８は、たとえば、自己のサービング基地局１０１Ａから送信される無線信号の電力が大きいほど測定タイミングの間隔を短く設定してもよい。また、たとえば、測定制御部１８は、周辺基地局１０１Ｂから送信される無線信号の電力が小さいほど測定タイミングの間隔を短く設定してもよい。
【０３２７】
さらに、測定制御部１８は、自己のサービング基地局１０１Ａと周辺基地局１０１Ｂとの距離、自己のサービング基地局１０１Ａから送信される無線信号の電力および周辺基地局１０１Ｂから送信される無線信号の電力を総合的に判断することによって測定タイミングの間隔を設定してもよい。
【０３２８】
次に、サービング基地局１０１Ａの設定通知部１９は、ステップＳ９４において測定制御部１８により設定された測定タイミングの間隔を示す情報を無線端末装置２０２へ送信する。これにより、無線端末装置２０２は、サービング基地局１０１Ａから送信された情報の示す設定内容に基づいて無線信号の測定を行う（ステップＳ９５）。
【０３２９】
（２）測定開始タイミング
図２４は、本発明の第２の実施の形態に係る無線基地局装置の測定制御部による測定開始タイミングの設定動作の流れを説明するフローチャートである。
【０３３０】
図２４を参照して、ステップＳ１０１の動作は、図８に示すステップＳ４１の動作と同様である。
【０３３１】
次に、測定制御部１８は、複数の他の無線基地局装置と当該他の無線基地局装置ごとに設定されたオフセットＯＳＴとを予め対応づけて記録するメモリを、参照する。そして、測定制御部１８は、当該メモリから、周辺基地局１０１Ｂに対応づけて記録されているオフセットＯＳＴを抽出し、測定開始タイミング（同一周波測定動作におけるオフセット）として抽出したオフセットＯＳＴを設定する（ステップＳ１０２）。
【０３３２】
次に、設定通知部１９は、ステップＳ１０２において設定した測定開始タイミングすなわちオフセットＯＳＴを示す情報を無線端末装置２０２へ送信する。これにより、無線端末装置２０２は、サービング基地局１０１Ａから送信された設定内容に基づいて、サービング基地局１０１Ａとの間で使用されている無線信号の周波数と同じ周波数である無線信号の測定を行う（ステップＳ１０３）。
【０３３３】
（３）設定内容の通知動作の詳細
次に、設定通知部１９による無線端末装置２０２への設定内容の送信すなわち通知動作の詳細について説明する。
【０３３４】
サービング基地局１０１Ａの設定通知部１９は、測定制御部１８により設定された設定内容すなわち設定パラメータを測定制御部１８から取得し、取得した設定パラメータをＲＲＣコネクション再構成指示に追加して無線端末装置２０２へ送信する。
【０３３５】
このＲＲＣコネクション再構成指示は、図１１に示す設定パラメータと同様であり、このＲＲＣコネクション再構成指示には、複数のメジャメントオブジェクトＭＯ（Meas  Object  To  Add  Mod  List）を追加することができる。
【０３３６】
図２５は、図１１に示すメジャメントオブジェクトに含まれる設定パラメータの一例を示す図である。
【０３３７】
図２５を参照して、たとえば、測定制御部１８は、無線端末装置２０２の周囲に位置する周辺基地局として複数の無線基地局装置１０１Ｂが特定された場合、これら複数の無線基地局装置１０１Ｂに対してそれぞれ測定タイミングの間隔および測定開始タイミングを設定する。
【０３３８】
そして、設定通知部１９は、追加したメジャメントオブジェクトＭＯに、複数の無線基地局装置１０１Ｂのリストを示すメッセージＭＬ（Cells  To  Add  Mod  List）、各無線基地局装置１０１Ｂに対して設定された測定タイミングの間隔を示すメッセージＭＰ２（Meas  Period）、および、各無線基地局装置１０１Ｂに対して設定された測定開始タイミングを示すメッセージＭＯＳ２（Meas  Offset）を含めて、ＲＲＣコネクション再構成指示を無線端末装置２０２へ送信する。
【０３３９】
なお、測定制御部１８は、図１２に示すように、複数の無線基地局装置１０１Ｂを複数の組に分け、測定タイミングの間隔の設定および測定開始タイミングの設定を上記組ごとに行うことも可能である。
【０３４０】
そして、無線端末装置２０２は、サービング基地局１０１Ａの設定通知部１９からＲＲＣコネクション再構成指示を受信して、受信したＲＲＣコネクション再構成指示に含まれる無線基地局装置１０１Ｂのリスト、測定タイミングの間隔および測定開始タイミングなどの設定パラメータを有効にして無線信号の測定を行う。すなわち、無線端末装置２０２は、サービング基地局１０１Ａとの間で使用される無線信号と同じ周波数である無線信号の測定を行うための設定パラメータを、ＲＲＣコネクション再構成指示に含まれる設定パラメータに更新する。
【０３４１】
そして、無線端末装置２０２は、設定パラメータの更新を行うと、設定パラメータの更新が完了したことを示す通知をＲＲＣコネクション再構成完了通知に含め、このＲＲＣコネクション再構成完了通知を無線基地局装置１０１Ｂへ送信する。
【０３４２】
ところで、サービング基地局と無線端末装置との間で使用される無線信号の周波数と、周辺基地局から送信される無線信号の周波数とが同じ場合には、無線端末装置は、上記のような間欠的な測定を行う必要はない。しかしながら、この場合であっても、無線端末装置は、移動に伴ってハンドオーバ先の無線基地局装置が適切に選択されるために、周辺基地局から送信される無線信号を測定し、サービング基地局に測定結果を送信する必要がある。そして、周辺基地局が多数存在する場合には、すべての周辺基地局の測定を完了するのに時間がかかり、上記と同様に、ハンドオーバ動作のタイミングが遅れるなどの問題が発生する。
【０３４３】
これに対して、本発明の第２の実施の形態に係る無線基地局装置では、測定制御部１８が、自己の無線基地局装置以外の無線基地局装置である周辺基地局１０１Ｂから送信される無線信号の測定が無線端末装置２０２によって行われるタイミングである測定タイミングを設定する。また、設定通知部１９が、測定制御部１８による設定の内容を無線端末装置２０２に通知する。さらに、測定制御部１８は、周辺基地局１０１Ｂごとに上記設定を行う。
【０３４４】
このような構成により、周辺基地局１０１Ｂごとにタイミングをずらして無線信号の測定を行うことができるため、並行して測定することのできる測定対象の数に限りがあっても、所定期間内に測定することのできる測定対象の数を従来よりも増やすことができる。このため、周辺基地局１０１Ｂが多数存在する場合であっても測定に時間がかかることを防ぎ、周辺基地局１０１Ｂから送信される無線信号の測定を適切に行うことができ、通信の安定化を図ることができる。
【０３４５】
また、本発明の第２の実施の形態に係る無線基地局装置では、測定制御部１８は、測定タイミングの間隔を周辺基地局１０１Ｂごとに設定する。
【０３４６】
このように、測定タイミングの間隔を設定する構成により、測定動作のタイミング調整を適切かつ容易に行うことができる。
【０３４７】
また、本発明の第２の実施の形態に係る無線基地局装置では、測定制御部１８は、自己の無線基地局装置と周辺基地局１０１Ｂとの距離が近いほど測定タイミングの間隔を短く設定する。
【０３４８】
このような構成により、正確な測定を行うことが困難となる可能性の高い周辺基地局からの無線信号を優先的に多く測定して、一層通信の安定化を図ることができる。
【０３４９】
また、本発明の第２の実施の形態に係る無線基地局装置では、測定制御部１８は、自己の無線基地局装置が送信する無線信号の電力が大きいほど測定タイミングの間隔を短く設定する。
【０３５０】
このような構成により、正確な測定を行うことが困難となる可能性の高い状況であるほど、周辺基地局から送信される無線信号を高い頻度で測定して、一層通信の安定化を図ることができる。
【０３５１】
また、本発明の第２の実施の形態に係る無線基地局装置では、測定制御部１８は、周辺基地局１０１Ｂから送信される無線信号の電力が大きいほど測定タイミングの間隔を短く設定する。
【０３５２】
このような構成により、正確な測定を行うことが困難となる可能性の高い周辺基地局からの無線信号を優先的に多く測定して、一層通信の安定化を図ることができる。
【０３５３】
また、本発明の第２の実施の形態に係る無線基地局装置では、測定制御部１８は、周辺基地局１０１Ｂから送信される無線信号の測定開始タイミングを周辺基地局１０１Ｂごとに設定する。
【０３５４】
このように、測定開始タイミングを設定する構成により、測定動作のタイミング調整を適切かつ容易に行うことができる。
【０３５５】
＜第３の実施の形態＞
次に、本発明の第３の実施の形態について説明する。上述した第１の実施の形態では、無線端末装置２０２のハンドオーバ動作により、複数の無線基地局装置のうち選択された無線基地局装置と、無線端末装置２０２との間で通信が行われる場合について説明した。
【０３５６】
これに対して、本発明の第３の実施の形態に係る通信システム４０３では、無線端末装置２０３が、プライマリセルを形成するプライマリ基地局との無線信号の送受信、および、セカンダリセルを形成するセカンダリ基地局との無線信号の送受信を並行して行うことが可能である場合について説明する。
【０３５７】
［構成および基本動作］
図２６は、本発明の第３の実施の形態に係る無線基地局装置を備える通信システムの構成を示す図である。
【０３５８】
３ＧＰＰにおいて、より高速なデータ伝送を実現するための技術として、キャリア・アグリゲーション（Carrier  Aggregation）が検討されている。このキャリア・アグリゲーションとは、複数の異なる周波数（コンポーネントキャリア（Component  Carrier））を集約して使用することにより伝送レートを向上させる技術である。
【０３５９】
たとえば、キャリア・アグリゲーションによって周波数帯域幅が２０ＭＨｚのコンポーネントキャリアを５つ集約した場合、無線端末装置２０３はこれらを一つの１００ＭＨｚの周波数帯域幅とみなしてデータ伝送を行うことが可能となる。なお、集約するコンポーネントキャリアは、連続した周波数であっても、全部または一部が不連続となる周波数であってもよい。
【０３６０】
図２６を参照して、通信システム４０３は、たとえば３ＧＰＰで規格化されたＬＴＥ（Long  Term  Evolution）に従う移動体通信システムであり、無線基地局装置３０１を備える。
【０３６１】
無線基地局装置（設定装置）３０１は、プライマリ送受信部３０２（プライマリ基地局）およびセカンダリ送受信部３０３ａ，３０３ｂ，３０３ｃ（セカンダリ基地局）を含む。無線基地局装置３０１は、無線端末装置２０３の動作に関する設定を行う。
【０３６２】
プライマリ送受信部３０２は、プライマリセルＰＣｅｌｌ（Primary  Cell）を形成する。セカンダリ送受信部３０３ａは、セカンダリセルＳＣｅｌｌ（Secondary  Cell）−ａを形成し、セカンダリ送受信部３０３ｂは、セカンダリセルＳＣｅｌｌ−ｂを形成し、セカンダリ送受信部３０３ｃは、セカンダリセルＳＣｅｌｌ−ｃを形成する。以下、セカンダリセルＳＣｅｌｌ−ａ，ＳＣｅｌｌ−ｂ，ＳＣｅｌｌ−ｃを総称して「セカンダリセルＳＣｅｌｌ」とも称する。また、セカンダリ送受信部３０３ａ，３０３ｂ，３０３ｃの各々を、以下「セカンダリ送受信部３０３」とも称する。
【０３６３】
プライマリ送受信部３０２およびセカンダリ送受信部３０３ａ，３０３ｂ，３０３ｃは、たとえば各々異なる位置に設けられたアンテナまたは無線基地局装置である。また、プライマリ送受信部３０２により送受信される無線信号の周波数帯域と、セカンダリ送受信部３０３ａ，３０３ｂ，３０３ｃにより送受信される無線信号の周波数帯域とは異なる。たとえば、プライマリ送受信部３０２により送受信される無線信号の周波数帯域は２ＧＨｚ帯であり、セカンダリ送受信部３０３ａ，３０３ｂ，３０３ｃにより送受信される無線信号の周波数帯域は３．５ＧＨｚ帯である。
【０３６４】
なお、セカンダリ送受信部３０３ａ，３０３ｂ，３０３ｃは、それぞれ異なる周波数帯域の無線信号を送受信してもよい。
【０３６５】
無線端末装置２０３は、プライマリ送受信部３０２との無線信号の送受信、および、セカンダリ送受信部３０３との無線信号の送受信を並行して行うことが可能、すなわちキャリア・アグリゲーションを使用することが可能である。
【０３６６】
より詳細には、無線端末装置２０３は、まず、プライマリ送受信部３０２との間で無線信号の送受信を行う。そして、無線端末装置２０３は、プライマリ送受信部３０２との間における無線信号の送受信と並行して、自己の周囲に位置するセカンダリ送受信部３０３ａ，３０３ｂ，３０３ｃから送信される無線信号の測定動作であるセカンダリ測定動作を行う。
【０３６７】
そして、たとえば無線端末装置２０３がセカンダリ測定動作を行いながら移動し、セカンダリ送受信部３０３ａへ接近することによって、セカンダリ送受信部３０３ａから送信される無線信号の受信電力の大きさが所定の閾値を超えた場合、セカンダリ送受信部３０３ａが無線端末装置２０３の通信接続先として選択される。
【０３６８】
そして、無線端末装置２０３は、プライマリ送受信部３０２との間における無線信号の送受信と、通信接続先として選択されたセカンダリ送受信部３０３ａとの間における無線信号の送受信とを並行して行う。
【０３６９】
なお、図２６では、プライマリセルＰＣｅｌｌ内に３つのセカンダリセルＳＣｅｌｌが位置している状態を示しているが、セカンダリセルは、１つ、２つ、または、４つ以上であってもよい。また、セカンダリセルＳＣｅｌｌはプライマリセルＰＣｅｌｌの外に位置していてもよい。さらに、プライマリセルＰＣｅｌｌの半径とセカンダリセルＳＣｅｌｌの半径とが略同一、または、プライマリセルＰＣｅｌｌの半径がセカンダリセルＳＣｅｌｌの半径より小さくてもよい。
【０３７０】
次に、通信システム４０３におけるセカンダリセルＳＣｅｌｌの有効化処理、すなわちセカンダリ送受信部３０３ａ，３０３ｂ，３０３ｃのうちの少なくとも１つのセカンダリ送受信部が無線端末装置２０３の通信接続先として選択されるまでの処理の流れについて説明する。無線基地局装置３０１および無線端末装置２０３は、以下のシーケンスおよび各フローの各ステップを含むプログラムを図示しないメモリから読み出して実行する。このプログラムは、外部からインストールすることができる。このインストールされるプログラムは、たとえば記録媒体に格納された状態で流通する。
【０３７１】
図２７は、本発明の第３の実施の形態に係る無線基地局装置を備える通信システムにおけるセカンダリセルの有効化処理のシーケンスの一例を示す図である。
【０３７２】
ここでは、図２６に示すように、無線端末装置２０３がプライマリセルＰＣｅｌｌ内に位置し、プライマリ送受信部３０２と通信中である状態から、さらに、無線端末装置２０３が移動することにより、セカンダリ送受信部３０３ａ，３０３ｂ，３０３ｃのうちのいずれかのセカンダリ送受信部に接近して当該セカンダリ送受信部との通信を開始する場合を想定する。
【０３７３】
図２７を参照して、まず、無線基地局装置３０１は、プライマリ送受信部３０２と通信中の無線端末装置２０３における無線信号の受信能力の問合せを無線端末装置２０３へ送信する。
【０３７４】
詳細には、無線基地局装置３０１は、無線端末装置２０３が、プライマリ送受信部３０２との間における無線信号の送受信と、セカンダリ送受信部３０３との間における無線信号の送受信とを並行して行うことができるか否か、すなわちキャリア・アグリゲーションを使用することができるか否かを、プライマリ送受信部３０２経由で当該無線端末装置２０３に対して問い合わせる（端末能力問合せ）（ステップＳ１１１）。
【０３７５】
次に、無線端末装置２０３は、無線基地局装置３０１から端末能力問合せを受信して、自己の受信能力すなわちキャリア・アグリゲーションを使用することができるか否かを示す端末能力応答を無線基地局装置３０１へ送信する（ステップＳ１１２）。なお、ここでは、無線端末装置２０３は、キャリア・アグリゲーションを使用できることを示す端末能力応答を無線基地局装置３０１へ送信することとする。
【０３７６】
次に、無線基地局装置３０１は、無線端末装置２０３から端末能力応答を受信して、無線端末装置２０３がキャリア・アグリゲーションを使用可能であることを確認する（ステップＳ１１３）。
【０３７７】
次に、無線基地局装置３０１は、たとえば、ＧＰＳまたはＬＰＰを利用することにより無線端末装置２０３の位置を推定し、推定した無線端末装置２０３の位置情報と、予め記憶する複数のセカンダリ送受信部３０３の位置情報とに基づいて、無線端末装置２０３の周囲に存在する１または複数のセカンダリ送受信部を特定する。ここでは、無線基地局装置３０１は、たとえば図２６に示すセカンダリ送受信部３０３ａ，３０３ｂ，３０３ｃを、無線端末装置２０３の周囲に位置するセカンダリ送受信部として特定する（ステップＳ１１４）。
【０３７８】
次に、無線基地局装置３０１は、プライマリ送受信部３０２、セカンダリ送受信部３０３および無線端末装置２０３のうち少なくとも１つに関する情報に基づいて、無線端末装置２０３によりセカンダリ測定動作が行われるタイミングであるセカンダリ測定タイミングの間隔の設定を行う（ステップＳ１１５）。たとえば、無線基地局装置３０１は、無線端末装置２０３とプライマリ送受信部３０２との距離、または、無線端末装置２０３とセカンダリ送受信部３０３ａ，３０３ｂ，３０３ｃとの距離などを用いて、セカンダリ測定タイミングの間隔の設定を行う。このセカンダリ測定タイミングの間隔の設定の詳細については後述する。
【０３７９】
次に、無線基地局装置３０１は、プライマリ送受信部３０２経由で、無線端末装置２０３へＲＲＣ（Radio  Resource  Control）コネクション再構成指示（RRC  Connection  Reconfiguration）を送信する。このＲＲＣコネクション再構成指示に、ステップＳ１１４において特定したセカンダリ送受信部を示す識別情報、および、ステップＳ１１５において設定した設定内容等が含まれる（ステップＳ１１６）。
【０３８０】
次に、無線端末装置２０３は、ＲＲＣコネクション再構成指示を受信して、このＲＲＣコネクション再構成指示に含まれるセカンダリ送受信部を示す識別情報および設定内容に基づいて、自己の周囲に位置する１または複数のセカンダリ送受信部から送信される無線信号に対してセカンダリ測定動作を開始する。そして、無線端末装置２０３は、自己の周囲に位置する１または複数のセカンダリ送受信部から送信される無線信号の中から、受信電力の大きさが所定の閾値を超える無線信号の検出を行う（ステップＳ１１７）。
【０３８１】
ここでは、無線端末装置２０３がセカンダリ測定動作を行いながら移動し、セカンダリ送受信部３０３ａへ接近することによって、セカンダリ送受信部３０３ａから送信される無線信号の受信電力の大きさが所定の閾値を超える場合を想定する。
【０３８２】
次に、無線端末装置２０３は、セカンダリ測定動作により得られた測定結果を示す測定結果通知（Measurement  Report）を無線基地局装置３０１へ送信する。この測定結果通知には、無線端末装置２０３における受信電力の大きさが所定の閾値を超える無線信号の送信元、すなわちセカンダリ送受信部３０３ａを示す識別情報等が含まれている（ステップＳ１１８）。
【０３８３】
次に、無線基地局装置３０１は、無線端末装置２０３から測定結果通知を受けて、セカンダリ送受信部３０３ａを、無線端末装置２０３の新たな通信接続先として追加することを決定する。そして、無線基地局装置３０１は、セカンダリ送受信部３０３ａを新たな通信接続先とすることを示す情報を含むＲＲＣコネクション再構成指示を、プライマリ送受信部３０２経由で無線端末装置２０３へ送信する（ステップＳ１１９）。
【０３８４】
次に、無線端末装置２０３は、ＲＲＣコネクション再構成指示を受信して、このＲＲＣコネクション再構成指示に従って、セカンダリ送受信部３０３ａにより形成されるセカンダリセルＳＣｅｌｌ−ａを有効化する。すなわち、無線端末装置２０３は、プライマリ送受信部３０２との無線信号の送受信に加えて、セカンダリ送受信部３０３ａとの無線信号の送受信を行うことを決定する（ステップＳ１２０）。
【０３８５】
そして、無線端末装置２０３は、無線基地局装置３０１へＲＲＣコネクション再構成完了通知（RRC  Connection  Reconfiguration  Complete）を送信する（ステップＳ１２１）。
【０３８６】
［キャリア・アグリゲーションを使用する場合における課題］
ここで、キャリア・アグリゲーションを使用可能な無線端末装置２０３は、プライマリ送受信部３０２ａとの間の無線信号の送受信とセカンダリ送受信部３０３との間の無線信号の送受信とを並行して行うことができるため、異周波測定期間を設ける必要はない。
【０３８７】
しかしながら、無線端末装置２０３は、前述のように、セカンダリ送受信部３０３を新たな通信接続先として選択すべきであるか否かを判断するため、これらセカンダリ送受信部３０３から送信される無線信号の測定、すなわちセカンダリ測定動作を行う必要がある。そして、無線端末装置２０３の周囲にセカンダリ送受信部３０３が多数存在する場合には、すべてのセカンダリ送受信部３０３に対するセカンダリ測定動作を完了するまでに長時間を要するとともに、多くの電力を消費するという問題がある。
【０３８８】
［本発明の第３の実施の形態に係る無線基地局装置の構成］
図２８は、本発明の第３の実施の形態に係る無線基地局装置の構成を示す図である。
【０３８９】
図２８を参照して、無線基地局装置３０１は、プライマリ送受信部３０２と、セカンダリ送受信部３０３ａ，３０３ｂ，３０３ｃとを含む。プライマリ送受信部３０２は、アンテナ１８１と、サーキュレータ１８２と、無線受信部１８３と、無線送信部１８４と、信号処理部１８５と、制御部１８８とを有する。
【０３９０】
信号処理部１８５は、受信信号処理部１８６と、送信信号処理部１８７とを有する。また、制御部１８８は、セカンダリ測定制御部１８９と、設定通知部１９０とを有する。信号処理部１８５および制御部１８８は、ＣＰＵ（Central  Processing  Unit）またはＤＳＰ（Digital  Signal  Processor）等によって実現される。
【０３９１】
アンテナ１８１から送信される無線信号を用いた無線端末装置２０３との通信が可能となる領域がプライマリセルＰＣｅｌｌである。サーキュレータ１８２は、アンテナ１８１において受信された無線端末装置２０３からの無線信号を無線受信部１８３へ出力し、また、無線送信部１８４から受けた無線信号をアンテナ１８１へ出力する。
【０３９２】
無線受信部１８３は、サーキュレータ１８２から受けた無線信号をベースバンド信号またはＩＦ（Intermediate  Frequency）信号に周波数変換し、この周波数変換した信号をデジタル信号に変換して受信信号処理部１８６へ出力する。
【０３９３】
無線送信部１８４は、送信信号処理部１８７から受けたデジタル信号をアナログ信号に変換し、変換したアナログ信号を無線信号に周波数変換してサーキュレータ１８２へ出力する。
【０３９４】
セカンダリ送受信部３０３ａは、アンテナ１９１ａと、サーキュレータ１９２ａと、無線受信部１９３ａと、無線送信部１９４ａとを有する。セカンダリ送受信部３０３ｂは、アンテナ１９１ｂと、サーキュレータ１９２ｂと、無線受信部１９３ｂと、無線送信部１９４ｂとを有する。セカンダリ送受信部３０３ｃは、アンテナ１９１ｃと、サーキュレータ１９２ｃと、無線受信部１９３ｃと、無線送信部１９４ｃとを有する。
【０３９５】
アンテナ１９１ａから送信される無線信号を用いた無線端末装置２０３との通信が可能となる領域がセカンダリセルＳＣｅｌｌ−ａであり、アンテナ１９１ｂから送信される無線信号を用いた無線端末装置２０３との通信が可能となる領域がセカンダリセルＳＣｅｌｌ−ｂであり、アンテナ１９１ｃから送信される無線信号を用いた無線端末装置２０３との通信が可能となる領域がセカンダリセルＳＣｅｌｌ−ｃである。
【０３９６】
サーキュレータ１９２ａ，１９２ｂ，１９２ｃは、それぞれ、対応のアンテナ１９１ａ，１９１ｂ，１９１ｃにおいて受信された無線端末装置２０３からの無線信号を、対応の無線受信部１９３ａ，１９３ｂ，１９３ｃへ出力する。また、サーキュレータ１９２ａ，１９２ｂ，１９２ｃは、それぞれ、対応の無線送信部１９４ａ，１９４ｂ，１９４ｃから受けた無線信号を、対応のアンテナ１９１ａ，１９１ｂ，１９１ｃへ出力する。
【０３９７】
無線受信部１９３ａ，１９３ｂ，１９３ｃは、それぞれ、対応のサーキュレータ１９２ａ，１９２ｂ，１９２ｃから受けた無線信号をベースバンド信号またはＩＦ信号に周波数変換し、この周波数変換した信号をデジタル信号に変換して受信信号処理部１８６へ出力する。
【０３９８】
無線送信部１９４ａ，１９４ｂ，１９４ｃは、送信信号処理部１８７から受けたデジタル信号をアナログ信号に変換し、変換したアナログ信号を無線信号に周波数変換して、対応のサーキュレータ１９２ａ，１９２ｂ，１９２ｃへ出力する。
【０３９９】
受信信号処理部１８６は、無線受信部１８３および無線受信部１９３ａ，１９３ｂ，１９３ｃからそれぞれ受けたデジタル信号に対してＣＤＭＡ（Code  Division  Multiple  Access）方式における逆拡散等の信号処理を行なう。そして、受信信号処理部１８６は、これらのデジタル信号を必要に応じて結合し、所定のフレームフォーマットに変換してコアネットワーク側へ送信する。
【０４００】
送信信号処理部１８７は、コアネットワーク側から受信した通信データを所定のフレームフォーマットに変換した通信データまたは自ら生成した通信データに対してＯＦＤＭ（Orthogonal  Frequency  Division  Multiplex）方式におけるＩＦＦＴ（Inverse  Fast  Fourier  Transform）等の信号処理を行ない、この信号処理後のデジタル信号を複数の異なる周波数帯域に分散する。
【０４０１】
具体的には、無線基地局装置３０１は、アンテナ１８１およびアンテナ１９１ａ，１９１ｂ，１９１ｃのそれぞれにより送受信される無線信号の周波数帯域を予め記憶する。ここで、たとえば、プライマリ送受信部３０２に加えて、セカンダリ送受信部３０３ａ，３０３ｂ，３０３ｃのうちセカンダリ送受信部３０３ａが無線端末装置２０３との間で通信接続を確立している状況を想定する。このような状況の場合、送信信号処理部１８７は、信号処理後のデジタル信号を、プライマリ送受信部３０２のアンテナ１８１経由で送信されるデジタル信号と、セカンダリ送受信部３０３ａのアンテナ１９１ａ経由で送信されるデジタル信号とに分割する。
【０４０２】
そして、送信信号処理部１８７は、プライマリ送受信部３０２に割り当てたデジタル信号を無線送信部１８４へ出力し、セカンダリ送受信部３０３ａに割り当てたデジタル信号を１９４ａへ出力する。なお、セカンダリ送受信部３０３ｂまたはセカンダリ送受信部３０３ｃが無線端末装置２０３との間で通信接続を確立されている状況の場合も、上記と同様に、送信信号処理部１８７は、信号処理後のデジタル信号を、プライマリ送受信部３０２と、セカンダリ送受信部３０３ｂまたはセカンダリ送受信部３０３ｃとに分割し、それぞれ対応の無線送受信部へ出力する。
【０４０３】
制御部１８８は、無線基地局装置３０１における各ユニットおよびコアネットワークとの間で各種情報をやり取りする。
【０４０４】
制御部１８８のセカンダリ測定制御部１８９は、無線端末装置２０３に対して端末能力問合せを行い、無線端末装置２０３から端末能力応答を受信する。この端末能力応答が、無線端末装置２０３がキャリア・アグリゲーションを使用することができることを示す場合、セカンダリ測定制御部１８９は、無線端末装置２０３とプライマリ送受信部３０２との距離、または、無線端末装置２０３とセカンダリ送受信部３０３との距離などを用いて、セカンダリ測定タイミングの間隔の設定を行う。
【０４０５】
設定通知部１９０は、セカンダリ測定制御部１８９により設定された設定内容を取得して、当該設定内容を無線送信部１８４経由で無線端末装置２０３へ送信する。
【０４０６】
なお、図２８におけるアンテナ１８１、サーキュレータ１８２、無線受信部１８３、無線送信部１８４、信号処理部１８５、および、セカンダリ送受信部３０３ａ，３０３ｂ，３０３ｃは、本発明において必須の構成要素ではない。無線基地局装置３０１は、これらの構成要素を備えなくても、周辺基地局から送信される無線信号の測定において、無線端末装置２０３における周辺基地局からの無線信号の測定動作を適切に行い、通信の安定化を図るという本発明の目的を達成することが可能である。
【０４０７】
［セカンダリ測定タイミングの間隔の設定の詳細］
次に、セカンダリ測定制御部１８９によるセカンダリ測定タイミングの間隔の設定動作について、「具体例１」から「具体例５」に分けて説明する。
【０４０８】
（具体例１）無線端末装置とプライマリ送受信部との距離に基づく設定
図２９は、本発明の第３の実施の形態に係る無線基地局装置のセカンダリ測定制御部によるセカンダリ測定タイミングの間隔の設定動作の流れを説明するフローチャートの一例（その１）である。
【０４０９】
図２９を参照して、まず、本発明の第３の実施の形態に係る無線基地局装置３０１は、無線端末装置２０３の位置情報と、予め記憶するプライマリ送受信部３０２の位置情報とに基づいて、当該無線端末装置２０３とプライマリ送受信部３０２との距離を算出する（ステップＳ１３１）。
【０４１０】
次に、無線基地局装置３０１のセカンダリ測定制御部１８９は、算出された無線端末装置２０３とプライマリ送受信部３０２との距離に基づいて、セカンダリ測定タイミングの間隔を設定する。
【０４１１】
ここで、無線端末装置２０３とプライマリ送受信部３０２との距離が遠いほど、無線端末装置２０３はプライマリセルＰＣｅｌｌのセルエッジ付近に位置している可能性が高く、無線端末装置２０３がプライマリセルＰＣｅｌｌの中心付近に位置している場合と比較して、無線端末装置２０３およびプライマリ送受信部３０２間の通信品質が悪い可能性が高い。このため、無線端末装置２０３とプライマリ送受信部３０２との距離が遠い場合ほど、無線端末装置２０３の通信接続先となるセカンダリ送受信部の選択を早期に行う必要性が高い。
【０４１２】
従って、セカンダリ測定制御部１８９は、たとえば、無線端末装置２０３とプライマリ送受信部３０２との距離が遠い状況であるほど、セカンダリ送受信部３０３ａ，３０３ｂ，３０３ｃから送信される無線信号の測定が高い頻度で行われるように、セカンダリ測定タイミングの間隔を短く設定する（ステップＳ１３２）。
【０４１３】
次に、無線基地局装置３０１の設定通知部１９０は、セカンダリ測定制御部１８９により設定されたセカンダリ測定タイミングの間隔を示す情報を無線端末装置２０３へ送信する。これにより、無線端末装置２０３は、無線基地局装置３０１から送信された情報の示す設定内容に基づいてセカンダリ測定動作を行う（ステップＳ１３３）。
【０４１４】
（具体例２）無線端末装置とセカンダリ送受信部との距離に基づく設定
図３０は、本発明の第３の実施の形態に係る無線基地局装置のセカンダリ測定制御部によるセカンダリ測定タイミングの間隔の設定動作の流れを説明するフローチャートの一例（その２）である。
【０４１５】
図３０を参照して、まず、本発明の第３の実施の形態に係る無線基地局装置３０１は、無線端末装置２０３の位置情報と、予め記憶する複数のセカンダリ送受信部３０３ａ，３０３ｂ，３０３ｃの位置情報とに基づいて、図２７に示すステップＳ１１４において特定された１または複数のセカンダリ送受信部ごとに無線端末装置２０３との距離を算出する（ステップＳ１４１）。
【０４１６】
次に、無線基地局装置３０１のセカンダリ測定制御部１８９は、算出された無線端末装置２０３と特定された各セカンダリ送受信部３０３との距離に基づいて、セカンダリ送受信部３０３ごとにセカンダリ測定タイミングの間隔を設定する。
【０４１７】
ここで、無線端末装置２０３とセカンダリ送受信部３０３ａ，３０３ｂ，３０３ｃとの距離が遠いほど、無線端末装置２０３およびセカンダリ送受信部間の通信品質が悪い可能性が高い。従って、セカンダリ測定制御部１８９は、たとえば、無線端末装置２０３との距離が遠いセカンダリ送受信部ほど、セカンダリ測定動作の頻度を少なくして電力の消費を抑えるため、セカンダリ測定タイミングの間隔を長く設定する（ステップＳ１４２）。
【０４１８】
たとえば、無線端末装置２０３の周囲に存在するセカンダリ送受信部として、セカンダリ送受信部３０３ａおよびセカンダリ送受信部３０３ｂが特定された場合であって、無線端末装置２０３とセカンダリ送受信部３０３ａとの距離の方が、無線端末装置２０３とセカンダリ送受信部３０３ｂとの距離よりも遠い場合を想定する。この場合、セカンダリ測定制御部１８９は、セカンダリ送受信部３０３ａから送信される無線信号のセカンダリ測定タイミングの間隔を、セカンダリ送受信部３０３ｂから送信される無線信号のセカンダリ測定タイミングの間隔よりも長く設定する。
【０４１９】
次に、無線基地局装置３０１の設定通知部１９０は、セカンダリ測定制御部１８９により設定されたセカンダリ測定タイミングの間隔を示す情報を無線端末装置２０３へ送信する。これにより、無線端末装置２０３は、無線基地局装置３０１から送信された情報の示す設定内容に基づいてセカンダリ測定動作を行う（ステップＳ１４３）。
【０４２０】
（具体例３）プライマリ送受信部からの無線信号の受信電力の大きさに基づく設定
図３１は、本発明の第３の実施の形態に係る無線基地局装置のセカンダリ測定制御部によるセカンダリ測定タイミングの間隔の設定動作の流れを説明するフローチャートの一例（その３）である。
【０４２１】
図３１を参照して、まず、本発明の第３の実施の形態に係る無線基地局装置３０１は、プライマリ送受信部３０２から送信される無線信号の無線端末装置２０３における受信電力に関する情報を取得する（ステップＳ１５１）。
【０４２２】
次に、無線基地局装置３０１のセカンダリ測定制御部１８９は、ステップＳ１５１において取得した受信電力に関する情報に基づいて、セカンダリ測定タイミングを設定する。
【０４２３】
ここで、プライマリ送受信部３０２から送信される無線信号の無線端末装置２０３における受信電力が小さいほど、無線端末装置２０３およびプライマリ送受信部３０２間の通信品質が悪い可能性が高い。このため、プライマリ送受信部３０２から送信される無線信号の無線端末装置２０３における受信電力が小さいほど、無線端末装置２０３の通信接続先となるセカンダリ送受信部の選択を早期に行う必要性が高い。
【０４２４】
従って、セカンダリ測定制御部１８９は、たとえば、プライマリ送受信部３０２から送信される無線信号の無線端末装置２０３における受信電力が小さいほど、セカンダリ送受信部３０３ａ，３０３ｂ，３０３ｃから送信される無線信号の測定が高い頻度で行われるように、セカンダリ測定タイミングの間隔を短く設定する（ステップＳ１５２）。
【０４２５】
次に、無線基地局装置３０１の設定通知部１９０は、セカンダリ測定制御部１８９により設定されたセカンダリ測定タイミングの間隔を示す情報を無線端末装置２０３へ送信する。これにより、無線端末装置２０３は、無線基地局装置３０１から送信された情報の示す設定内容に基づいてセカンダリ測定動作を行う（ステップＳ１５３）。
【０４２６】
（具体例４）セカンダリ送受信部からの無線信号の周波数に基づく設定（１）
図３２は、本発明の第３の実施の形態に係る無線基地局装置のセカンダリ測定制御部によるセカンダリ測定タイミングの間隔の設定動作の流れを説明するフローチャートの一例（その４）である。
【０４２７】
図３２を参照して、まず、本発明の第３の実施の形態に係る無線基地局装置３０１は、図２７に示すステップＳ１１４において特定された１または複数のセカンダリ送受信部３０３から送信される無線信号に関する情報を取得する。この無線信号に関する情報には、各セカンダリ送受信部３０３から送信される無線信号の周波数を示す情報が含まれている（ステップＳ１６１）。
【０４２８】
次に、無線基地局装置３０１のセカンダリ測定制御部１８９は、ステップＳ１６１において取得した無線信号に関する情報に基づいて、セカンダリ送受信部ごとに、セカンダリ測定タイミングを設定する。
【０４２９】
ここで、セカンダリ送受信部３０３ａ，３０３ｂ，３０３ｃから送信される無線信号の周波数が高い場合、当該無線信号の減衰が大きく無線端末装置２０３との間の通信品質が悪くなるため、当該セカンダリ送受信部を通信接続先とする無線端末装置の数は比較的少ないことが考えられる。このため、無線端末装置２０３の通信接続先として当該セカンダリ送受信部が選択された場合、無線端末装置２０３および当該セカンダリ送受信部間の通信速度の設定値を大きくすることができる可能性が高い。
【０４３０】
従って、セカンダリ測定制御部１８９は、たとえば、特定されたセカンダリ送受信部のうち、送信する無線信号の周波数が高いセカンダリ送受信部ほど、セカンダリ測定動作が優先的に多く行われるように、セカンダリ測定タイミングの間隔を短く設定する（ステップＳ１６２）。
【０４３１】
たとえば、無線端末装置２０３の周囲に存在するセカンダリ送受信部として、セカンダリ送受信部３０３ａおよびセカンダリ送受信部３０３ｂが特定された場合であって、セカンダリ送受信部３０３ａから送信される無線信号の周波数がｆ４であり、セカンダリ送受信部３０３ｂから送信される無線信号の周波数がｆ５であり、周波数ｆ５が周波数ｆ４よりも高い場合（ｆ５＞ｆ４）を想定する。この場合、セカンダリ測定制御部１８９は、セカンダリ送受信部３０３ａからの周波数ｆ４の無線信号のセカンダリ測定タイミングの間隔よりも、セカンダリ送受信部３０３ｂからの周波数ｆ５の無線信号のセカンダリ測定タイミングの間隔を短く設定する。
【０４３２】
次に、無線基地局装置３０１の設定通知部１９０は、セカンダリ測定制御部１８９により設定されたセカンダリ測定タイミングの間隔を示す情報を無線端末装置２０３へ送信する。これにより、無線端末装置２０３は、無線基地局装置３０１から送信された情報の示す設定内容に基づいてセカンダリ測定動作を行う（ステップＳ１６３）。
【０４３３】
（具体例５）セカンダリ送受信部からの無線信号の周波数に基づく設定（２）
具体例５におけるセカンダリ測定タイミングの間隔の設定動作の流れは、図３２に示す具体例４におけるセカンダリ測定タイミングの間隔の設定動作の流れと概ね同様であり、ステップＳ１６２におけるセカンダリ測定タイミングの設定動作のみ異なるため、ここでは具体例４と異なる点であるステップＳ１６２の動作について説明する。
【０４３４】
上述した具体例４では、図３２に示すステップＳ１６２において、セカンダリ測定制御部１８９は、セカンダリ送受信部から送信される無線信号の周波数が高いほどセカンダリ測定タイミングの間隔を短く設定する。これに対して、具体例５では、セカンダリ測定制御部１８９は、たとえば、セカンダリ送受信部から送信される無線信号の周波数が高いほどセカンダリ測定タイミングの間隔を長く設定する。
【０４３５】
ここで、セカンダリ送受信部３０３ａ，３０３ｂ，３０３ｃから送信される無線信号の周波数が低い場合、当該無線信号の減衰が小さく無線端末装置２０３との間の通信品質が良くなる。このため、セカンダリ測定制御部１８９は、特定されたセカンダリ送受信部のうち、送信する無線信号の周波数が低いセカンダリ送受信部ほど優先的に多くの測定が行われるように、セカンダリ測定タイミングの間隔を短く設定する。
【０４３６】
たとえば、無線端末装置２０３の周囲に存在するセカンダリ送受信部として、セカンダリ送受信部３０３ａおよびセカンダリ送受信部３０３ｂが特定された場合であって、セカンダリ送受信部３０３ａから送信される無線信号の周波数がｆ４であり、セカンダリ送受信部３０３ｂから送信される無線信号の周波数がｆ５であり、周波数ｆ５が周波数ｆ４よりも高い場合（ｆ５＞ｆ４）を想定する。この場合、セカンダリ測定制御部１８９は、セカンダリ送受信部３０３ｂからの周波数ｆ５の無線信号のセカンダリ測定タイミングの間隔よりも、セカンダリ送受信部３０３ａからの周波数ｆ４の無線信号のセカンダリ測定タイミングの間隔を短く設定する。
【０４３７】
なお、本発明の第３の実施の形態に係る無線基地局装置は、上述した具体例１から具体例５に記載の形態に限定されず、たとえばセカンダリ測定制御部１８９は、「無線端末装置２０３とプライマリ送受信部３０２との距離」（具体例１）、「無線端末装置２０３とセカンダリ送受信部３０３との距離」（具体例２）、「プライマリ送受信部３０２からの無線信号の受信電力の大きさ」（具体例３）、および、「セカンダリ送受信部３０３からの無線信号の周波数」（具体例４および具体例５）のうち少なくとも２つ以上を基準とし、たとえば各基準に基づく評価関数を用いることによって、これらの基準を総合的に判断してセカンダリ測定タイミングの間隔を設定することも可能である。
【０４３８】
［設定内容の通知動作の詳細］
次に、設定通知部１９０による無線端末装置２０３への設定内容の通知動作の詳細について説明する。
【０４３９】
無線基地局装置３０１の設定通知部１９０は、セカンダリ測定制御部１８９により設定された設定内容である設定パラメータ、すなわちセカンダリ測定タイミングの間隔を示す情報をセカンダリ測定制御部１８９から取得し、取得した設定パラメータをＲＲＣコネクション再構成指示に含めて無線端末装置２０３へ送信する。
【０４４０】
このＲＲＣコネクション再構成指示は、図１１に示す設定パラメータと同様であり、このＲＲＣコネクション再構成指示には、複数のメジャメントオブジェクトＭＯ（Meas  Object  To  Add  Mod  List）を追加することができる。
【０４４１】
図３３は、本発明の第３の実施の形態に係る無線基地局装置から送信されるメジャメントオブジェクトに含まれる設定パラメータの一例を示す図である。
【０４４２】
図３３を参照して、セカンダリ測定制御部１８９は、無線端末装置２０３の周囲に存在する１または複数のセカンダリ送受信部が特定された場合、追加したメジャメントオブジェクトＭＯに、特定された１または複数のセカンダリ送受信部の識別情報を示すメッセージＭＬ２、および、セカンダリ送受信部ごとに設定されたセカンダリ測定タイミングの間隔を示すメッセージＭＣＳＤ（Meas  Cycle  SCell  Dedicated）を含めて、ＲＲＣコネクション再構成指示を無線端末装置２０２へ送信する。
【０４４３】
なお、図３３では、上述した具体例２、具体例４または具体例５のように、セカンダリ送受信部ごとにセカンダリ測定タイミングの間隔が設定された場合における、メジャメントオブジェクトに含まれる設定パラメータの一例を示している。しかしながら、具体例１または具体例３のように、特定された複数のセカンダリ送受信部に対して共通のセカンダリ測定タイミングが設定される場合もある。このような場合、セカンダリ測定制御部１８９は、設定した共通のセカンダリ測定タイミングを示すメッセージを、メジャメントオブジェクトに含めることができる。
【０４４４】
そして、無線端末装置２０３は、無線基地局装置３０１の設定通知部１９０からＲＲＣコネクション再構成指示を受信して、たとえば、受信したＲＲＣコネクション再構成指示に含まれる１または複数のセカンダリ送受信部の識別情報およびセカンダリ送受信部ごとのセカンダリ測定タイミングの間隔に従ってセカンダリ測定動作を行う。すなわち、無線端末装置２０３は、各セカンダリ送受信部から送信される無線信号の測定を行うための設定パラメータを、ＲＲＣコネクション再構成指示に含まれる設定パラメータに更新する。
【０４４５】
そして、無線端末装置２０３は、設定パラメータの更新を行うと、設定パラメータの更新が完了したことを示す通知をＲＲＣコネクション再構成完了通知に含め、このＲＲＣコネクション再構成完了通知を無線基地局装置３０１へ送信する。
【０４４６】
ところで、キャリア・アグリゲーションを使用可能な無線端末装置２０３は、プライマリ送受信部３０２ａとの間の無線信号の送受信とセカンダリ送受信部３０３との間の無線信号の送受信とを並行して行うことができるため、異周波測定期間を設ける必要はない。
【０４４７】
しかしながら、無線端末装置２０３は、前述のように、セカンダリ送受信部３０３を新たな通信接続先として選択すべきであるか否かを判断するため、これらセカンダリ送受信部３０３から送信される無線信号の測定、すなわちセカンダリ測定動作を行う必要がある。そして、無線端末装置２０３の周囲にセカンダリ送受信部３０３が多数存在する場合には、すべてのセカンダリ送受信部３０３に対するセカンダリ測定動作を完了するまでに長時間を要するとともに、多くの電力を消費するという問題がある。
【０４４８】
これに対して、本発明の第３の実施の形態に係る無線基地局装置３０１では、セカンダリ測定制御部１８９が、プライマリ送受信部３０２、セカンダリ送受信部３０３および無線端末装置２０３のうち少なくとも１つに関する情報に基づいて、無線端末装置２０３によってセカンダリ測定動作が行われるタイミングであるセカンダリ測定タイミングの設定を行う。また、設定通知部１９０が、セカンダリ測定制御部１８９による設定の内容を無線端末装置２０３に通知する。
【０４４９】
このような構成により、たとえば、無線端末装置２０３およびプライマリ送受信部３０２間の通信品質が悪く、無線端末装置２０３の通信接続先となるセカンダリ送受信部の選択を早期に行う必要がある状況において、所定期間内の測定が頻繁に行われるようにセカンダリ測定タイミングの間隔を設定するなど、状況に応じた適切なタイミングでセカンダリ測定動作を行うことができるため、通信の安定化を図ることができる。
【０４５０】
また、上記のような構成により、無線端末装置２０３およびプライマリ送受信部３０２間の通信品質が良い場合などは測定の頻度を少なくすることによって、セカンダリ測定動作のための無線端末装置２０３の消費電力を低減させることができる。
【０４５１】
また、本発明の第３の実施の形態に係る無線基地局装置３０１では、セカンダリ測定制御部１８９は、セカンダリ送受信部３０３ごとに上記設定を行う。
【０４５２】
このような構成により、セカンダリ送受信部３０３ごとにタイミングをずらしてセカンダリ測定動作を行うことができるため、並行して測定することのできる測定対象の数に限りがあっても、所定期間内に測定することのできる測定対象の数を従来よりも増やすことができる。このため、セカンダリ送受信部３０３が多数存在する場合であっても測定に時間がかかることを防ぎ、無線端末装置２０３によるセカンダリ測定動作を適切に行うことができ、通信の安定化を図ることができる。
【０４５３】
また、本発明の第３の実施の形態に係る無線基地局装置３０１では、セカンダリ測定制御部１８９は、無線端末装置２０３とセカンダリ送受信部との距離が遠いほどセカンダリ測定タイミングの間隔を長く設定する。
【０４５４】
このような構成により、無線端末装置２０３の通信接続先となる可能性が低いセカンダリ送受信部からの無線信号の測定を行う頻度を少なくすることができるため、無線端末装置２０３の消費電力を低減させることができる。
【０４５５】
また、本発明の第３の実施の形態に係る無線基地局装置３０１では、セカンダリ測定制御部１８９は、セカンダリ送受信部から送信される無線信号の周波数が高いほどセカンダリ測定タイミングの間隔を短く設定する。
【０４５６】
ここで、セカンダリ送受信部から送信される無線信号の周波数が高い場合、当該無線信号の減衰が大きく無線端末装置２０３との間の通信品質が悪くなるため、当該セカンダリ送受信部を通信接続先とする無線端末装置２０３の数は比較的少ないことが考えられる。このため、無線端末装置２０３の通信接続先として当該セカンダリ送受信部が選択された場合、無線端末装置２０３および当該セカンダリ送受信部間の通信速度の設定値を大きくすることができる可能性が高い。すなわち、上記のような構成により、無線端末装置２０３の通信接続先として選択されることが好ましいセカンダリ送受信部からの無線信号の測定を優先的に多く行うことができるため、一層通信の安定化を図ることができる。
【０４５７】
また、本発明の第３の実施の形態に係る無線基地局装置３０１では、セカンダリ測定制御部１８９は、セカンダリ送受信部から送信される無線信号の周波数が低いほどセカンダリ測定タイミングの間隔を短く設定する。
【０４５８】
ここで、セカンダリ送受信部から送信される無線信号の周波数が低い場合、当該無線信号の減衰が小さく無線端末装置２０３との間の通信品質が良くなる。すなわち、上記のような構成により、無線端末装置２０３の通信接続先として選択されることが好ましいセカンダリ送受信部からの無線信号の測定を高い頻度で行うことができるため、一層通信の安定化を図ることができる。
【０４５９】
また、本発明の第３の実施の形態に係る無線基地局装置３０１では、セカンダリ測定制御部１８９は、無線端末装置２０３とプライマリ送受信部３０２との距離が遠いほどセカンダリ測定タイミングの間隔を短く設定する。
【０４６０】
このような構成により、無線端末装置２０３の通信接続先となるセカンダリ送受信部の選択を早期に行う必要性が高い状況であるほど、セカンダリ送受信部３０３ａ，３０３ｂ，３０３ｃから送信される無線信号の測定を高い頻度で行い、一層通信の安定化を図ることができる。
【０４６１】
また、本発明の第３の実施の形態に係る無線基地局装置３０１では、セカンダリ測定制御部１８９は、プライマリ送受信部３０２から送信される無線信号の無線端末装置２０３における受信電力が小さいほどセカンダリ測定タイミングの間隔を短く設定する。
【０４６２】
このような構成により、無線端末装置２０３の通信接続先となるセカンダリ送受信部の選択を早期に行う必要性が高い状況であるほど、セカンダリ送受信部３０３ａ，３０３ｂ，３０３ｃから送信される無線信号の測定を高い頻度で行うことができるため、一層通信の安定化を図ることができる。
【０４６３】
ここで、通信サービスを利用したシステムであって、無線機を搭載したＭ２Ｍ（Machine  to  Machine）端末同士が人間を介在せずに相互に情報交換するためのシステムであるＭ２Ｍネットワークシステムが知られている。たとえば、このＭ２Ｍネットワークシステムでは、無線機を搭載した自動販売機が、通信サービスを利用して自己に内蔵されている商品の在庫状況を自動的に管理装置にレポートすることにより、当該自動販売機の制御が自動的に行われる。
【０４６４】
そして、上述した第１の実施の形態から第３の実施の形態に係る、ＬＴＥに従う通信システム４０１，４０２，４０３を、このようなＭ２Ｍネットワークシステムとして利用することも可能である。
【０４６５】
また、通信システムは、３ＧＰＰで規格化されたＬＴＥに従う移動体通信システムである場合に限らず、たとえばＩＥＥＥ８０２．１１で規格化された無線ＬＡＮシステムを含むＭ２Ｍネットワークシステムであってもよい。以下、通信システムが、たとえば無線ＬＡＮ方式に従う通信システムである場合について説明する。
【０４６６】
＜第４の実施の形態＞
［構成および基本動作］
図３４は、本発明の第４の実施の形態に係る通信システムの構成を示す図である。
【０４６７】
図３４を参照して、本発明の第４の実施の形態に係る通信システム４０４は、たとえば無線ＬＡＮ方式に従う通信システムであり、無線基地局装置１０２Ａ，１０２Ｂ，１０２Ｃ，１０２Ｄ，１０２Ｅと、管理装置（設定装置）１０３とを備える。なお、無線基地局装置１０２Ａ，１０２Ｂ，１０２Ｃ，１０２Ｄ，１０２Ｅの各々を、以下「無線基地局装置１０２」とも称する。
【０４６８】
管理装置１０３は、無線基地局装置１０２と通信を行い、無線基地局装置１０２を管理する。また、管理装置１０３は、無線基地局装置１０２経由で、無線端末装置２０４の動作、具体的には無線端末装置２０４による通信先切替動作に関する設定を行う。
【０４６９】
管理装置１０３および無線基地局装置１０２は、有線接続または無線接続され、たとえば、イーサネット（登録商標）規格に従って互いに通信を行う。
【０４７０】
無線基地局装置１０２は、たとえば無線ＬＡＮアクセスポイントであり、無線ＬＡＮ方式に従って無線端末装置２０４との通信を行う。
【０４７１】
無線基地局装置１０２Ａは、セルＣＡを形成し、セルＣＡ内に存在する無線端末装置２０４と通信することが可能である。無線基地局装置１０２Ｂは、セルＣＢを形成し、セルＣＢ内に存在する無線端末装置２０４と通信することが可能である。無線基地局装置１０２Ｃは、セルＣＣを形成し、セルＣＣ内に存在する無線端末装置２０４と通信することが可能である。無線基地局装置１０２Ｄは、セルＣＤを形成し、セルＣＤ内に存在する無線端末装置２０４と通信することが可能である。無線基地局装置１０２Ｅは、セルＣＥを形成し、セルＣＥ内に存在する無線端末装置２０４と通信することが可能である。
【０４７２】
たとえば、無線基地局装置１０２Ａから周波数ｆ１の無線信号が送信され、無線基地局装置１０２Ｂ，１０２Ｃ，１０２Ｄ，１０２Ｅから周波数ｆ２または周波数ｆ３の無線信号が送信される。
【０４７３】
無線端末装置２０４は、たとえば無線ＬＡＮ方式に従って通信を行う無線ＬＡＮモジュールであり、Ｍ２ＭネットワークシステムにおけるＭ２Ｍ端末である。無線端末装置２０４は、無線基地局装置１０２Ａ，１０２Ｂ，１０２Ｃ，１０２Ｄ，１０２Ｅのうち選択されたいずれかの無線基地局装置と通信を行う。
【０４７４】
具体的には、無線端末装置２０４は、自己と通信中である無線基地局装置（選択基地局）を経由して、管理装置１０３から、自己の周辺に存在する他の無線基地局装置により形成される周辺セルの情報などを取得する。
【０４７５】
たとえば、無線端末装置２０４が無線基地局装置１０２Ａと通信中である場合、無線端末装置２０４は、無線基地局装置１０２Ａから、セルＣＢ，ＣＣ，ＣＤ，ＣＦの情報を取得する。そして、無線端末装置２０４は、取得した情報に基づいて、無線基地局装置１０２Ａから送信される無線信号および他の周辺基地局、すなわち無線基地局装置１０２Ｂ，１０２Ｃ，１０２Ｄ，１０２Ｅから送信される無線信号の受信電力を測定する。
【０４７６】
このとき、上述のように、無線基地局装置１０２Ａと無線端末装置２０４との間で周波数ｆ１の無線信号が使用され、無線基地局装置１０２Ａ以外の周辺基地局から周波数ｆ２または周波数ｆ３の無線信号が送信されるため、無線端末装置２０４は、無線基地局装置１０２Ａとの間の無線信号の送受信と、周辺基地局から送信される無線信号の受信とを並行して行うことができない。このため、無線端末装置２０４は、たとえば、無線基地局装置１０２Ａとの通信停止期間を設け、受信対象となる無線信号の周波数を順次切り替えて、無線信号の受信、すなわち異周波測定動作を行う。
【０４７７】
そして、管理装置１０３は、無線端末装置２０４による異周波測定動作の測定結果を受けて、無線端末装置２０４の通信相手を切り替えるべきか否かを判断する。そして、管理装置１０３は、無線端末装置２０４の通信相手を切り替えるべきであると判断すると、新たな通信相手を示す情報を無線端末装置２０４へ送信し、無線端末装置２０４は、通信先の切替動作を行う。
【０４７８】
図３５は、本発明の第４の実施の形態に係る無線基地局装置を備える通信システムにおける通信先切替動作のシーケンスの一例を示す図である。
【０４７９】
ここでは、図３４に示すように、無線端末装置２０４がセルＣＡ内に位置し、無線基地局装置１０２Ａと通信中である状態から、無線端末装置２０４がセルＣＢに接近する方向に移動する場合を想定する。
【０４８０】
無線基地局装置１０２、管理装置１０３および無線端末装置２０４は、以下のシーケンスおよび各フローチャートの各ステップを含むプログラムを図示しないメモリから読み出して実行する。このプログラムは、外部からインストールすることができる。このインストールされるプログラムは、たとえば記録媒体に格納された状態で流通する。
【０４８１】
図３５を参照して、まず、管理装置１０３は、無線端末装置２０４の周辺基地局を特定し、たとえば無線基地局装置１０２Ａと特定した周辺基地局との距離等に基づいて、無線端末装置２０４による受信電力の測定における異周波測定の間隔および異周波測定動作を行う異周波測定期間の長さ等の測定パラメータの設定を行う（ステップＳ１７１）。
【０４８２】
そして、管理装置１０３は、設定した測定パラメータ、および、特定した周辺基地局により形成される周辺セルのセルＩＤ等を、無線基地局装置１０２Ａ経由で無線端末装置２０４へ通知する（ステップＳ１７２）。
【０４８３】
次に、無線端末装置２０４は、測定パラメータを受信して、この測定パラメータに従って異周波測定動作を行う。そして、無線端末装置２０４は、異周波測定動作により得られた測定結果を示す測定結果通知を無線基地局装置１０２Ａへ送信する（ステップＳ１７３）。そして、無線基地局装置１０２Ａは、無線端末装置２０４から受信した測定結果通知を、管理装置１０３へ送信する（ステップＳ１７４）。
【０４８４】
次に、管理装置１０３は、無線基地局装置１０２Ａ経由で無線端末装置２０４から受信した測定結果通知に基づいて、たとえばセルＩＤごとの測定結果を示す測定情報を取得し、図示しない記憶部に保存する。そして、管理装置１０３は、測定結果通知に基づいて、当該無線端末装置２０４の通信先切替動作を実行すべきか否かを判断し、通信先切替動作を実行すべきであると判断すると、周辺セルに関する情報を参照して、たとえば無線基地局装置１０２Ｂを新たな通信先の無線基地局装置として決定する（ステップＳ１７５）。
【０４８５】
次に、管理装置１０３は、新たな通信先の無線基地局装置１０２Ｂを示す切替要求を無線基地局装置１０２Ａへ送信する（ステップＳ１７６）。そして、無線基地局装置１０２Ａは、管理装置１０３から受信した切替要求を無線端末装置２０４へ送信する（ステップＳ１７７）。
【０４８６】
次に、無線端末装置２０４は、無線基地局装置１０２Ａから切替要求を受信すると、無線基地局装置１０２Ａとの通信接続を切断する処理を行う（ステップＳ１７８）。そして、無線端末装置２０４は、切替要求に示されている新たな通信先の無線基地局装置１０２Ｂとの間で認証処理を行い（ステップＳ１７９）、無線基地局装置１０２Ｂとの通信接続を確立する。
【０４８７】
［管理装置の構成］
図３６は、本発明の第４の実施の形態に係る通信システムにおける管理装置の構成を示す図である。
【０４８８】
図３６を参照して、管理装置１０３は、切替要求部２１と、端末測定結果取得部２２と、異周波測定制御部２３と、設定通知部２４とを有する。
【０４８９】
端末測定結果取得部２２は、無線端末装置２０４からの測定結果通知を取得し、取得した測定結果通知から無線基地局装置１０２および無線端末装置２０４間の通信品質を求め、当該通信品質を切替要求部２１に通知する。
【０４９０】
切替要求部２１は、無線端末装置２０４の通信先を、無線端末装置２０４と通信中である選択基地局から他の無線基地局装置である周辺基地局へ切り替えるための要求、すなわち切替要求を、選択基地局経由で無線端末装置２０４に対して行なう。たとえば、切替要求部２１は、選択基地局および無線端末装置２０４間の通信品質に関する所定条件が満たされる場合に、上記要求を選択基地局に対して行なう。
【０４９１】
異周波測定制御部２３は、無線端末装置２０４による異周波測定期間における無線信号の測定タイミング、異周波測定動作が行われる間隔、または、異周波測定期間における無線信号の測定結果が管理装置１０３に報告される報告タイミングなどの設定を無線基地局装置１０２ごとまたは無線信号の周波数ごとに行う。
【０４９２】
なお、測定タイミングの設定とは、たとえば、測定処理のパラメータとして、測定タイミングの間隔を設定すること、または、測定開始タイミングとしてオフセットＯＳＴ（Cell  Individual  Offset）を設定することを意味する。
【０４９３】
また、報告タイミングの設定とは、たとえば、無線信号の測定結果が所定条件を満たす状態が所定時間継続するたびに上記測定結果がサービング基地局へ報告すなわち送信される場合において、上記所定時間（ＴＴＴ：Time  to  Trigger）を設定することを意味する。
【０４９４】
設定通知部２４は、異周波測定制御部２３により設定された設定内容を取得して、当該設定内容を、選択基地局経由で無線端末装置２０４へ送信する。
【０４９５】
なお、図３６における切替要求部２１および端末測定結果取得部２２は、本発明において必須の構成要素ではない。管理装置１０３は、これらの構成要素を備えなくても、周辺基地局から送信される無線信号の測定において、無線端末装置２０４における周辺基地局からの無線信号の測定動作を適切に行い、通信の安定化を図るという本発明の目的を達成することが可能である。
【０４９６】
［動作］
次に、図３５に示すステップＳ１７１における、管理装置１０３による測定パラメータの設定動作の流れについて説明する。
【０４９７】
（１）測定タイミングの設定動作
（ｉ）測定タイミングの間隔
管理装置１０３による測定タイミングの間隔の設定動作は、図６に示す第１の実施の形態に係る通信システム４０１の無線基地局装置１０１による測定タイミングの間隔の設定動作と同様である。
【０４９８】
すなわち、図６を参照して、まず、管理装置１０３は、無線端末装置２０４の周辺基地局、すなわち無線端末装置２０４の周囲に存在する無線基地局装置であって、無線端末装置２０４と通信中である選択基地局以外の無線基地局装置を特定する。
【０４９９】
具体的には、管理装置１０３は、無線端末装置２０４の位置を推定する。そして、管理装置１０３は、推定した無線端末装置２０２の位置情報と、予め記憶する複数の無線基地局装置の位置情報とに基づいて無線端末装置２０４の周囲に存在する１または複数の無線基地局装置を周辺基地局として特定する（ステップＳ３１）。
【０５００】
次に、管理装置１０３の異周波測定制御部２３は、予め記憶する複数の無線基地局装置の位置情報に基づいて、無線端末装置２０４と通信中である選択基地局と、周辺基地局との距離を取得する（ステップＳ３２）。
【０５０１】
次に、管理装置１０３の異周波測定制御部２３は、選択基地局から送信される無線信号の電力に関する情報、および、周辺基地局から送信される無線信号の電力に関する情報を取得する（ステップＳ３３）。
【０５０２】
たとえば、異周波測定制御部２３は、周辺基地局が送信する無線信号の電力と、周辺基地局が送信する無線信号の、選択基地局により形成されるセルにおける受信電力との差である下りパスロスの時間的な変化に基づいて、選択基地局から送信される無線信号の電力に関する情報、および、周辺基地局から送信される無線信号の電力に関する情報を取得することができる。
【０５０３】
あるいは、異周波測定制御部２３は、選択基地局により形成されるセルに在圏する無線端末装置２０４が送信する無線信号の電力と、選択基地局における無線信号の受信電力との差である上りパスロスの時間的な変化に基づいて、選択基地局から送信される無線信号の電力に関する情報、および、周辺基地局から送信される無線信号の電力に関する情報を取得することができる。
【０５０４】
次に、管理装置１０３の異周波測定制御部２３は、ステップＳ３２において取得した選択基地局と周辺基地局との距離、ステップＳ３３において取得した選択基地局から送信される無線信号の電力に関する情報および特定した周辺基地局から送信される無線信号の電力に関する情報に基づいて、異周波測定期間における無線信号の測定タイミングの間隔を設定する。たとえば、異周波測定制御部２３は、選択基地局と周辺基地局との距離が遠いほど測定タイミングの間隔を短く設定する（ステップＳ３４）。
【０５０５】
そして、管理装置１０３は、設定内容を選択基地局経由で無線端末装置２０４へ送信する（ステップＳ３５）。
【０５０６】
図３７は、本発明の第４の実施の形態に係る通信システムにおける管理装置により設定された測定タイミングの間隔を示す図である。
【０５０７】
図３７を参照して、無線基地局装置１０２Ａが選択基地局であり、無線基地局装置１０２Ｂ，１０２Ｃが周辺基地局として特定された場合を想定する。この場合、選択基地局と無線基地局装置１０２Ｂとの距離より、選択基地局と無線基地局装置１０２Ｃとの距離の方が遠いため、管理装置１０３は、たとえば、無線基地局装置１０２Ｂからの無線信号の測定タイミングの間隔を間隔ｔ１１と設定し、無線基地局装置１０２Ｃからの無線信号の測定タイミングの間隔を間隔ｔ１２（＜ｔ１１）と設定する。
【０５０８】
そして、管理装置１０３は、設定内容を選択基地局経由で無線端末装置２０４へ送信する。これにより、無線端末装置２０４は、管理装置１０３から送信された情報の示す設定内容に基づいて異周波測定動作を行う。
【０５０９】
ここでは、無線基地局装置１０２Ｂからの無線信号の測定タイミングの間隔ｔ１１が、無線基地局装置１０２Ｃからの無線信号の測定タイミングの間隔が間隔ｔ１２よりも長いことから、無線端末装置２０４による異周波測定期間において、無線基地局装置１０２Ｂの無線信号よりも、無線基地局装置１０２Ｃの無線信号の方が多くの回数測定が行われる。
【０５１０】
なお、管理装置１０３は、たとえば、選択基地局から送信される無線信号の電力が小さいほど測定タイミングの間隔を短く設定してもよい。また、たとえば、管理装置１０３は、周辺基地局から送信される無線信号の電力が大きいほど測定タイミングの間隔を短く設定してもよい。
【０５１１】
さらに、管理装置１０３は、選択基地局と周辺基地局との距離、選択基地局から送信される無線信号の電力および周辺基地局から送信される無線信号の電力を総合的に判断することによって測定タイミングの間隔を設定してもよい。たとえば、管理装置１０３は、｛（選択基地局と周辺基地局との距離）×（周辺基地局の送信電力）／（選択基地局の送信電力）｝の値が小さいほど測定タイミングの間隔を長く設定することができる。
【０５１２】
（ｉｉ）測定開始タイミング
管理装置１０３による測定開始タイミングの設定動作は、図８に示す第１の実施の形態に係る通信システム４０１の無線基地局装置１０１による測定開始タイミングの設定動作と同様である。
【０５１３】
すなわち、図８を参照して、まず、管理装置１０３の異周波測定制御部２３は、上述したステップＳ３１と同様に、無線端末装置２０４の周辺基地局を特定する（ステップＳ４１）。
【０５１４】
次に、管理装置１０３は、測定開始タイミングとしてオフセットＯＳＴを設定する。すなわち、管理装置１０３は、図示しないメモリに、複数の無線基地局装置と当該無線基地局装置ごとに設定されたオフセットＯＳＴとを対応づけて記録している。そして、異周波測定制御部２３は、当該メモリを参照することにより、特定した周辺基地局に対応づけて記録されているオフセットＯＳＴを抽出し、抽出したオフセットＯＳＴを設定する（ステップＳ４２）。
【０５１５】
そして、管理装置１０３は、設定内容を選択基地局経由で無線端末装置２０４へ送信する（ステップＳ４３）。
【０５１６】
図３８は、本発明の第４の実施の形態に係る通信システムにおける管理装置により設定された測定開始タイミングを示す図である。
【０５１７】
図３８を参照して、無線基地局装置１０２Ａが選択基地局であり、無線基地局装置１０２Ｂ，１０２Ｃが周辺基地局として特定された場合を想定する。この場合、管理装置１０３は、メモリを参照することにより、たとえば、無線基地局装置１０２Ｂに対してオフセットＯＳＴ＝０ｍｓを設定し、無線基地局装置１０２Ｃに対してオフセットＯＳＴ＝１ｍｓを設定する。
【０５１８】
そして、管理装置１０３は、設定内容を選択基地局経由で無線端末装置２０４へ送信する。これにより、無線端末装置２０４は、管理装置１０３から送信された情報の示す設定内容に基づいて異周波測定動作を行う。ここでは、無線基地局装置１０２Ｃの無線信号は無線基地局装置１０２Ｂよりも１ｍｓ遅れたタイミングで周期的に測定される。
【０５１９】
（２）異周波測定動作を行う間隔の制御動作
管理装置１０３による異周波測定動作の間隔の設定動作は、図１４に示す第１の実施の形態に係る通信システム４０１の無線基地局装置１０１による異周波測定動作の間隔の設定動作と同様である。
【０５２０】
すなわち、図１４を参照して、まず、管理装置１０３は、図６に示すステップＳ３１と同様に、無線端末装置２０４の周辺基地局を特定する（ステップＳ６１）。
【０５２１】
次に、管理装置１０３の異周波測定制御部２３は、特定した周辺基地局に基づいて異周波測定動作の間隔を設定する。
【０５２２】
ここで、管理装置１０３は、図示しないメモリに、複数の無線基地局装置と当該無線基地局装置ごとに設定された異周波測定動作の間隔情報とを対応づけて記録している。そして、異周波測定制御部２３は、当該メモリを参照することにより、特定した周辺基地局に対応づけて記録されている異周波測定動作の間隔情報を抽出し、抽出した異周波測定動作の間隔を設定する（ステップＳ６２）。
【０５２３】
なお、選択基地局と周辺基地局との距離が近いほど、当該周辺基地局は選択基地局により形成されるセル内に位置する可能性が高く、当該セルのセルエッジ付近に位置している周辺基地局と比較して通信先切替動作のタイミングが遅れることによる無線リンク断が発生する可能性が低い。このため、選択基地局により形成されるセルのセルエッジ付近に位置する周辺基地局からの無線信号の測定は、当該セル内に位置する周辺基地局からの無線信号の測定よりも高い頻度で行われることが好ましい。このため、上記メモリには、たとえば選択基地局との距離が近い周辺基地局ほど、異周波測定動作の間隔が長くなるように異周波測定動作の間隔情報が対応づけられている。
【０５２４】
次に、管理装置１０３の設定通知部２４は、ステップＳ６２において異周波測定制御部２３により設定された異周波測定動作の間隔を示す情報を、選択基地局経由で無線端末装置２０４へ送信する。これにより、無線端末装置２０４は、管理装置１０３から送信された設定内容に基づいて異周波測定動作を行う（ステップＳ６３）。
【０５２５】
図３９は、本発明の第４の実施の形態に係る通信システムにおける管理装置により設定された異周波測定動作を行う間隔の一例を示す図である。
【０５２６】
図３９を参照して、無線基地局装置１０２Ａが選択基地局であり、無線基地局装置１０２Ｂが周辺基地局として特定された場合を想定する。このとき、無線基地局装置１０２Ｂに予め対応づけられている異周波測定動作の間隔が、たとえば間隔Ｌ１１＝１６０ｍｓである場合、管理装置１０３は、この間隔Ｌ１１を異周波測定動作の間隔として設定し、設定内容を選択基地局１０２Ａ経由で無線端末装置２０４へ送信する。
【０５２７】
その後、無線端末装置２０４が移動することにより、無線基地局装置１０２Ｃが周辺基地局として特定された場合を測定する。このとき、無線基地局装置１０２Ｃに予め対応づけられている異周波測定動作の間隔が、たとえば間隔Ｌ１２＝８０ｍｓ（＜Ｌ１１）である場合、管理装置１０３は、この間隔Ｌ１２を異周波測定動作の間隔として設定し、設定内容を選択基地局経由で無線端末装置２０４へ送信する。これにより、無線端末装置２０４は、自己の移動に伴って異なる間隔で異周波測定動作を繰り返す。
【０５２８】
（３）報告タイミングの制御動作
管理装置１０３による報告タイミングの設定動作は、図１７に示す第１の実施の形態に係る通信システム４０１の無線基地局装置１０１による報告タイミングの設定動作と同様である。
【０５２９】
すなわち、図１７を参照して、まず、ステップ７１からステップＳ７３までの動作は、図６に示すステップＳ３１からステップＳ３３までの動作と同様であるため、ここでの詳細な説明は省略する。
【０５３０】
次に、管理装置１０３の異周波測定制御部２３は、ステップＳ７２において取得した選択基地局と周辺基地局との間の距離、ステップＳ７３において取得した選択基地局から送信される無線信号の電力に関する情報および特定した周辺基地局から送信される無線信号の電力に関する情報に基づいて、異周波測定期間における無線信号の測定結果を報告する報告タイミングを設定する。
【０５３１】
ここで、無線端末装置２０４は、異周波測定動作を行う異周波測定期間において無線信号を測定し、当該測定による測定結果が所定条件を満たす状態が所定時間継続するたびに、測定結果を選択基地局経由で管理装置１０３へ送信する。すなわち、管理装置１０３の異周波測定制御部２３は、報告タイミングの設定として、上記所定時間であるＴＴＴを周辺基地局ごとまたは無線信号の周波数ごとに設定する（ステップＳ７４）。
【０５３２】
たとえば、選択基地局と周辺基地局との距離が近いほど、当該周辺基地局は選択基地局により形成されるセル内に位置する可能性が高く、当該セルのセルエッジ付近に位置している周辺基地局と比較して通信先切替動作のタイミングが遅れることによる無線リンク断が発生する可能性が低い。このため、異周波測定制御部２３は、たとえば選択基地局との距離が近い周辺基地局に対してはＴＴＴを長く設定する。
【０５３３】
具体的には、上述した測定タイミングの間隔の設定動作において、無線基地局装置１０２Ｂからの無線信号の測定タイミングの間隔が間隔ｔ１１と設定され、無線基地局装置１０２Ｃからの無線信号の測定タイミングの間隔が間隔ｔ１２（＜ｔ１１）と設定されている場合、異周波測定動作の期間において行われる測定回数は、無線基地局装置１０２Ｂからの無線信号の方が無線基地局装置１０２Ｃからの無線信号よりも少ない。
【０５３４】
このため、管理装置１０３は、測定回数が比較的少ない、すなわち測定タイミングの間隔が長い無線基地局装置１０２Ｂに対して、無線基地局装置１０２ＣよりもＴＴＴを長く設定することが可能である。
【０５３５】
次に、管理装置１０３の設定通知部２４は、ステップＳ７４において異周波測定制御部２３により設定されたＴＴＴを示す情報を、選択基地局経由で無線端末装置２０４へ送信する。これにより、無線端末装置２０４は、管理装置１０３から送信された設定内容に基づいて異周波測定動作の測定結果の報告を行う（ステップＳ７５）。
【０５３６】
なお、上述した動作の流れでは、管理装置１０３が、選択基地局と周辺基地局との間の距離、選択基地局から送信される無線信号の電力に関する情報および周辺基地局から送信される無線信号の電力に関する情報に基づいてＴＴＴを設定する場合について説明した。しかしながら、このような動作の流れに限定されず、管理装置１０３は、他の方法を用いてＴＴＴを設定することも可能である。
【０５３７】
上述のとおり、本発明の第４の実施の形態に係る通信システム４０４では、異周波測定制御部２３が、異周波測定動作が行われる異周波測定期間において異なる周波数の無線信号が測定されるタイミングである測定タイミング、異周波測定動作が行われる間隔、または異周波測定期間における異なる周波数の無線信号の測定結果が選択基地局に報告されるタイミングである報告タイミングを設定する。また、設定通知部２４が、異周波測定制御部２３による設定の内容を無線端末装置２０４に通知する。さらに、異周波測定制御部２３は、周辺基地局ごとまたは無線信号の周波数ごとに上記設定を行う。
【０５３８】
このような構成により、周辺基地局ごとまたは周辺基地局から送信される無線信号の周波数ごとにタイミングをずらして異周波測定動作を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、無線端末装置２０４による異周波測定動作を適切に行うことができ、通信の安定化を図ることができる。
【０５３９】
＜第５の実施の形態＞
上述した本発明の第４の実施の形態では、無線基地局装置１０２Ａおよび無線端末装置２０４間で使用される無線信号と、無線基地局装置１０２Ｂ，１０２Ｃ，１０２Ｄ，１０２Ｅから送信される無線信号とが異なる周波数である場合について説明した。これに対して、本発明の第５の実施の形態では、無線基地局装置１０２Ａ，１０２Ｂ，１０２Ｃ，１０２Ｄ，１０２Ｅからそれぞれ送信される各無線信号の周波数が同じである場合について説明する。
【０５４０】
［構成および基本動作］
図４０は、本発明の第５の実施の形態に係る無線基地局装置を備える通信システムの構成を示す図である。
【０５４１】
図４０を参照して、本発明の第５の実施の形態に係る通信システム４０５は、図３４に示す通信システム４０４と同様に、たとえば無線ＬＡＮ方式に従う通信システムであり、無線基地局装置１０２Ａ，１０２Ｂ，１０２Ｃ，１０２Ｄ，１０２Ｅと、管理装置（設定装置）１０４とを備える。
【０５４２】
無線基地局装置１０２ＡはセルＣＡを形成し、無線基地局装置１０２ＢはセルＣＢを形成し、無線基地局装置１０２ＣはセルＣＣを形成し、無線基地局装置１０２ＤはセルＣＤを形成し、無線基地局装置１０２ＥはセルＣＥを形成する。無線基地局装置１０２Ａ，１０２Ｂ，１０２Ｃ，１０２Ｄ，１０２Ｅは、それぞれ自己が形成するセル内に存在する無線端末装置２０４と周波数ｆ１の無線信号を送受信することにより、無線端末装置２０４と通信することが可能である。
【０５４３】
図４１は、本発明の第５の実施の形態に係る通信システムにおける管理装置の構成を示す図である。
【０５４４】
図４１を参照して、管理装置１０４は、図３６に示す本発明の第４の実施の形態に係る管理装置１０３と比較して、異周波測定制御部２３および設定通知部２４の代わりに、測定制御部２５および設定通知部２６を有する。
【０５４５】
測定制御部２５は、無線端末装置２０４と通信中である選択基地局、および、無線端末装置２０４間で使用される無線信号の周波数と同じ周波数の無線信号であって、選択基地局以外の無線基地局装置である周辺基地局から送信される無線信号の測定を行う測定タイミング（同一周波測定期間における測定タイミング）を周辺基地局ごとに設定する。
【０５４６】
なお、測定タイミングの設定とは、たとえば、測定処理のパラメータとして、測定タイミングの間隔を設定すること、または、測定開始タイミングとしてオフセットＯＳＴ（Cell  Individual  Offset）を設定することを意味する。
【０５４７】
設定通知部２６は、測定制御部２５により設定された設定内容を取得して、当該設定内容を、選択基地局経由で無線端末装置２０４へ送信する。
【０５４８】
なお、図４１における切替要求部２１および端末測定結果取得部２２は、本発明において必須の構成要素ではない。管理装置１０４は、これらの構成要素を備えなくても、周辺基地局から送信される無線信号の測定において、無線端末装置２０４における周辺基地局からの無線信号の測定動作を適切に行い、通信の安定化を図るという本発明の目的を達成することが可能である。
【０５４９】
［動作］
次に、管理装置１０４による測定パラメータの設定動作の流れについて説明する。
【０５５０】
（１）測定タイミングの間隔
管理装置１０４による測定タイミングの間隔の設定動作は、図２３に示す第２の実施の形態に係る通信システム４０２の無線基地局装置１０１による測定タイミングの間隔の設定動作と同様である。
【０５５１】
すなわち、図２３を参照して、ステップＳ９１からステップＳ９３までの動作は、図６に示すステップＳ３１からステップＳ３３までの動作と同様であり、測定制御部２５は、選択基地局と周辺基地局との距離、選択基地局から送信される無線信号の電力に関する情報および周辺基地局から送信される無線信号の電力に関する情報を取得する。
【０５５２】
そして、測定制御部２５は、取得した情報に基づいて、周辺基地局から送信される無線信号の測定タイミングの間隔を設定する。たとえば、測定制御部２５は、選択基地局と周辺基地局との距離が近いほど測定タイミングの間隔を短く設定する（ステップＳ９４）。
【０５５３】
なお、測定制御部２５は、たとえば、選択基地局から送信される無線信号の電力が大きいほど測定タイミングの間隔を短く設定してもよい。また、たとえば、測定制御部２５は、周辺基地局から送信される無線信号の電力が小さいほど測定タイミングの間隔を短く設定してもよい。
【０５５４】
さらに、測定制御部２５は、選択基地局と周辺基地局との距離、選択基地局から送信される無線信号の電力および周辺基地局から送信される無線信号の電力を総合的に判断することによって測定タイミングの間隔を設定してもよい。
【０５５５】
次に、管理装置１０４の設定通知部２６は、ステップＳ９４において測定制御部２５により設定された測定タイミングの間隔を示す情報を、選択基地局経由で無線端末装置２０４へ送信する。これにより、無線端末装置２０４は、管理装置１０４から送信された情報の示す設定内容に基づいて無線信号の測定を行う（ステップＳ９５）。
【０５５６】
（２）測定開始タイミング
管理装置１０４による測定開始タイミングの設定動作は、図２４に示す第２の実施の形態に係る通信システム４０２の無線基地局装置１０１による測定開始タイミングの設定動作と同様である。
【０５５７】
すなわち、図２４を参照して、ステップＳ１０１の動作は、図８に示すステップＳ４１の動作と同様である。
【０５５８】
次に、測定制御部２５は、複数の無線基地局装置と当該無線基地局装置ごとに設定されたオフセットＯＳＴとを予め対応づけて記録するメモリを、参照する。そして、測定制御部２５は、当該メモリから、特定した周辺基地局に対応づけて記録されているオフセットＯＳＴを抽出し、測定開始タイミング（同一周波測定動作におけるオフセット）として抽出したオフセットＯＳＴを設定する（ステップＳ１０２）。
【０５５９】
次に、設定通知部２６は、ステップＳ１０２において設定した測定開始タイミングすなわちオフセットＯＳＴを示す情報を、選択基地局経由で無線端末装置２０４へ送信する。これにより、無線端末装置２０４は、管理装置１０４から送信された設定内容に基づいて、選択基地局との間で使用されている無線信号の周波数と同じ周波数である無線信号の測定を行う（ステップＳ１０３）。
【０５６０】
上述のとおり、本発明の第５の実施の形態に係る通信システム４０５では、測定制御部２５が、無線端末装置２０４と通信中である選択基地局以外の無線基地局装置である周辺基地局から送信される無線信号の測定が無線端末装置２０４によって行われるタイミングである測定タイミングを設定する。また、設定通知部２６が、測定制御部２５による設定の内容を、選択基地局経由で無線端末装置２０４に通知する。さらに、測定制御部２５は、周辺基地局ごとに上記設定を行う。
【０５６１】
このような構成により、周辺基地局ごとにタイミングをずらして無線信号の測定を行うことができるため、並行して測定することのできる測定対象の数に限りがあっても、所定期間内に測定することのできる測定対象の数を従来よりも増やすことができる。このため、周辺基地局が多数存在する場合であっても測定に時間がかかることを防ぎ、周辺基地局から送信される無線信号の測定を適切に行うことができ、通信の安定化を図ることができる。
【０５６２】
＜第６の実施の形態＞
上述した本発明の第４の実施の形態では、無線端末装置２０４は、たとえば、自己と通信中である選択基地局との通信停止期間を設け、受信対象となる無線信号の周波数を順次切り替えて、周辺基地局から送信される無線信号の受信を行い、複数の無線基地局装置のうち選択された無線基地局装置と通信を行う。
【０５６３】
これに対して、本発明の第６の実施の形態に係る通信システム４０６では、無線端末装置２０５が、無線信号の送受信を複数の無線基地局装置との間で並行して行うことが可能である場合について説明する。
【０５６４】
［構成および基本動作］
図４２は、本発明の第６の実施の形態に係る無線基地局装置を備える通信システムの構成を示す図である。
【０５６５】
図４２を参照して、本発明の第６の実施の形態に係る通信システム４０６は、図３４に示す通信システム４０４と同様に、たとえば無線ＬＡＮ方式に従う通信システムであり、無線基地局装置１０２Ａ，１０２Ｂ，１０２Ｃ，１０２Ｄ，１０２Ｅと、管理装置（設定装置）１０５とを備える。
【０５６６】
無線基地局装置１０２ＡはセルＣＡを形成し、無線基地局装置１０２ＢはセルＣＢを形成し、無線基地局装置１０２ＣはセルＣＣを形成し、無線基地局装置１０２ＤはセルＣＤを形成し、無線基地局装置１０２ＥはセルＣＥを形成する。無線基地局装置１０２Ａ，１０２Ｂ，１０２Ｃ，１０２Ｄ，１０２Ｅは、それぞれ自己が形成するセル内に存在する無線端末装置２０５との間で無線信号を送受信することにより、無線端末装置２０５と通信することが可能である。
【０５６７】
無線端末装置２０５は、無線信号の送受信を複数の無線基地局装置との間で並行して行うことが可能、すなわちキャリア・アグリゲーションを使用することが可能である。
【０５６８】
より詳細には、無線端末装置２０５は、まず、自己と通信中である無線基地局装置（以下、「プライマリ基地局」とも称する）との間で無線信号の送受信を行う。そして、無線端末装置２０５は、プライマリ基地局との間における無線信号の送受信と並行して、自己の周囲に位置するプライマリ基地局以外の無線基地局装置（以下、「セカンダリ基地局」とも称する）から送信される無線信号の測定動作であるセカンダリ測定動作を行う。
【０５６９】
なお、無線基地局装置１０２Ａ，１０２Ｂ，１０２Ｃ，１０２Ｄ，１０２Ｅの各々を「無線基地局装置１０２」とも称し、プライマリ基地局により形成されるセルを「プライマリセル」とも称し、セカンダリ基地局により形成されるセルを「セカンダリセル」とも称する。
【０５７０】
そして、たとえば無線端末装置２０５がセカンダリ測定動作を行いながら移動し、セカンダリ基地局へ接近することによって、当該セカンダリ基地局から送信される無線信号の受信電力の大きさが所定の閾値を超えた場合、当該セカンダリ基地局が無線端末装置２０５の通信接続先として選択される。
【０５７１】
そして、無線端末装置２０５は、プライマリ基地局との間における無線信号の送受信と、通信接続先として選択されたセカンダリ基地局との間における無線信号の送受信とを並行して行う。
【０５７２】
そして、たとえば無線基地局装置１０２Ａおよび無線基地局装置１０２Ｂが無線端末装置２０５との間で通信接続を確立している状況である場合、無線基地局装置１０２Ａおよび無線基地局装置１０２Ｂは、それぞれ無線端末装置２０５から送信される無線信号を受信する。そして、無線基地局装置１０２Ａおよび無線基地局装置１０２Ｂは、無線端末装置２０５から受信した無線信号をデジタル信号に変換し、管理装置１０５へ送信する。そして、管理装置１０５は、無線基地局装置１０２Ａおよび無線基地局装置１０２Ｂからそれぞれ受信したデジタル信号を必要に応じて結合し、たとえば図示しないインターネット側へ送信する。
【０５７３】
また、管理装置１０５は、たとえば、無線基地局装置１０２Ａおよび無線基地局装置１０２Ｂが無線端末装置２０５との間で通信接続を確立している状況である場合、インターネット側から受信したデジタル信号を、無線基地局装置１０２Ａへ送信するデジタル信号と、無線基地局装置１０２Ｂへ送信するデジタル信号とに分割し、それぞれ対応の無線基地局装置へ送信する。そして、無線基地局装置１０２Ａ，１０２Ｂは、それぞれ管理装置１０５から受信したデジタル信号を無線信号に変換して、無線端末装置２０５へ送信する。
【０５７４】
また、管理装置１０５は、無線端末装置２０５の動作、すなわち無線端末装置２０５によるセカンダリ測定動作に関する設定を行う。
【０５７５】
次に、通信システム４０６におけるセカンダリセルの有効化処理、すなわち無線基地局装置１０２Ａがプライマリ基地局であると仮定した場合、セカンダリ基地局である無線基地局装置１０２Ｂ，１０２Ｃ，１０２Ｄ，１０２Ｅのうちの少なくとも１つのセカンダリ基地局が無線端末装置２０５の通信接続先として選択されるまでの処理の流れについて説明する。
【０５７６】
管理装置１０５、無線基地局装置１０２および無線端末装置２０５は、以下のシーケンスおよび各フローの各ステップを含むプログラムを図示しないメモリから読み出して実行する。このプログラムは、外部からインストールすることができる。このインストールされるプログラムは、たとえば記録媒体に格納された状態で流通する。
【０５７７】
図４３は、本発明の第６の実施の形態に係る無線基地局装置を備える通信システムにおけるセカンダリセルの有効化処理のシーケンスの一例を示す図である。
【０５７８】
ここでは、図４２に示すように、無線端末装置２０５が無線基地局装置１０２Ａにより形成されるセル内に位置し、無線基地局装置１０２Ａと通信中である状態から、さらに、無線端末装置２０５が移動することにより、セカンダリ基地局である無線基地局装置１０２Ｂ，１０２Ｃ，１０２Ｄ，１０２Ｅのうちのいずれかのセカンダリ基地局に接近して当該セカンダリ基地局との通信を開始する場合を想定する。
【０５７９】
図４３を参照して、まず、管理装置１０５は、たとえば、ＧＰＳまたはＬＰＰを利用することにより無線端末装置２０５の位置を推定し、推定した無線端末装置２０５の位置情報と、予め記憶する複数の無線基地局装置１０２の位置情報とに基づいて、無線端末装置２０５の周囲に存在する１または複数のセカンダリ基地局を特定する。ここでは、管理装置１０５は、たとえば図４２に示す無線基地局装置１０２Ｂを、無線端末装置２０５の周囲に位置するセカンダリ基地局として特定する（ステップＳ１８１）。
【０５８０】
次に、管理装置１０５は、プライマリ基地局、セカンダリ基地局および無線端末装置２０５のうち少なくとも１つに関する情報に基づいて、無線端末装置２０５によりセカンダリ測定動作が行われるタイミングであるセカンダリ測定タイミングの間隔の設定を行う（ステップＳ１８２）。たとえば、管理装置１０５は、無線端末装置２０５とプライマリ基地局との距離、または、無線端末装置２０５とセカンダリ基地局との距離などを用いて、セカンダリ測定タイミングの間隔の設定を行う。このセカンダリ測定タイミングの間隔の設定の詳細については後述する。
【０５８１】
次に、管理装置１０５は、ステップＳ１８１において特定したセカンダリ基地局を示す識別情報、および、ステップＳ１８２において設定した測定パラメータの設定内容等を、プライマリ基地局経由で無線端末装置２０５へ通知する（ステップＳ１８３）。
【０５８２】
次に、無線端末装置２０５は、管理装置１０５から通知された、セカンダリ送受信部を示す識別情報および測定パラメータの設定内容に基づいて、自己の周囲に位置する１または複数のセカンダリ基地局から送信される無線信号に対してセカンダリ測定動作を開始する。そして、無線端末装置２０５は、自己の周囲に位置する１または複数のセカンダリ基地局から送信される無線信号の中から、受信電力の大きさが所定の閾値を超える無線信号の検出を行う（ステップＳ１８４）。
【０５８３】
ここでは、無線端末装置２０５がセカンダリ測定動作を行いながら移動し、セカンダリ基地局である無線基地局装置１０２Ｂへ接近することによって、無線基地局装置１０２Ｂから送信される無線信号の受信電力の大きさが所定の閾値を超える場合を想定する。
【０５８４】
次に、無線端末装置２０５は、セカンダリ測定動作により得られた測定結果を示す測定結果通知を、プライマリ基地局経由で管理装置１０５へ送信する。この測定結果通知には、無線端末装置２０５における受信電力の大きさが所定の閾値を超える無線信号の送信元、すなわちセカンダリ基地局である無線基地局装置１０２Ｂを示す識別情報等が含まれている（ステップＳ１８５）。
【０５８５】
次に、管理装置１０５は、無線端末装置２０５から測定結果通知を受けて、セ無線基地局装置１０２Ｂを、無線端末装置２０５の新たな通信接続先として追加することを決定する。そして、管理装置１０５は、無線基地局装置１０２Ｂを新たな通信接続先とすることを示す通信先追加要求をプライマリ基地局である無線基地局装置１０２Ａへ送信する（ステップＳ１８６）。そして、プライマリ基地局は、管理装置１０５から受信した通信先追加要求を無線端末装置２０５へ送信する（ステップＳ１８７）。
【０５８６】
次に、無線端末装置２０５は、プライマリ基地局から通信先追加要求を受信すると、この通信先追加要求に従って、セカンダリ基地局により形成されるセカンダリセル、すなわちセルＣＢを有効化する。具体的には、無線端末装置２０５は、プライマリ基地局である無線基地局装置１０２Ａとの無線信号の送受信に加えて、セカンダリ基地局である無線基地局装置１０２Ｂとの無線信号の送受信を行うことを決定する（ステップＳ１８８）。
【０５８７】
［管理装置の構成］
図４４は、本発明の第６の実施の形態に係る通信システムにおける管理装置の構成を示す図である。
【０５８８】
図４４を参照して、管理装置１０５は、信号処理部１８５と、制御部１８８とを有する。信号処理部１８５は、受信信号処理部１８６と、送信信号処理部１８７とを有し、制御部１８８は、セカンダリ測定制御部１９５と、設定通知部１９６とを有する。
【０５８９】
受信信号処理部１８６は、無線基地局装置１０２Ａ，１０２Ｂ，１０２Ｃ，１０２Ｄ，１０２Ｅのうち無線端末装置２０５との間で通信接続を確立している無線基地局装置からデジタル信号を受信する。そして、受信信号処理部１８６は、受信したデジタル信号を必要に応じて結合して、たとえばインターネット側へ送信する。
【０５９０】
送信信号処理部１８７は、インターネット側から受信したデジタル信号を必要に応じて分割し、無線端末装置２０５との間で通信接続を確立している無線基地局装置へ送信する。
【０５９１】
たとえば、無線基地局装置１０２Ａに加えて、無線基地局装置１０２Ｂが無線端末装置２０５との間で通信接続を確立している状況を想定する。このような状況の場合、送信信号処理部１８７は、インターネット側から受信したデジタル信号を、無線基地局装置１０２Ａ経由で無線端末装置２０５へ送信されるデジタル信号と、無線基地局装置１０２Ｂ経由で無線端末装置２０５へ送信されるデジタル信号とに分割する。そして、送信信号処理部１８７は、分割したデジタル信号をそれぞれ対応の無線基地局装置１０２へ送信する。
【０５９２】
セカンダリ測定制御部１９５は、無線端末装置２０５とプライマリ基地局との距離、または、無線端末装置２０５とセカンダリ基地局の距離などを用いて、セカンダリ測定タイミングの間隔の設定を行う。
【０５９３】
設定通知部１９６は、セカンダリ測定制御部１９５により設定された設定内容を取得して、当該設定内容をプライマリ基地局経由で無線端末装置２０５へ送信する。
【０５９４】
なお、図４４における信号処理部１８５は、本発明において必須の構成要素ではない。管理装置１０５は、この構成要素を備えなくても、周辺基地局から送信される無線信号の測定において、無線端末装置２０５における周辺基地局からの無線信号の測定動作を適切に行い、通信の安定化を図るという本発明の目的を達成することが可能である。
【０５９５】
［動作］
次に、管理装置１０５による測定パラメータの設定動作の流れについて説明する。
【０５９６】
（具体例１）無線端末装置とプライマリ基地局との距離に基づく設定
無線端末装置２０５とプライマリ基地局との距離に基づく、管理装置１０５による測定パラメータの設定動作は、図２９に示す第３の実施の形態に係る通信システム４０３の無線基地局装置３０１による設定動作と同様である。
【０５９７】
すなわち、図２９を参照して、まず、管理装置１０５は、無線端末装置２０５の位置情報と、予め記憶する無線基地局装置１０２の位置情報とに基づいて、無線端末装置２０５と、無線端末装置２０５と通信中であるプライマリ基地局との距離を算出する（ステップＳ１３１）。
【０５９８】
次に、管理装置１０５のセカンダリ測定制御部１９５は、算出された無線端末装置２０５とプライマリ基地局との距離に基づいて、セカンダリ測定タイミングの間隔を設定する。
【０５９９】
ここで、無線端末装置２０５とプライマリ基地局との距離が遠いほど、無線端末装置２０５はプライマリセルのセルエッジ付近に位置している可能性が高く、無線端末装置２０５がプライマリセルの中心付近に位置している場合と比較して、無線端末装置２０５およびプライマリ基地局間の通信品質が悪い可能性が高い。このため、無線端末装置２０５とプライマリ基地局との距離が遠い場合ほど、無線端末装置２０５の通信接続先となるセカンダリ基地局の選択を早期に行う必要性が高い。
【０６００】
従って、セカンダリ測定制御部１９５は、たとえば、無線端末装置２０５とプライマリ基地局との距離が遠い状況であるほど、セカンダリ基地局から送信される無線信号の測定が高い頻度で行われるように、セカンダリ測定タイミングの間隔を短く設定する（ステップＳ１３２）。
【０６０１】
次に、管理装置１０５の設定通知部１９６は、セカンダリ測定制御部１９５により設定されたセカンダリ測定タイミングの間隔を示す情報を、プライマリ基地局経由で無線端末装置２０５へ送信する。これにより、無線端末装置２０５は、管理装置１０５から送信された情報の示す設定内容に基づいてセカンダリ測定動作を行う（ステップＳ１３３）。
【０６０２】
（具体例２）無線端末装置とセカンダリ基地局との距離に基づく設定
無線端末装置２０５とセカンダリ基地局との距離に基づく、管理装置１０５による測定パラメータの設定動作は、図３０に示す第３の実施の形態に係る通信システム４０３の無線基地局装置３０１による設定動作と同様である。
【０６０３】
すなわち、図３０を参照して、まず、管理装置１０５は、無線端末装置２０５の位置情報と、予め記憶する無線基地局装置１０２の位置情報とに基づいて、図４３に示すステップＳ１８１において特定された１または複数のセカンダリ基地局ごとに無線端末装置２０５との距離を算出する（ステップＳ１４１）。
【０６０４】
次に、管理装置１０５のセカンダリ測定制御部１９５は、算出された無線端末装置２０５と特定された各セカンダリ基地局との距離に基づいて、セカンダリ基地局ごとにセカンダリ測定タイミングの間隔を設定する。
【０６０５】
ここで、無線端末装置２０５とセカンダリ基地局との距離が遠いほど、無線端末装置２０５およびセカンダリ基地局間の通信品質が悪い可能性が高い。従って、セカンダリ測定制御部１９５は、たとえば、無線端末装置２０５との距離が遠いセカンダリ基地局ほど、セカンダリ測定動作の頻度を少なくして電力の消費を抑えるため、セカンダリ測定タイミングの間隔を長く設定する（ステップＳ１４２）。
【０６０６】
たとえば、無線端末装置２０５の周囲に存在するセカンダリ基地局として、無線基地局装置１０２Ｂおよび無線基地局装置１０２Ｃが特定された場合であって、無線端末装置２０５と無線基地局装置１０２Ｂとの距離の方が、無線端末装置２０５と無線基地局装置１０２Ｃとの距離よりも遠い場合を想定する。この場合、セカンダリ測定制御部１９５は、無線基地局装置１０２Ｂから送信される無線信号のセカンダリ測定タイミングの間隔を、無線基地局装置１０２Ｃから送信される無線信号のセカンダリ測定タイミングの間隔よりも長く設定する。
【０６０７】
次に、管理装置１０５の設定通知部１９６は、セカンダリ測定制御部１９５により設定されたセカンダリ測定タイミングの間隔を示す情報を、プライマリ基地局経由で無線端末装置２０５へ送信する。これにより、無線端末装置２０５は、管理装置１０５から送信された情報の示す設定内容に基づいてセカンダリ測定動作を行う（ステップＳ１４３）。
【０６０８】
（具体例３）プライマリ基地局からの無線信号の受信電力の大きさに基づく設定
プライマリ基地局からの無線信号の受信電力の大きさに基づく、管理装置１０５による測定パラメータの設定動作は、図３１に示す第３の実施の形態に係る通信システム４０３の無線基地局装置３０１による設定動作と同様である。
【０６０９】
すなわち、図３１を参照して、まず、管理装置１０５は、プライマリ基地局から送信される無線信号の無線端末装置２０５における受信電力に関する情報を取得する（ステップＳ１５１）。
【０６１０】
次に、管理装置１０５のセカンダリ測定制御部１９５は、ステップＳ１５１において取得した受信電力に関する情報に基づいて、セカンダリ測定タイミングを設定する。
【０６１１】
ここで、プライマリ基地局から送信される無線信号の無線端末装置２０５における受信電力が小さいほど、無線端末装置２０５およびプライマリ基地局間の通信品質が悪い可能性が高い。このため、プライマリ基地局から送信される無線信号の無線端末装置２０５における受信電力が小さいほど、無線端末装置２０５の通信接続先となるセカンダリ基地局の選択を早期に行う必要性が高い。
【０６１２】
従って、セカンダリ測定制御部１９５は、たとえば、プライマリ基地局から送信される無線信号の無線端末装置２０５における受信電力が小さいほど、セカンダリ基地局から送信される無線信号の測定が高い頻度で行われるように、セカンダリ測定タイミングの間隔を短く設定する（ステップＳ１５２）。
【０６１３】
次に、管理装置１０５の設定通知部１９６は、セカンダリ測定制御部１９５により設定されたセカンダリ測定タイミングの間隔を示す情報を、プライマリ基地局経由で無線端末装置２０５へ送信する。これにより、無線端末装置２０５は、管理装置１０５から送信された情報の示す設定内容に基づいてセカンダリ測定動作を行う（ステップＳ１５３）。
【０６１４】
（具体例４）セカンダリ基地局からの無線信号の周波数に基づく設定（１）
セカンダリ基地局からの無線信号の周波数に基づく、管理装置１０５による測定パラメータの設定動作は、図３２に示す第３の実施の形態に係る通信システム４０３の無線基地局装置３０１による設定動作と同様である。
【０６１５】
すなわち、図３２を参照して、まず、管理装置１０５は、図４３に示すステップＳ１８１において特定された１または複数のセカンダリ基地局から送信される無線信号に関する情報を取得する。この無線信号に関する情報には、各セカンダリ基地局から送信される無線信号の周波数を示す情報が含まれている（ステップＳ１６１）。
【０６１６】
次に、管理装置１０５のセカンダリ測定制御部１９５は、ステップＳ１６１において取得した無線信号に関する情報に基づいて、セカンダリ基地局ごとに、セカンダリ測定タイミングを設定する。
【０６１７】
ここで、セカンダリ基地局から送信される無線信号の周波数が高い場合、当該無線信号の減衰が大きく無線端末装置２０５との間の通信品質が悪くなるため、当該セカンダリ基地局を通信接続先とする無線端末装置の数は比較的少ないことが考えられる。このため、無線端末装置２０５の通信接続先として当該セカンダリ基地局が選択された場合、無線端末装置２０５および当該セカンダリ基地局間の通信速度の設定値を大きくすることができる可能性が高い。
【０６１８】
従って、セカンダリ測定制御部１９５は、たとえば、特定されたセカンダリ基地局のうち、送信する無線信号の周波数が高いセカンダリ基地局ほど、セカンダリ測定動作が優先的に多く行われるように、セカンダリ測定タイミングの間隔を短く設定する（ステップＳ１６２）。
【０６１９】
たとえば、無線端末装置２０５の周囲に存在するセカンダリ基地局として、無線基地局装置１０２Ｂおよび無線基地局装置１０２Ｃが特定された場合であって、無線基地局装置１０２Ｂから送信される無線信号の周波数がｆ４であり、無線基地局装置１０２Ｃから送信される無線信号の周波数がｆ５であり、周波数ｆ５が周波数ｆ４よりも高い場合（ｆ５＞ｆ４）を想定する。この場合、セカンダリ測定制御部１９５は、無線基地局装置１０２Ｂからの周波数ｆ４の無線信号のセカンダリ測定タイミングの間隔よりも、無線基地局装置１０２Ｃからの周波数ｆ５の無線信号のセカンダリ測定タイミングの間隔を短く設定する。
【０６２０】
次に、管理装置１０５の設定通知部１９６は、セカンダリ測定制御部１９５により設定されたセカンダリ測定タイミングの間隔を示す情報を、プライマリ基地局経由で無線端末装置２０５へ送信する。これにより、無線端末装置２０５は、管理装置１０５から送信された情報の示す設定内容に基づいてセカンダリ測定動作を行う（ステップＳ１６３）。
【０６２１】
（具体例５）セカンダリ基地局からの無線信号の周波数に基づく設定（２）
具体例５におけるセカンダリ測定タイミングの間隔の設定動作の流れは、図３２に示す具体例４におけるセカンダリ測定タイミングの間隔の設定動作の流れと概ね同様であり、ステップＳ１６２におけるセカンダリ測定タイミングの設定動作のみ異なるため、ここでは具体例４と異なる点であるステップＳ１６２の動作について説明する。
【０６２２】
上述した具体例４では、図３２に示すステップＳ１６２において、セカンダリ測定制御部１９５は、セカンダリ基地局から送信される無線信号の周波数が高いほどセカンダリ測定タイミングの間隔を短く設定する。これに対して、具体例５では、セカンダリ測定制御部１９５は、たとえば、セカンダリ基地局から送信される無線信号の周波数が高いほどセカンダリ測定タイミングの間隔を長く設定する。
【０６２３】
ここで、セカンダリ基地局から送信される無線信号の周波数が低い場合、当該無線信号の減衰が小さく無線端末装置２０５との間の通信品質が良くなる。このため、セカンダリ測定制御部１９５は、特定されたセカンダリ基地局のうち、送信する無線信号の周波数が低いセカンダリ基地局ほど優先的に多くの測定が行われるように、セカンダリ測定タイミングの間隔を短く設定する。
【０６２４】
たとえば、無線端末装置２０５の周囲に存在するセカンダリ基地局として、無線基地局装置１０２Ｂおよび無線基地局装置１０２Ｃが特定された場合であって、無線基地局装置１０２Ｂから送信される無線信号の周波数がｆ４であり、無線基地局装置１０２Ｃから送信される無線信号の周波数がｆ５であり、周波数ｆ５が周波数ｆ４よりも高い場合（ｆ５＞ｆ４）を想定する。この場合、セカンダリ測定制御部１９５は、無線基地局装置１０２Ｃからの周波数ｆ５の無線信号のセカンダリ測定タイミングの間隔よりも、無線基地局装置１０２Ｂからの周波数ｆ４の無線信号のセカンダリ測定タイミングの間隔を短く設定する。
【０６２５】
なお、本発明の第６の実施の形態に係る通信システム４０６における管理装置１０５は、上述した具体例１から具体例５に記載の形態に限定されず、たとえば、「無線端末装置２０５とプライマリ基地局との距離」（具体例１）、「無線端末装置２０５とセカンダリ基地局との距離」（具体例２）、「プライマリ基地局からの無線信号の受信電力の大きさ」（具体例３）、および、「セカンダリ基地局からの無線信号の周波数」（具体例４および具体例５）のうち少なくとも２つ以上を基準とし、たとえば各基準に基づく評価関数を用いることによって、これらの基準を総合的に判断してセカンダリ測定タイミングの間隔を設定することも可能である。
【０６２６】
上述のとおり、本発明の第５の実施の形態に係る通信システム４０６では、セカンダリ測定制御部１９５が、プライマリ基地局、セカンダリ基地局および無線端末装置２０５のうち少なくとも１つに関する情報に基づいて、無線端末装置２０５によってセカンダリ測定動作が行われるタイミングであるセカンダリ測定タイミングの設定を行う。また、設定通知部１９６が、セカンダリ測定制御部１９５による設定の内容を、無線基地局装置３０４経由で無線端末装置２０５に通知する。
【０６２７】
このような構成により、たとえば、無線端末装置２０５およびプライマリ基地局間の通信品質が悪く、無線端末装置２０５の通信接続先となるセカンダリ基地局の選択を早期に行う必要がある状況において、所定期間内の測定が頻繁に行われるようにセカンダリ測定タイミングの間隔を設定するなど、状況に応じた適切なタイミングでセカンダリ測定動作を行うことができるため、通信の安定化を図ることができる。
【０６２８】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【符号の説明】
【０６２９】
１１  ハンドオーバ要求部
１２  ハンドオーバ指示部
１５  端末測定結果取得部
１６  異周波測定制御部
１７  設定通知部
１８  測定制御部
１９  設定通知部
２１  切替要求部
２２  端末測定結果取得部
２３  異周波測定制御部
２４  設定通知部
２５  測定制御部
２６  設定通知部
９１  アンテナ
９２  サーキュレータ
９３  無線受信部
９４  無線送信部
９５  信号処理部
９６  受信信号処理部
９７  送信信号処理部
９８  制御部
１０１，１０１Ａ，１０１Ｂ  無線基地局装置（設定装置（第１の実施の形態および第２の実施の形態））
１０２，１０２Ａ，１０２Ｂ，１０２Ｃ，１０２Ｄ，１０２Ｅ  無線基地局装置
１０３，１０４，１０５  管理装置（設定装置（第４の実施の形態、第５の実施の形態および第６の実施の形態））
１８１，１９１ａ，１９１ｂ，１９１ｃ  アンテナ
１８２，１９２ａ，１９２ｂ，１９２ｃ  サーキュレータ
１８３，１９３ａ，１９３ｂ，１９３ｃ  無線受信部
１８４，１９４ａ，１９４ｂ，１９４ｃ  無線送信部
１８５  信号処理部
１８６  受信信号処理部
１８７  送信信号処理部
１８８  制御部
１８９，１９５  セカンダリ測定制御部
１９０，１９６  設定通知部
２０２，２０３，２０４，２０５  無線端末装置
３０１  無線基地局装置（設定装置（第３の実施の形態））
３０２  プライマリ送受信部（プライマリ基地局）
３０３，３０３ａ，３０３ｂ，３０３ｃ  セカンダリ送受信部（セカンダリ基地局）
４０１，４０２，４０３，４０４，４０５，４０６  通信システム
【図１】
2013141194.tif 000003
【図２】
2013141194.tif 000004
【図３】
2013141194.tif 000005
【図４】
2013141194.tif 000006
【図５】
2013141194.tif 000007
【図６】
2013141194.tif 000008
【図７】
2013141194.tif 000009
【図８】
2013141194.tif 000010
【図９】
2013141194.tif 000011
【図１０】
2013141194.tif 000012
【図１１】
2013141194.tif 000013
【図１２】
2013141194.tif 000014
【図１３】
2013141194.tif 000015
【図１４】
2013141194.tif 000016
【図１５】
2013141194.tif 000017
【図１６】
2013141194.tif 000018
【図１７】
2013141194.tif 000019
【図１８】
2013141194.tif 000020
【図１９】
2013141194.tif 000021
【図２０】
2013141194.tif 000022
【図２１】
2013141194.tif 000023
【図２２】
2013141194.tif 000024
【図２３】
2013141194.tif 000025
【図２４】
2013141194.tif 000026
【図２５】
2013141194.tif 000027
【図２６】
2013141194.tif 000028
【図２７】
2013141194.tif 000029
【図２８】
2013141194.tif 000030
【図２９】
2013141194.tif 000031
【図３０】
2013141194.tif 000032
【図３１】
2013141194.tif 000033
【図３２】
2013141194.tif 000034
【図３３】
2013141194.tif 000035
【図３４】
2013141194.tif 000036
【図３５】
2013141194.tif 000037
【図３６】
2013141194.tif 000038
【図３７】
2013141194.tif 000039
【図３８】
2013141194.tif 000040
【図３９】
2013141194.tif 000041
【図４０】
2013141194.tif 000042
【図４１】
2013141194.tif 000043
【図４２】
2013141194.tif 000044
【図４３】
2013141194.tif 000045
【図４４】
2013141194.tif 000046
【国際調査報告】
2013141194.tif 000047
2013141194.tif 000048
2013141194.tif 000049
2013141194.tif 000050